(57)【要約】  本願の実施例はＰＤＣＣＨの監視方法、端末装置及びネットワーク装置を提供し、端末装置がＰＤＣＣＨを監視する際の電力消費を低減することができる。該方法は、端末装置がネットワーク装置から送信された第１メッセージを受信し、該第１メッセージは第１時間長さを示し、及び／又は、該第１時間長さ内にＰＤＣＣＨを監視するかどうかを示すことと、該端末装置が該第１メッセージに基づいてＰＤＣＣＨを監視することと、を含む。
2021518706.tif 000002
【特許請求の範囲】
【請求項１】
ＰＤＣＣＨの監視方法であって、
端末装置がネットワーク装置から送信された第１メッセージを受信し、前記第１メッセージは第１時間長さを示し、及び／又は、前記第１時間長さ内に物理ダウンリンク制御チャネル（ＰＤＣＣＨ）を監視するかどうかを示すことと、
前記端末装置が前記第１メッセージに基づいてＰＤＣＣＨを監視することと、を含むことを特徴とするＰＤＣＣＨの監視方法。
【請求項２】
前記端末装置がネットワーク装置から送信された第１メッセージを受信することは、
前記端末装置が前記ネットワーク装置から送信された前記第１メッセージを周期的に受信することを含むことを特徴とする請求項１に記載の方法。
【請求項３】
前記端末装置が前記第１メッセージを受信する周期は前記端末装置がＰＤＣＣＨを監視する周期以上であることを特徴とする請求項２に記載の方法。
【請求項４】
前記第１メッセージが前記第１時間長さを示す場合、
前記端末装置が前記第１メッセージに基づいてＰＤＣＣＨを監視することは、
前記端末装置は前記第１メッセージに基づいて前記第１時間長さを決定し、且つ前記第１時間長さ内にＰＤＣＣＨを監視するかどうかを示す第１設定情報に基づいて、前記第１時間長さ内にＰＤＣＣＨを監視するかどうかを決定することを含むことを特徴とする請求項１〜３のいずれか１項に記載の方法。
【請求項５】
前記端末装置が前記第１メッセージに基づいて前記第１時間長さを決定し、且つ第１設定情報に基づいて、前記第１時間長さ内にＰＤＣＣＨを監視するかどうかを決定する前に、前記方法は更に、
前記端末装置は前記ネットワーク装置が無線リソース制御（ＲＲＣ）シグナリングにより送信した前記第１設定情報を受信することを含むことを特徴とする請求項４に記載の方法。
【請求項６】
前記第１設定情報は前記端末装置に予め設定されたものであることを特徴とする請求項４に記載の方法。
【請求項７】
前記第１メッセージはＰＤＣＣＨであり、
前記第１メッセージは前記第１メッセージにおいて伝送される第１ダウンリンク制御情報（ＤＣＩ）における少なくとも１つのビットにより前記第１時間長さを示し、
前記端末装置が前記第１メッセージに基づいて前記第１時間長さを決定することは、
前記端末装置が前記少なくとも１つのビットに基づいて前記第１時間長さを決定することを含むことを特徴とする請求項４〜６のいずれか１項に記載の方法。
【請求項８】
前記第１メッセージは識別子シーケンスであり、
前記第１メッセージは少なくとも１つの識別子シーケンスにより前記第１時間長さを示し、
前記端末装置が前記第１メッセージに基づいて前記第１時間長さを決定することは、
前記端末装置が前記少なくとも１つの識別子シーケンスに基づいて前記第１時間長さを決定することを含むことを特徴とする請求項４〜６のいずれか１項に記載の方法。
【請求項９】
前記第１メッセージが前記第１時間長さを示す場合、前記第１メッセージは第１パラメータと前記第１時間長さとの数値関係を示すことにより、前記第１時間長さを示し、前記第１パラメータは間欠受信（ＤＲＸ）パラメータ又は第１時間パラメータであり、
前記端末装置が前記第１メッセージに基づいてＰＤＣＣＨを監視することは、
前記端末装置は前記第１メッセージ及び前記第１パラメータに基づいて前記第１時間長さを決定し、且つ前記第１時間長さ内にＰＤＣＣＨを監視するかどうかを示す第１設定情報に基づいて、前記第１時間長さ内にＰＤＣＣＨを監視するかどうかを決定することを含むことを特徴とする請求項１〜３のいずれか１項に記載の方法。
【請求項１０】
前記第１パラメータがＤＲＸパラメータである場合、前記第１パラメータはＤＲＸアクティブ期間タイマー、ＤＲＸディアクティブ期間タイマー、ロングＤＲＸ周期、ショートＤＲＸ周期のうちの１つであることを特徴とする請求項９に記載の方法。
【請求項１１】
前記方法は更に、
前記端末装置は前記ネットワーク装置がＲＲＣシグナリング又は媒体アクセス制御の制御要素（ＭＡＣ  ＣＥ）シグナリングにより送信した前記第１パラメータを受信することを含むことを特徴とする請求項１０に記載の方法。
【請求項１２】
前記第１時間パラメータは予め設定されたもの、又は前記ネットワーク装置が通知したものであることを特徴とする請求項９〜１１のいずれか１項に記載の方法。
【請求項１３】
前記方法は更に、
前記端末装置は前記ネットワーク装置がＲＲＣシグナリング又はＭＡＣ  ＣＥシグナリングにより送信した前記第１設定情報を受信することを含むことを特徴とする請求項９〜１２のいずれか１項に記載の方法。
【請求項１４】
前記第１設定情報は前記端末装置に予め設定されたものであることを特徴とする請求項９〜１２のいずれか１項に記載の方法。
【請求項１５】
前記第１メッセージはＰＤＣＣＨであり、
前記第１メッセージは前記第１メッセージにおいて伝送される第１ＤＣＩにおける少なくとも１つのビットにより前記第１パラメータと前記第１時間長さとの数値関係を示すことにより、前記第１時間長さを示し、
前記端末装置が前記第１メッセージ及び前記第１パラメータに基づいて前記第１時間長さを決定することは、
前記端末装置が前記少なくとも１つのビット及び前記第１パラメータに基づいて前記第１時間長さを決定することを含むことを特徴とする請求項９〜１４のいずれか１項に記載の方法。
【請求項１６】
前記第１メッセージは識別子シーケンスであり、
前記第１メッセージは少なくとも１つの識別子シーケンスにより第１パラメータと前記第１時間長さとの数値関係を示すことにより、前記第１時間長さを示し、
前記端末装置が前記第１メッセージ及び前記第１パラメータに基づいて前記第１時間長さを決定することは、
前記端末装置が前記少なくとも１つの識別子シーケンス及び前記第１パラメータに基づいて前記第１時間長さを決定することを含むことを特徴とする請求項９〜１４のいずれか１項に記載の方法。
【請求項１７】
前記第１メッセージは前記第１時間長さ内にＰＤＣＣＨを監視するかどうかを示す場合、
前記端末装置が前記第１メッセージに基づいてＰＤＣＣＨを監視することは、
前記端末装置は前記第１時間長さを示す第２設定情報に基づいて前記第１時間長さを決定し、且つ前記第１メッセージに基づいて、前記第１時間長さ内にＰＤＣＣＨを監視するかどうかを決定することを含むことを特徴とする請求項１〜３のいずれか１項に記載の方法。
【請求項１８】
前記端末装置は第２設定情報に基づいて前記第１時間長さを決定し、且つ前記第１メッセージに基づいて、前記第１時間長さ内にＰＤＣＣＨを監視するかどうかを決定する前に、前記方法は更に、
前記端末装置は前記ネットワーク装置がＲＲＣシグナリングにより送信した前記第２設定情報を受信することを含むことを特徴とする請求項１７に記載の方法。
【請求項１９】
前記第２設定情報は前記端末装置に予め設定されたものであることを特徴とする請求項１８に記載の方法。
【請求項２０】
前記第１メッセージはＰＤＣＣＨであり、
前記第１メッセージは前記第１メッセージにおいて伝送される第１ＤＣＩにおける第１ビットにより前記第１時間長さ内にＰＤＣＣＨを監視するかどうかを示し、
前記第１ビットが０である場合、前記第１時間長さ内にＰＤＣＣＨを監視することを示し、前記第１ビットが１である場合、前記第１時間長さ内にＰＤＣＣＨを監視する必要がないことを示し、
前記端末装置が前記第１メッセージに基づいて、前記第１時間長さ内にＰＤＣＣＨを監視するかどうかを決定することは、
前記第１ビットが０である場合、前記端末装置は前記第１ビットに基づいて、前記第１時間長さ内にＰＤＣＣＨを監視することを決定すること、又は、
前記第１ビットが１である場合、前記端末装置は前記第１ビットに基づいて、前記第１時間長さ内にＰＤＣＣＨを監視する必要がないことを決定することを含むことを特徴とする請求項１７〜１９のいずれか１項に記載の方法。
【請求項２１】
前記第１メッセージは識別子シーケンスであり、
前記第１メッセージは第１識別子シーケンスにより前記第１時間長さ内にＰＤＣＣＨを監視することを示し、且つ第２識別子シーケンスにより前記第１時間長さ内にＰＤＣＣＨを監視する必要がないことを示し、
前記端末装置が前記第１メッセージに基づいて、前記第１時間長さ内にＰＤＣＣＨを監視するかどうかを決定することは、
前記第１メッセージが前記第１識別子シーケンスを含む場合、前記端末装置は前記第１識別子シーケンスに基づいて、前記第１時間長さ内にＰＤＣＣＨを監視することを決定すること、又は、
前記第１メッセージが前記第２識別子シーケンスを含む場合、前記端末装置は前記第２識別子シーケンスに基づいて、前記第１時間長さ内にＰＤＣＣＨを監視する必要がないことを決定することを含むことを特徴とする請求項１７〜２０のいずれか１項に記載の方法。
【請求項２２】
前記第１メッセージは前記第１時間長さを示し、且つ前記第１時間長さ内にＰＤＣＣＨを監視するかどうかを示す場合、
前記端末装置が前記第１メッセージに基づいてＰＤＣＣＨを監視することは、
前記端末装置は前記第１メッセージに基づいて前記第１時間長さを決定し、且つ前記第１時間長さ内にＰＤＣＣＨを監視するかどうかを決定することを含むことを特徴とする請求項１〜３のいずれか１項に記載の方法。
【請求項２３】
前記第１メッセージは、前記第１時間長さを示す第１指示情報と、前記第１時間長さ内にＰＤＣＣＨを監視するかどうかを示す第２指示情報とを含み、
前記端末装置が前記第１メッセージに基づいて前記第１時間長さを決定し、且つ前記第１時間長さ内にＰＤＣＣＨを監視するかどうかを決定することは、
前記端末装置は前記第１指示情報に基づいて前記第１時間長さを決定し、且つ前記第２指示情報に基づいて、前記第１時間長さ内にＰＤＣＣＨを監視するかどうかを決定することを含むことを特徴とする請求項２２に記載の方法。
【請求項２４】
前記第１メッセージはＰＤＣＣＨ及び／又は識別子シーケンスであることを特徴とする請求項２３に記載の方法。
【請求項２５】
前記第１指示情報は前記第１メッセージにおいて伝送される第１ＤＣＩにおける少なくとも１つのビットにより前記第１時間長さを示し、
前記端末装置が前記第１指示情報に基づいて前記第１時間長さを決定することは、
前記端末装置が前記少なくとも１つのビットに基づいて前記第１時間長さを決定することを含むことを特徴とする請求項２４に記載の方法。
【請求項２６】
前記第１指示情報は少なくとも１つの識別子シーケンスにより前記第１時間長さを示し、
前記端末装置が前記第１指示情報に基づいて前記第１時間長さを決定することは、
前記端末装置が前記少なくとも１つの識別子シーケンスに基づいて前記第１時間長さを決定することを含むことを特徴とする請求項２４に記載の方法。
【請求項２７】
前記第２指示情報は前記第１メッセージにおいて伝送される第２ＤＣＩにおける第１ビットにより前記第１時間長さ内にＰＤＣＣＨを監視するかどうかを示し、前記第１ビットが０である場合、前記第１時間長さ内にＰＤＣＣＨを監視することを示し、前記第１ビットが１である場合、前記第１時間長さ内にＰＤＣＣＨを監視する必要がないことを示し、
前記端末装置が前記第２指示情報に基づいて、前記第１時間長さ内にＰＤＣＣＨを監視するかどうかを決定することは、
前記第１ビットが０である場合、前記端末装置は前記第１ビットに基づいて、前記第１時間長さ内にＰＤＣＣＨを監視することを決定すること、又は、
前記第１ビットが１である場合、前記端末装置は前記第１ビットに基づいて、前記第１時間長さ内にＰＤＣＣＨを監視する必要がないことを決定することを含むことを特徴とする請求項２４〜２６のいずれか１項に記載の方法。
【請求項２８】
前記第２指示情報は第１識別子シーケンスにより前記第１時間長さ内にＰＤＣＣＨを監視することを示し、且つ第２識別子シーケンスにより前記第１時間長さ内にＰＤＣＣＨを監視する必要がないことを示し、
前記端末装置が前記第２指示情報に基づいて、前記第１時間長さ内にＰＤＣＣＨを監視するかどうかを決定することは、
前記第１メッセージが前記第１識別子シーケンスを含む場合、前記端末装置は前記第１識別子シーケンスに基づいて、前記第１時間長さ内にＰＤＣＣＨを監視することを決定すること、又は、
前記第１メッセージが前記第２識別子シーケンスを含む場合、前記端末装置は前記第２識別子シーケンスに基づいて、前記第１時間長さ内にＰＤＣＣＨを監視する必要がないことを決定することを含むことを特徴とする請求項２４〜２６のいずれか１項に記載の方法。
【請求項２９】
前記第１メッセージは前記第１時間長さを示し、且つ前記第１時間長さ内にＰＤＣＣＨを監視するかどうかを示し、前記第１メッセージは第１パラメータと前記第１時間長さとの数値関係を示すことにより、前記第１時間長さを示し、前記第１パラメータはＤＲＸパラメータ又は第１時間パラメータである場合、
前記端末装置が前記第１メッセージに基づいてＰＤＣＣＨを監視することは、
前記端末装置は前記第１メッセージ及び前記第１パラメータに基づいて前記第１時間長さを決定し、且つ前記第１メッセージに基づいて、前記第１時間長さ内にＰＤＣＣＨを監視するかどうかを決定することを含むことを特徴とする請求項１〜３のいずれか１項に記載の方法。
【請求項３０】
前記第１パラメータがＤＲＸパラメータである場合、前記第１パラメータはＤＲＸアクティブ期間タイマー、ＤＲＸディアクティブ期間タイマー、ロングＤＲＸ周期、ショートＤＲＸ周期のうちの１つであることを特徴とする請求項２９に記載の方法。
【請求項３１】
前記方法は更に、
前記端末装置は前記ネットワーク装置がＲＲＣシグナリング又はＭＡＣ  ＣＥシグナリングにより送信した前記第１パラメータを受信することを含むことを特徴とする請求項２９又は３０に記載の方法。
【請求項３２】
前記第１時間パラメータは予め設定されたもの、又は前記ネットワーク装置が通知したものであることを特徴とする請求項２９〜３１のいずれか１項に記載の方法。
【請求項３３】
前記第１メッセージは、前記第１パラメータと前記第１時間長さとの数値関係を示すことにより前記第１時間長さを示す第１指示情報と、前記第１時間長さ内にＰＤＣＣＨを監視するかどうかを示す第２指示情報とを含み、
前記端末装置が前記第１メッセージ及び前記第１パラメータに基づいて前記第１時間長さを決定し、且つ前記第１時間長さ内にＰＤＣＣＨを監視するかどうかを決定することは、
前記端末装置は前記第１指示情報及び前記第１パラメータに基づいて前記第１時間長さを決定し、且つ前記第２指示情報に基づいて、前記第１時間長さ内にＰＤＣＣＨを監視するかどうかを決定することを含むことを特徴とする請求項２９〜３２のいずれか１項に記載の方法。
【請求項３４】
前記第１メッセージはＰＤＣＣＨ及び／又は識別子シーケンスであることを特徴とする請求項３３に記載の方法。
【請求項３５】
前記第１指示情報は前記第１メッセージにおいて伝送される第１ＤＣＩにおける少なくとも１つのビットにより前記第１パラメータと前記第１時間長さとの数値関係を示すことにより、前記第１時間長さを示し、
前記端末装置が前記第１メッセージ及び前記第１パラメータに基づいて前記第１時間長さを決定することは、
前記端末装置が前記少なくとも１つのビット及び前記第１パラメータに基づいて前記第１時間長さを決定することを含むことを特徴とする請求項３４に記載の方法。
【請求項３６】
前記第１指示情報は少なくとも１つの識別子シーケンスにより、前記第１パラメータと前記第１時間長さとの数値関係を示すことにより前記第１時間長さを示し、
前記端末装置が前記第１メッセージ及び前記第１パラメータに基づいて前記第１時間長さを決定することは、
前記端末装置が前記少なくとも１つの識別子シーケンス及び前記第１パラメータに基づいて前記第１時間長さを決定することを含むことを特徴とする請求項３４に記載の方法。
【請求項３７】
前記第２指示情報は前記第１メッセージにおいて伝送される第２ＤＣＩにおける第１ビットにより前記第１時間長さ内にＰＤＣＣＨを監視するかどうかを示し、前記第１ビットが０である場合、前記第１時間長さ内にＰＤＣＣＨを監視することを示し、前記第１ビットが１である場合、前記第１時間長さ内にＰＤＣＣＨを監視する必要がないことを示し、
前記端末装置が前記第２指示情報に基づいて、前記第１時間長さ内にＰＤＣＣＨを監視するかどうかを決定することは、
前記第１ビットが０である場合、前記端末装置は前記第１ビットに基づいて、前記第１時間長さ内にＰＤＣＣＨを監視することを決定すること、又は、
前記第１ビットが１である場合、前記端末装置は前記第１ビットに基づいて、前記第１時間長さ内にＰＤＣＣＨを監視する必要がないことを決定することを含むことを特徴とする請求項３４〜３６のいずれか１項に記載の方法。
【請求項３８】
前記第２指示情報は第１識別子シーケンスにより前記第１時間長さ内にＰＤＣＣＨを監視することを示し、且つ第２識別子シーケンスにより前記第１時間長さ内にＰＤＣＣＨを監視する必要がないことを示し、
前記端末装置が前記第２指示情報に基づいて、前記第１時間長さ内にＰＤＣＣＨを監視するかどうかを決定することは、
前記第１メッセージが前記第１識別子シーケンスを含む場合、前記端末装置は前記第１識別子シーケンスに基づいて、前記第１時間長さ内にＰＤＣＣＨを監視することを決定すること、又は、
前記第１メッセージが前記第２識別子シーケンスを含む場合、前記端末装置は前記第２識別子シーケンスに基づいて、前記第１時間長さ内にＰＤＣＣＨを監視する必要がないことを決定することを含むことを特徴とする請求項３４〜３６のいずれか１項に記載の方法。
【請求項３９】
前記第１時間長さの単位はスロット又はミリ秒であることを特徴とする請求項１〜３８のいずれか１項に記載の方法。
【請求項４０】
前記第１時間長さの単位がスロットである場合、前記第１メッセージは第３指示情報を含み、前記第３指示情報は前記第１時間長さに対応するサブキャリア間隔を示し、又は前記第１時間長さに対応するサブキャリア間隔が、ＰＤＣＣＨに対応するサブキャリア間隔に一致することを示すことを特徴とする請求項３９に記載の方法。
【請求項４１】
前記端末装置はＲＲＣ接続状態にあることを特徴とする請求項１〜４０のいずれか１項に記載の方法。
【請求項４２】
ＰＤＣＣＨの監視方法であって、
端末装置は第１パラメータと第１時間長さとの数値関係を示す第１メッセージと、間欠受信（ＤＲＸ）パラメータ又は第１時間パラメータである第１パラメータとに基づいて、前記第１時間長さを決定することと、
前記端末装置は前記第１時間長さ内に物理ダウンリンク制御チャネル（ＰＤＣＣＨ）を監視することを無視することと、を含むことを特徴とするＰＤＣＣＨの監視方法。
【請求項４３】
前記第１パラメータがＤＲＸパラメータである場合、前記第１パラメータはＤＲＸアクティブ期間タイマー、ＤＲＸディアクティブ期間タイマー、ロングＤＲＸ周期、ショートＤＲＸ周期のうちの１つであることを特徴とする請求項４２に記載の方法。
【請求項４４】
前記方法は更に、
前記端末装置はネットワーク装置が無線リソース制御（ＲＲＣ）シグナリング又は媒体アクセス制御の制御要素（ＭＡＣ  ＣＥ）シグナリングにより送信した前記第１パラメータを受信することを含むことを特徴とする請求項４３に記載の方法。
【請求項４５】
前記第１時間パラメータは予め設定されたもの、又はネットワーク装置が通知したものであることを特徴とする請求項４２〜４４のいずれか１項に記載の方法。
【請求項４６】
前記方法は更に、
前記端末装置がネットワーク装置から送信された前記第１メッセージを受信することを含むことを特徴とする請求項４２〜４５のいずれか１項に記載の方法。
【請求項４７】
前記端末装置が前記ネットワーク装置から送信された前記第１メッセージを受信することは、
前記端末装置が前記ネットワーク装置から送信された前記第１メッセージを周期的に受信することを含むことを特徴とする請求項４６に記載の方法。
【請求項４８】
前記端末装置が前記第１メッセージを受信する周期は前記端末装置がＰＤＣＣＨを監視する周期以上であることを特徴とする請求項４７に記載の方法。
【請求項４９】
前記第１メッセージはＰＤＣＣＨであり、
前記第１メッセージは前記第１メッセージにおいて伝送される第１ダウンリンク制御情報（ＤＣＩ）における少なくとも１つのビットにより前記第１パラメータと前記第１時間長さとの数値関係を示し、
前記端末装置が前記第１メッセージ及び前記第１パラメータに基づいて前記第１時間長さを決定することは、
前記端末装置が前記少なくとも１つのビット及び前記第１パラメータに基づいて前記第１時間長さを決定することを含むことを特徴とする請求項４２〜４８のいずれか１項に記載の方法。
【請求項５０】
前記第１メッセージは識別子シーケンスであり、
前記第１メッセージは少なくとも１つの識別子シーケンスにより前記第１パラメータと前記第１時間長さとの数値関係を示し、
前記端末装置が前記第１メッセージ及び前記第１パラメータに基づいて前記第１時間長さを決定することは、
前記端末装置が前記少なくとも１つの識別子シーケンス及び前記第１パラメータに基づいて前記第１時間長さを決定することを含むことを特徴とする請求項４２〜４８のいずれか１項に記載の方法。
【請求項５１】
前記第１時間長さの単位はスロット又はミリ秒であることを特徴とする請求項４２〜５０のいずれか１項に記載の方法。
【請求項５２】
前記第１時間長さの単位がスロットである場合、前記第１メッセージは第１指示情報を含み、前記第１指示情報は前記第１時間長さに対応するサブキャリア間隔を示し、又は前記第１時間長さに対応するサブキャリア間隔が、ＰＤＣＣＨに対応するサブキャリア間隔に一致することを示すことを特徴とする請求項５１に記載の方法。
【請求項５３】
前記端末装置はＲＲＣ接続状態にあることを特徴とする請求項４２〜５２のいずれか１項に記載の方法。
【請求項５４】
ＰＤＣＣＨの監視方法であって、
ネットワーク装置が第１メッセージを端末装置に送信し、前記第１メッセージは第１時間長さを示し、及び／又は、前記第１時間長さ内に物理ダウンリンク制御チャネル（ＰＤＣＣＨ）を監視するかどうかを示すことと、
前記ネットワーク装置は前記第１メッセージに基づいて前記端末装置に対するＰＤＣＣＨを送信することと、を含むことを特徴とするＰＤＣＣＨの監視方法。
【請求項５５】
前記ネットワーク装置が第１メッセージを端末装置に送信することは、
前記ネットワーク装置が前記端末装置に前記第１メッセージを周期的に送信することを含むことを特徴とする請求項５４に記載の方法。
【請求項５６】
前記ネットワーク装置が前記第１メッセージを送信する周期は前記端末装置がＰＤＣＣＨを監視する周期以上であることを特徴とする請求項５５に記載の方法。
【請求項５７】
前記第１メッセージが前記第１時間長さを示す場合、前記方法は更に、
前記ネットワーク装置が無線リソース制御（ＲＲＣ）シグナリングにより第１設定情報を前記端末装置に送信し、前記第１設定情報が前記第１時間長さ内にＰＤＣＣＨを監視するかどうかを示すことを含み、
前記ネットワーク装置が前記第１メッセージに基づいて、前記端末装置に対するＰＤＣＣＨを送信することは、
前記ネットワーク装置は前記第１メッセージに基づいて前記第１時間長さを決定し、且つ第１設定情報に基づいて、前記第１時間長さ内に前記端末装置に対するＰＤＣＣＨを送信するかどうかを決定することを含むことを特徴とする請求項５４〜５６のいずれか１項に記載の方法。
【請求項５８】
前記第１メッセージはＰＤＣＣＨであり、
前記第１メッセージは前記第１メッセージにおいて伝送される第１ダウンリンク制御情報（ＤＣＩ）における少なくとも１つのビットにより前記第１時間長さを示し、
前記ネットワーク装置が前記第１メッセージに基づいて前記第１時間長さを決定することは、
前記ネットワーク装置が前記少なくとも１つのビットに基づいて前記第１時間長さを決定することを含むことを特徴とする請求項５７に記載の方法。
【請求項５９】
前記第１メッセージは識別子シーケンスであり、
前記第１メッセージは少なくとも１つの識別子シーケンスにより前記第１時間長さを示し、
前記ネットワーク装置が前記第１メッセージに基づいて前記第１時間長さを決定することは、
前記ネットワーク装置が前記少なくとも１つの識別子シーケンスに基づいて前記第１時間長さを決定することを含むことを特徴とする請求項５７に記載の方法。
【請求項６０】
前記第１メッセージが前記第１時間長さを示す場合、前記第１メッセージは第１パラメータと前記第１時間長さとの数値関係を示すことにより前記第１時間長さを示し、前記第１パラメータは間欠受信（ＤＲＸ）パラメータ又は第１時間パラメータであり、
前記方法は更に、
前記ネットワーク装置がＲＲＣシグナリングにより第１設定情報を前記端末装置に送信し、前記第１設定情報が前記第１時間長さ内にＰＤＣＣＨを監視するかどうかを示すことを含み、
前記ネットワーク装置が前記第１メッセージに基づいて、前記端末装置に対するＰＤＣＣＨを送信することは、
前記ネットワーク装置は前記第１メッセージ及び前記第１パラメータに基づいて前記第１時間長さを決定し、且つ前記第１設定情報に基づいて、前記第１時間長さ内に前記端末装置に対するＰＤＣＣＨを送信するかどうかを決定することを含むことを特徴とする請求項５４〜５６のいずれか１項に記載の方法。
【請求項６１】
前記第１パラメータがＤＲＸパラメータである場合、前記第１パラメータはＤＲＸアクティブ期間タイマー、ＤＲＸディアクティブ期間タイマー、ロングＤＲＸ周期、ショートＤＲＸ周期のうちの１つであることを特徴とする請求項６０に記載の方法。
【請求項６２】
前記方法は更に、
前記ネットワーク装置がＲＲＣシグナリング又は媒体アクセス制御の制御要素（ＭＡＣ  ＣＥ）シグナリングにより前記端末装置に前記第１パラメータを送信することを含むことを特徴とする請求項６０又は６１に記載の方法。
【請求項６３】
前記方法は更に、
前記ネットワーク装置がＲＲＣシグナリング又はＭＡＣ  ＣＥシグナリングにより前記端末装置に前記第１時間パラメータを送信することを含むことを特徴とする請求項６０〜６２のいずれか１項に記載の方法。
【請求項６４】
前記方法は更に、
前記ネットワーク装置がＲＲＣシグナリング又はＭＡＣ  ＣＥシグナリングにより前記端末装置に前記第１設定情報を送信することを含むことを特徴とする請求項６０〜６３のいずれか１項に記載の方法。
【請求項６５】
前記第１メッセージはＰＤＣＣＨであり、
前記第１メッセージは前記第１メッセージにおいて伝送される第１ダウンリンク制御情報（ＤＣＩ）における少なくとも１つのビットにより、前記第１パラメータと前記第１時間長さとの数値関係を示すことにより前記第１時間長さを示し、
前記ネットワーク装置が前記第１メッセージ及び前記第１パラメータに基づいて前記第１時間長さを決定することは、
前記ネットワーク装置が前記少なくとも１つのビット及び前記第１パラメータに基づいて前記第１時間長さを決定することを含むことを特徴とする請求項６０〜６４のいずれか１項に記載の方法。
【請求項６６】
前記第１メッセージは識別子シーケンスであり、
前記第１メッセージは少なくとも１つの識別子シーケンスにより、前記第１パラメータと前記第１時間長さとの数値関係を示すことにより前記第１時間長さを示し、
前記ネットワーク装置が前記第１メッセージ及び前記第１パラメータに基づいて前記第１時間長さを決定することは、
前記ネットワーク装置が前記少なくとも１つの識別子シーケンス及び前記第１パラメータに基づいて前記第１時間長さを決定することを含むことを特徴とする請求項６０〜６５のいずれか１項に記載の方法。
【請求項６７】
前記第１メッセージは前記第１時間長さ内にＰＤＣＣＨを監視するかどうかを示す場合、前記方法は更に、
前記ネットワーク装置がＲＲＣシグナリングにより第２設定情報を前記端末装置に送信し、前記第２設定情報が前記第１時間長さを示すことを含み、
前記ネットワーク装置が前記第１メッセージに基づいて、前記端末装置に対するＰＤＣＣＨを送信することは、
前記ネットワーク装置は第２設定情報に基づいて前記第１時間長さを決定し、且つ前記第１メッセージに基づいて、前記第１時間長さ内に前記端末装置に対するＰＤＣＣＨを送信するかどうかを決定することを含むことを特徴とする請求項５４〜５６のいずれか１項に記載の方法。
【請求項６８】
前記第１メッセージはＰＤＣＣＨであり、
前記第１メッセージは前記第１メッセージにおいて伝送される第１ＤＣＩにおける第１ビットにより前記第１時間長さ内にＰＤＣＣＨを監視するかどうかを示し、
前記第１ビットが０である場合、前記第１時間長さ内にＰＤＣＣＨを監視することを示し、前記第１ビットが１である場合、前記第１時間長さ内にＰＤＣＣＨを監視する必要がないことを示し、
前記ネットワーク装置が前記第１メッセージに基づいて、前記第１時間長さ内に前記端末装置に対するＰＤＣＣＨを送信するかどうかを決定することは、
前記第１ビットが０である場合、前記ネットワーク装置は前記第１ビットに基づいて、前記第１時間長さ内に前記端末装置に対するＰＤＣＣＨを送信することを決定すること、又は、
前記第１ビットが１である場合、前記ネットワーク装置は前記第１ビットに基づいて、前記第１時間長さ内に前記端末装置に対するＰＤＣＣＨを送信する必要がないことを決定することを含むことを特徴とする請求項６７に記載の方法。
【請求項６９】
前記第１メッセージは識別子シーケンスであり、
前記第１メッセージは第１識別子シーケンスにより前記第１時間長さ内にＰＤＣＣＨを監視することを示し、且つ第２識別子シーケンスにより前記第１時間長さ内にＰＤＣＣＨを監視する必要がないことを示し、
前記ネットワーク装置が前記第１メッセージに基づいて、前記第１時間長さ内に前記端末装置に対するＰＤＣＣＨを送信するかどうかを決定することは、
前記第１メッセージが前記第１識別子シーケンスを含む場合、前記ネットワーク装置は前記第１識別子シーケンスに基づいて、前記第１時間長さ内に前記端末装置に対するＰＤＣＣＨを送信することを決定すること、又は、
前記第１メッセージが前記第２識別子シーケンスを含む場合、前記ネットワーク装置は前記第２識別子シーケンスに基づいて、前記第１時間長さ内に前記端末装置に対するＰＤＣＣＨを送信する必要がないことを決定することを含むことを特徴とする請求項６７に記載の方法。
【請求項７０】
前記第１メッセージは前記第１時間長さを示し、且つ前記第１時間長さ内にＰＤＣＣＨを監視するかどうかを示す場合、
前記ネットワーク装置が前記第１メッセージに基づいて、前記端末装置に対するＰＤＣＣＨを送信することは、
前記ネットワーク装置は前記第１メッセージに基づいて前記第１時間長さを決定し、且つ前記第１時間長さ内に前記端末装置に対するＰＤＣＣＨを送信するかどうかを決定することを含むことを特徴とする請求項６７〜６９のいずれか１項に記載の方法。
【請求項７１】
前記第１メッセージは、前記第１時間長さを示す第１指示情報と、前記第１時間長さ内にＰＤＣＣＨを監視するかどうかを示す第２指示情報とを含み、
前記ネットワーク装置が前記第１メッセージに基づいて前記第１時間長さを決定し、且つ前記第１時間長さ内に前記端末装置に対するＰＤＣＣＨを送信するかどうかを決定することは、
前記ネットワーク装置は前記第１指示情報に基づいて前記第１時間長さを決定し、且つ前記第２指示情報に基づいて、前記第１時間長さ内に前記端末装置に対するＰＤＣＣＨを送信するかどうかを決定することを含むことを特徴とする請求項７０に記載の方法。
【請求項７２】
前記第１メッセージはＰＤＣＣＨ及び／又は識別子シーケンスであることを特徴とする請求項７１に記載の方法。
【請求項７３】
前記第１指示情報は前記第１メッセージにおいて伝送される第１ＤＣＩにおける少なくとも１つのビットにより前記第１時間長さを示し、
前記ネットワーク装置が前記第１指示情報に基づいて前記第１時間長さを決定することは、
前記ネットワーク装置が前記少なくとも１つのビットに基づいて前記第１時間長さを決定することを含むことを特徴とする請求項７２に記載の方法。
【請求項７４】
前記第１指示情報は少なくとも１つの識別子シーケンスにより前記第１時間長さを示し、
前記ネットワーク装置が前記第１指示情報に基づいて前記第１時間長さを決定することは、
前記ネットワーク装置が前記少なくとも１つの識別子シーケンスに基づいて前記第１時間長さを決定することを含むことを特徴とする請求項７２に記載の方法。
【請求項７５】
前記第２指示情報は前記第１メッセージにおいて伝送される第２ＤＣＩにおける第１ビットにより前記第１時間長さ内にＰＤＣＣＨを監視するかどうかを示し、前記第１ビットが０である場合、前記第１時間長さ内にＰＤＣＣＨを監視することを示し、前記第１ビットが１である場合、前記第１時間長さ内にＰＤＣＣＨを監視する必要がないことを示し、
前記ネットワーク装置が前記第２指示情報に基づいて、前記第１時間長さ内に前記端末装置に対するＰＤＣＣＨを送信するかどうかを決定することは、
前記第１ビットが０である場合、前記ネットワーク装置は前記第１ビットに基づいて、前記第１時間長さ内に前記端末装置に対するＰＤＣＣＨを送信することを決定すること、又は、
前記第１ビットが１である場合、前記ネットワーク装置は前記第１ビットに基づいて、前記第１時間長さ内に前記端末装置に対するＰＤＣＣＨを送信する必要がないことを決定することを含むことを特徴とする請求項７２〜７４のいずれか１項に記載の方法。
【請求項７６】
前記第２指示情報は第１識別子シーケンスにより前記第１時間長さ内にＰＤＣＣＨを監視することを示し、且つ第２識別子シーケンスにより前記第１時間長さ内にＰＤＣＣＨを監視する必要がないことを示し、
前記ネットワーク装置が前記第２指示情報に基づいて、前記第１時間長さ内に前記端末装置に対するＰＤＣＣＨを送信するかどうかを決定することは、
前記第１メッセージが前記第１識別子シーケンスを含む場合、前記ネットワーク装置は前記第１識別子シーケンスに基づいて、前記第１時間長さ内に前記端末装置に対するＰＤＣＣＨを送信することを決定すること、又は、
前記第１メッセージが前記第２識別子シーケンスを含む場合、前記ネットワーク装置は前記第２識別子シーケンスに基づいて、前記第１時間長さ内に前記端末装置に対するＰＤＣＣＨを送信する必要がないことを決定することを含むことを特徴とする請求項７２〜７４のいずれか１項に記載の方法。
【請求項７７】
前記第１メッセージは前記第１時間長さを示し、且つ前記第１時間長さ内にＰＤＣＣＨを監視するかどうかを示し、前記第１メッセージは第１パラメータと前記第１時間長さとの数値関係を示すことにより前記第１時間長さを示し、前記第１パラメータはＤＲＸパラメータ又は第１時間パラメータである場合、
前記ネットワーク装置が前記第１メッセージに基づいて、前記端末装置に対するＰＤＣＣＨを送信することは、
前記ネットワーク装置は前記第１メッセージ及び前記第１パラメータに基づいて前記第１時間長さを決定し、且つ前記第１メッセージに基づいて、前記第１時間長さ内に前記端末装置に対するＰＤＣＣＨを送信するかどうかを決定することを含むことを特徴とする請求項５４〜５６のいずれか１項に記載の方法。
【請求項７８】
前記第１パラメータがＤＲＸパラメータである場合、前記第１パラメータはＤＲＸアクティブ期間タイマー、ＤＲＸディアクティブ期間タイマー、ロングＤＲＸ周期、ショートＤＲＸ周期のうちの１つであることを特徴とする請求項７７に記載の方法。
【請求項７９】
前記方法は更に、
前記ネットワーク装置がＲＲＣシグナリング又はＭＡＣ  ＣＥシグナリングにより前記端末装置に前記第１パラメータを送信することを含むことを特徴とする請求項７７又は７８に記載の方法。
【請求項８０】
前記方法は更に、
前記ネットワーク装置がＲＲＣシグナリング又はＭＡＣ  ＣＥシグナリングにより前記端末装置に前記第１時間パラメータを送信することを含むことを特徴とする請求項７７〜７９のいずれか１項に記載の方法。
【請求項８１】
前記第１メッセージは、前記第１パラメータと前記第１時間長さとの数値関係を示すことにより前記第１時間長さを示す第１指示情報と、前記第１時間長さ内にＰＤＣＣＨを監視するかどうかを示す第２指示情報とを含み、
前記ネットワーク装置が前記第１メッセージ及び前記第１パラメータに基づいて前記第１時間長さを決定し、且つ前記第１時間長さ内に前記端末装置に対するＰＤＣＣＨを送信するかどうかを決定することは、
前記ネットワーク装置は前記第１指示情報及び前記第１パラメータに基づいて前記第１時間長さを決定し、且つ前記第２指示情報に基づいて、前記第１時間長さ内に前記端末装置に対するＰＤＣＣＨを送信するかどうかを決定することを含むことを特徴とする請求項７７〜８０のいずれか１項に記載の方法。
【請求項８２】
前記第１メッセージはＰＤＣＣＨ及び／又は識別子シーケンスであることを特徴とする請求項８１に記載の方法。
【請求項８３】
前記第１指示情報は前記第１メッセージにおいて伝送される第１ＤＣＩにおける少なくとも１つのビットにより、前記第１パラメータと前記第１時間長さとの数値関係を示すことにより前記第１時間長さを示し、
前記ネットワーク装置が前記第１指示情報及び前記第１パラメータに基づいて前記第１時間長さを決定することは、
前記ネットワーク装置が前記少なくとも１つのビット及び前記第１パラメータに基づいて前記第１時間長さを決定することを含むことを特徴とする請求項８２に記載の方法。
【請求項８４】
前記第１指示情報は少なくとも１つの識別子シーケンスにより、前記第１パラメータと前記第１時間長さとの数値関係を示すことにより前記第１時間長さを示し、
前記ネットワーク装置が前記第１指示情報及び前記第１パラメータに基づいて前記第１時間長さを決定することは、
前記ネットワーク装置が前記少なくとも１つの識別子シーケンス及び前記第１パラメータに基づいて前記第１時間長さを決定することを含むことを特徴とする請求項８２に記載の方法。
【請求項８５】
前記第２指示情報は前記第１メッセージにおいて伝送される第２ＤＣＩにおける第１ビットにより前記第１時間長さ内にＰＤＣＣＨを監視するかどうかを示し、前記第１ビットが０である場合、前記第１時間長さ内にＰＤＣＣＨを監視することを示し、前記第１ビットが１である場合、前記第１時間長さ内にＰＤＣＣＨを監視する必要がないことを示し、
前記ネットワーク装置が前記第２指示情報に基づいて、前記第１時間長さ内に前記端末装置に対するＰＤＣＣＨを送信するかどうかを決定することは、
前記第１ビットが０である場合、前記ネットワーク装置は前記第１ビットに基づいて、前記第１時間長さ内に前記端末装置に対するＰＤＣＣＨを送信することを決定すること、又は、
前記第１ビットが１である場合、前記ネットワーク装置は前記第１ビットに基づいて、前記第１時間長さ内に前記端末装置に対するＰＤＣＣＨを送信する必要がないことを決定することを含むことを特徴とする請求項８２〜８４のいずれか１項に記載の方法。
【請求項８６】
前記第２指示情報は第１識別子シーケンスにより前記第１時間長さ内にＰＤＣＣＨを監視することを示し、且つ第２識別子シーケンスにより前記第１時間長さ内にＰＤＣＣＨを監視する必要がないことを示し、
前記ネットワーク装置が前記第２指示情報に基づいて、前記第１時間長さ内に前記端末装置に対するＰＤＣＣＨを送信するかどうかを決定することは、
前記第１メッセージが前記第１識別子シーケンスを含む場合、前記ネットワーク装置は前記第１識別子シーケンスに基づいて、前記第１時間長さ内に前記端末装置に対するＰＤＣＣＨを送信することを決定すること、又は、
前記第１メッセージが前記第２識別子シーケンスを含む場合、前記ネットワーク装置は前記第２識別子シーケンスに基づいて、前記第１時間長さ内に前記端末装置に対するＰＤＣＣＨを送信する必要がないことを決定することを含むことを特徴とする請求項８２〜８４のいずれか１項に記載の方法。
【請求項８７】
前記第１時間長さの単位はスロット又はミリ秒であることを特徴とする請求項５４〜８６のいずれか１項に記載の方法。
【請求項８８】
前記第１時間長さの単位がスロットである場合、前記第１メッセージは第３指示情報を含み、前記第３指示情報は前記第１時間長さに対応するサブキャリア間隔を示し、又は前記第１時間長さに対応するサブキャリア間隔が、ＰＤＣＣＨに対応するサブキャリア間隔に一致することを示すことを特徴とする請求項８７に記載の方法。
【請求項８９】
前記端末装置はＲＲＣ接続状態にあることを特徴とする請求項５４〜８８のいずれか１項に記載の方法。
【請求項９０】
ＰＤＣＣＨの監視方法であって、
ネットワーク装置が第１メッセージを端末装置に送信し、前記第１メッセージは第１パラメータと第１時間長さとの数値関係を示し、前記第１パラメータは間欠受信（ＤＲＸ）パラメータ又は第１時間パラメータであることを含むことを特徴とするＰＤＣＣＨの監視方法。
【請求項９１】
前記第１パラメータがＤＲＸパラメータである場合、前記第１パラメータはＤＲＸアクティブ期間タイマー、ＤＲＸディアクティブ期間タイマー、ロングＤＲＸ周期、ショートＤＲＸ周期のうちの１つであることを特徴とする請求項９０に記載の方法。
【請求項９２】
前記方法は更に、
前記ネットワーク装置が無線リソース制御（ＲＲＣ）シグナリング又は媒体アクセス制御の制御要素（ＭＡＣ  ＣＥ）シグナリングにより前記端末装置に前記第１パラメータを送信することを含むことを特徴とする請求項９０又は９１に記載の方法。
【請求項９３】
前記方法は更に、
前記ネットワーク装置がＲＲＣシグナリング又はＭＡＣ  ＣＥシグナリングにより前記端末装置に前記第１時間パラメータを送信することを含むことを特徴とする請求項９０〜９２のいずれか１項に記載の方法。
【請求項９４】
前記ネットワーク装置が端末装置に第１メッセージを送信することは、
前記ネットワーク装置が前記端末装置に前記第１メッセージを周期的に送信することを含むことを特徴とする請求項９０〜９３のいずれか１項に記載の方法。
【請求項９５】
前記ネットワーク装置が前記第１メッセージを送信する周期は前記端末装置がＰＤＣＣＨを監視する周期以上であることを特徴とする請求項９４に記載の方法。
【請求項９６】
前記第１メッセージはＰＤＣＣＨであり、
前記第１メッセージは前記第１メッセージにおいて伝送される第１ダウンリンク制御情報（ＤＣＩ）における少なくとも１つのビットにより前記第１パラメータと前記第１時間長さとの数値関係を示すことを特徴とする請求項９０〜９５のいずれか１項に記載の方法。
【請求項９７】
前記第１メッセージは識別子シーケンスであり、
前記第１メッセージは少なくとも１つの識別子シーケンスにより前記第１パラメータと前記第１時間長さとの数値関係を示すことを特徴とする請求項９０〜９５のいずれか１項に記載の方法。
【請求項９８】
前記第１時間長さの単位はスロット又はミリ秒であることを特徴とする請求項９０〜９７のいずれか１項に記載の方法。
【請求項９９】
前記第１時間長さの単位がスロットである場合、前記第１メッセージは第１指示情報を含み、前記第１指示情報は前記第１時間長さに対応するサブキャリア間隔を示し、又は前記第１時間長さに対応するサブキャリア間隔が、ＰＤＣＣＨに対応するサブキャリア間隔に一致することを示すことを特徴とする請求項９８に記載の方法。
【請求項１００】
前記端末装置はＲＲＣ接続状態にあることを特徴とする請求項９０〜９９のいずれか１項に記載の方法。
【請求項１０１】
端末装置であって、
ネットワーク装置から送信された第１メッセージを受信することに用いられ、前記第１メッセージは第１時間長さを示し、及び／又は、前記第１時間長さ内に物理ダウンリンク制御チャネル（ＰＤＣＣＨ）を監視するかどうかを示す通信ユニットと、
前記第１メッセージに基づいてＰＤＣＣＨを監視することに用いられる処理ユニットと、を備えることを特徴とする端末装置。
【請求項１０２】
前記通信ユニットは具体的に、
前記ネットワーク装置から送信された前記第１メッセージを周期的に受信することに用いられることを特徴とする請求項１０１に記載の端末装置。
【請求項１０３】
前記端末装置が前記第１メッセージを受信する周期は前記端末装置がＰＤＣＣＨを監視する周期以上であることを特徴とする請求項１０２に記載の端末装置。
【請求項１０４】
前記第１メッセージが前記第１時間長さを示す場合、
前記処理ユニットは具体的に、
前記第１メッセージに基づいて前記第１時間長さを決定し、且つ前記第１時間長さ内にＰＤＣＣＨを監視するかどうかを示す第１設定情報に基づいて、前記第１時間長さ内にＰＤＣＣＨを監視するかどうかを決定することに用いられることを特徴とする請求項１０１〜１０３のいずれか１項に記載の端末装置。
【請求項１０５】
前記処理ユニットは前記第１メッセージに基づいて前記第１時間長さを決定し、且つ第１設定情報に基づいて、前記第１時間長さ内にＰＤＣＣＨを監視するかどうかを決定する前に、前記通信ユニットは更に、前記ネットワーク装置が無線リソース制御（ＲＲＣ）シグナリングにより送信した前記第１設定情報を受信することに用いられることを特徴とする請求項１０４に記載の端末装置。
【請求項１０６】
前記第１設定情報は前記端末装置に予め設定されたものであることを特徴とする請求項１０５に記載の端末装置。
【請求項１０７】
前記第１メッセージはＰＤＣＣＨであり、
前記第１メッセージは前記第１メッセージにおいて伝送される第１ダウンリンク制御情報（ＤＣＩ）における少なくとも１つのビットにより前記第１時間長さを示し、
前記処理ユニットは具体的に、
前記少なくとも１つのビットに基づいて前記第１時間長さを決定することに用いられることを特徴とする請求項１０４〜１０６のいずれか１項に記載の端末装置。
【請求項１０８】
前記第１メッセージは識別子シーケンスであり、
前記第１メッセージは少なくとも１つの識別子シーケンスにより前記第１時間長さを示し、
前記処理ユニットは具体的に、
前記少なくとも１つの識別子シーケンスに基づいて前記第１時間長さを決定することに用いられることを特徴とする請求項１０４〜１０６のいずれか１項に記載の端末装置。
【請求項１０９】
前記第１メッセージが前記第１時間長さを示す場合、前記第１メッセージは第１パラメータと前記第１時間長さとの数値関係を示すことにより前記第１時間長さを示し、前記第１パラメータは間欠受信（ＤＲＸ）パラメータ又は第１時間パラメータであり、
前記処理ユニットは具体的に、
前記第１メッセージ及び前記第１パラメータに基づいて前記第１時間長さを決定し、且つ前記第１時間長さ内にＰＤＣＣＨを監視するかどうかを示す第１設定情報に基づいて、前記第１時間長さ内にＰＤＣＣＨを監視するかどうかを決定することに用いられることを特徴とする請求項１０１〜１０３のいずれか１項に記載の端末装置。
【請求項１１０】
前記第１パラメータがＤＲＸパラメータである場合、前記第１パラメータはＤＲＸアクティブ期間タイマー、ＤＲＸディアクティブ期間タイマー、ロングＤＲＸ周期、ショートＤＲＸ周期のうちの１つであることを特徴とする請求項１０９に記載の端末装置。
【請求項１１１】
前記通信ユニットは更に、前記ネットワーク装置がＲＲＣシグナリング又は媒体アクセス制御の制御要素（ＭＡＣ  ＣＥ）シグナリングにより送信した前記第１パラメータを受信することに用いられることを特徴とする請求項１１０に記載の端末装置。
【請求項１１２】
前記第１時間パラメータは予め設定されたもの、又は前記ネットワーク装置が通知したものであることを特徴とする請求項１０９〜１１１のいずれか１項に記載の端末装置。
【請求項１１３】
前記通信ユニットは更に、前記ネットワーク装置がＲＲＣシグナリング又はＭＡＣ  ＣＥシグナリングにより送信した前記第１設定情報を受信することに用いられることを特徴とする請求項１０９〜１１２のいずれか１項に記載の端末装置。
【請求項１１４】
前記第１設定情報は前記端末装置に予め設定されたものであることを特徴とする請求項１０９〜１１２のいずれか１項に記載の端末装置。
【請求項１１５】
前記第１メッセージはＰＤＣＣＨであり、
前記第１メッセージは前記第１メッセージにおいて伝送される第１ＤＣＩにおける少なくとも１つのビットにより、前記第１パラメータと前記第１時間長さとの数値関係を示すことにより前記第１時間長さを示し、
前記処理ユニットは具体的に、
前記少なくとも１つのビット及び前記第１パラメータに基づいて前記第１時間長さを決定することに用いられることを特徴とする請求項１０９〜１１４のいずれか１項に記載の端末装置。
【請求項１１６】
前記第１メッセージは識別子シーケンスであり、
前記第１メッセージは少なくとも１つの識別子シーケンスにより、第１パラメータと前記第１時間長さとの数値関係を示すことにより前記第１時間長さを示し、
前記処理ユニットは具体的に、
前記少なくとも１つの識別子シーケンス及び前記第１パラメータに基づいて前記第１時間長さを決定することに用いられることを特徴とする請求項１０９〜１１４のいずれか１項に記載の端末装置。
【請求項１１７】
前記第１メッセージは前記第１時間長さ内にＰＤＣＣＨを監視するかどうかを示す場合、
前記処理ユニットは具体的に、
前記第１時間長さを示す第２設定情報に基づいて前記第１時間長さを決定し、且つ前記第１メッセージに基づいて、前記第１時間長さ内にＰＤＣＣＨを監視するかどうかを決定することに用いられることを特徴とする請求項１０１〜１０３のいずれか１項に記載の端末装置。
【請求項１１８】
前記処理ユニットは第２設定情報に基づいて前記第１時間長さを決定し、且つ前記第１メッセージに基づいて、前記第１時間長さ内にＰＤＣＣＨを監視するかどうかを決定する前に、前記通信ユニットは更に、前記ネットワーク装置がＲＲＣシグナリングにより送信した前記第２設定情報を受信することに用いられることを特徴とする請求項１１７に記載の端末装置。
【請求項１１９】
前記第２設定情報は前記端末装置に予め設定されたものであることを特徴とする請求項１１８に記載の端末装置。
【請求項１２０】
前記第１メッセージはＰＤＣＣＨであり、
前記第１メッセージは前記第１メッセージにおいて伝送される第１ＤＣＩにおける第１ビットにより前記第１時間長さ内にＰＤＣＣＨを監視するかどうかを示し、
前記第１ビットが０である場合、前記第１時間長さ内にＰＤＣＣＨを監視することを示し、前記第１ビットが１である場合、前記第１時間長さ内にＰＤＣＣＨを監視する必要がないことを示し、
前記処理ユニットは具体的に、
前記第１ビットが０である場合、前記第１ビットに基づいて、前記第１時間長さ内にＰＤＣＣＨを監視することを決定すること、又は、
前記第１ビットが１である場合、前記第１ビットに基づいて、前記第１時間長さ内にＰＤＣＣＨを監視する必要がないことを決定することに用いられることを特徴とする請求項１１７〜１１９のいずれか１項に記載の端末装置。
【請求項１２１】
前記第１メッセージは識別子シーケンスであり、
前記第１メッセージは第１識別子シーケンスにより前記第１時間長さ内にＰＤＣＣＨを監視することを示し、且つ第２識別子シーケンスにより前記第１時間長さ内にＰＤＣＣＨを監視する必要がないことを示し、
前記処理ユニットは具体的に、
前記第１メッセージが前記第１識別子シーケンスを含む場合、前記第１識別子シーケンスに基づいて、前記第１時間長さ内にＰＤＣＣＨを監視することを決定すること、又は、
前記第１メッセージが前記第２識別子シーケンスを含む場合、前記第２識別子シーケンスに基づいて、前記第１時間長さ内にＰＤＣＣＨを監視する必要がないことを決定することに用いられることを特徴とする請求項１１７〜１１９のいずれか１項に記載の端末装置。
【請求項１２２】
前記第１メッセージは前記第１時間長さを示し、且つ前記第１時間長さ内にＰＤＣＣＨを監視するかどうかを示す場合、
前記処理ユニットは具体的に、
前記第１メッセージに基づいて前記第１時間長さを決定し、且つ前記第１時間長さ内にＰＤＣＣＨを監視するかどうかを決定することに用いられることを特徴とする請求項１０１〜１０３のいずれか１項に記載の端末装置。
【請求項１２３】
前記第１メッセージは、前記第１時間長さを示す第１指示情報と、前記第１時間長さ内にＰＤＣＣＨを監視するかどうかを示す第２指示情報とを含み、
前記処理ユニットは具体的に、
前記第１指示情報に基づいて前記第１時間長さを決定し、且つ前記第２指示情報に基づいて、前記第１時間長さ内にＰＤＣＣＨを監視するかどうかを決定することに用いられることを特徴とする請求項１２２に記載の端末装置。
【請求項１２４】
前記第１メッセージはＰＤＣＣＨ及び／又は識別子シーケンスであることを特徴とする請求項１２３に記載の端末装置。
【請求項１２５】
前記第１指示情報は前記第１メッセージにおいて伝送される第１ＤＣＩにおける少なくとも１つのビットにより前記第１時間長さを示し、
前記処理ユニットは具体的に、
前記少なくとも１つのビットに基づいて前記第１時間長さを決定することに用いられることを特徴とする請求項１２４に記載の端末装置。
【請求項１２６】
前記第１指示情報は少なくとも１つの識別子シーケンスにより前記第１時間長さを示し、
前記処理ユニットは具体的に、
前記少なくとも１つの識別子シーケンスに基づいて前記第１時間長さを決定することに用いられることを特徴とする請求項１２４に記載の端末装置。
【請求項１２７】
前記第２指示情報は前記第１メッセージにおいて伝送される第２ＤＣＩにおける第１ビットにより前記第１時間長さ内にＰＤＣＣＨを監視するかどうかを示し、前記第１ビットが０である場合、前記第１時間長さ内にＰＤＣＣＨを監視することを示し、前記第１ビットが１である場合、前記第１時間長さ内にＰＤＣＣＨを監視する必要がないことを示し、
前記処理ユニットは具体的に、
前記第１ビットが０である場合、前記第１ビットに基づいて、前記第１時間長さ内にＰＤＣＣＨを監視することを決定すること、又は、
前記第１ビットが１である場合、前記第１ビットに基づいて、前記第１時間長さ内にＰＤＣＣＨを監視する必要がないことを決定することに用いられることを特徴とする請求項１２４〜１２６のいずれか１項に記載の端末装置。
【請求項１２８】
前記第２指示情報は第１識別子シーケンスにより前記第１時間長さ内にＰＤＣＣＨを監視することを示し、且つ第２識別子シーケンスにより前記第１時間長さ内にＰＤＣＣＨを監視する必要がないことを示し、
前記処理ユニットは具体的に、
前記第１メッセージが前記第１識別子シーケンスを含む場合、前記第１識別子シーケンスに基づいて、前記第１時間長さ内にＰＤＣＣＨを監視することを決定すること、又は、
前記第１メッセージが前記第２識別子シーケンスを含む場合、前記第２識別子シーケンスに基づいて、前記第１時間長さ内にＰＤＣＣＨを監視する必要がないことを決定することに用いられることを特徴とする請求項１２４〜１２６のいずれか１項に記載の端末装置。
【請求項１２９】
前記第１メッセージは前記第１時間長さを示し、且つ前記第１時間長さ内にＰＤＣＣＨを監視するかどうかを示し、前記第１メッセージは第１パラメータと前記第１時間長さとの数値関係を示すことにより前記第１時間長さを示し、前記第１パラメータはＤＲＸパラメータ又は第１時間パラメータである場合、
前記処理ユニットは具体的に、
前記第１メッセージ及び前記第１パラメータに基づいて前記第１時間長さを決定し、且つ前記第１メッセージに基づいて、前記第１時間長さ内にＰＤＣＣＨを監視するかどうかを決定することに用いられることを特徴とする請求項１０１〜１０３のいずれか１項に記載の端末装置。
【請求項１３０】
前記第１パラメータがＤＲＸパラメータである場合、前記第１パラメータはＤＲＸアクティブ期間タイマー、ＤＲＸディアクティブ期間タイマー、ロングＤＲＸ周期、ショートＤＲＸ周期のうちの１つであることを特徴とする請求項１２９に記載の端末装置。
【請求項１３１】
前記通信ユニットは更に、前記ネットワーク装置がＲＲＣシグナリング又はＭＡＣ  ＣＥシグナリングにより送信した前記第１パラメータを受信することに用いられることを特徴とする請求項１２９又は１３０に記載の端末装置。
【請求項１３２】
前記第１時間パラメータは予め設定されたもの、又は前記ネットワーク装置が通知したものであることを特徴とする請求項１２９〜１３１のいずれか１項に記載の端末装置。
【請求項１３３】
前記第１メッセージは、前記第１パラメータと前記第１時間長さとの数値関係を示すことにより前記第１時間長さを示す第１指示情報と、前記第１時間長さ内にＰＤＣＣＨを監視するかどうかを示す第２指示情報とを含み、
前記処理ユニットは具体的に、
前記第１指示情報及び前記第１パラメータに基づいて前記第１時間長さを決定し、且つ前記第２指示情報に基づいて、前記第１時間長さ内にＰＤＣＣＨを監視するかどうかを決定することに用いられることを特徴とする請求項１２９〜１３２のいずれか１項に記載の端末装置。
【請求項１３４】
前記第１メッセージはＰＤＣＣＨ及び／又は識別子シーケンスであることを特徴とする請求項１３３に記載の端末装置。
【請求項１３５】
前記第１指示情報は前記第１メッセージにおいて伝送される第１ＤＣＩにおける少なくとも１つのビットにより、前記第１パラメータと前記第１時間長さとの数値関係を示すことにより前記第１時間長さを示し、
前記処理ユニットは具体的に、
前記少なくとも１つのビット及び前記第１パラメータに基づいて前記第１時間長さを決定することに用いられることを特徴とする請求項１３４に記載の端末装置。
【請求項１３６】
前記第１指示情報は少なくとも１つの識別子シーケンスにより前記第１パラメータと前記第１時間長さとの数値関係を示すことにより前記第１時間長さを示し、
前記処理ユニットは具体的に、
前記少なくとも１つの識別子シーケンス及び前記第１パラメータに基づいて前記第１時間長さを決定することに用いられることを特徴とする請求項１３４に記載の端末装置。
【請求項１３７】
前記第２指示情報は前記第１メッセージにおいて伝送される第２ＤＣＩにおける第１ビットにより前記第１時間長さ内にＰＤＣＣＨを監視するかどうかを示し、前記第１ビットが０である場合、前記第１時間長さ内にＰＤＣＣＨを監視することを示し、前記第１ビットが１である場合、前記第１時間長さ内にＰＤＣＣＨを監視する必要がないことを示し、
前記処理ユニットは具体的に、
前記第１ビットが０である場合、前記第１ビットに基づいて、前記第１時間長さ内にＰＤＣＣＨを監視することを決定すること、又は、
前記第１ビットが１である場合、前記第１ビットに基づいて、前記第１時間長さ内にＰＤＣＣＨを監視する必要がないことを決定することに用いられることを特徴とする請求項１３４〜１３６のいずれか１項に記載の端末装置。
【請求項１３８】
前記第２指示情報は第１識別子シーケンスにより前記第１時間長さ内にＰＤＣＣＨを監視することを示し、且つ第２識別子シーケンスにより前記第１時間長さ内にＰＤＣＣＨを監視する必要がないことを示し、
前記処理ユニットは具体的に、
前記第１メッセージが前記第１識別子シーケンスを含む場合、前記第１識別子シーケンスに基づいて、前記第１時間長さ内にＰＤＣＣＨを監視することを決定すること、又は、
前記第１メッセージが前記第２識別子シーケンスを含む場合、前記第２識別子シーケンスに基づいて、前記第１時間長さ内にＰＤＣＣＨを監視する必要がないことを決定することに用いられることを特徴とする請求項１３４〜１３６のいずれか１項に記載の端末装置。
【請求項１３９】
前記第１時間長さの単位はスロット又はミリ秒であることを特徴とする請求項１０１〜１３８のいずれか１項に記載の端末装置。
【請求項１４０】
前記第１時間長さの単位がスロットである場合、前記第１メッセージは第３指示情報を含み、前記第３指示情報は前記第１時間長さに対応するサブキャリア間隔を示し、又は前記第１時間長さに対応するサブキャリア間隔が、ＰＤＣＣＨに対応するサブキャリア間隔に一致することを示すことを特徴とする請求項１３９に記載の端末装置。
【請求項１４１】
前記端末装置はＲＲＣ接続状態にあることを特徴とする請求項１０１〜１４０のいずれか１項に記載の端末装置。
【請求項１４２】
端末装置であって、
第１パラメータと第１時間長さとの数値関係を示す第１メッセージと、間欠受信（ＤＲＸ）パラメータ又は第１時間パラメータである第１パラメータとに基づいて、前記第１時間長さを決定することに用いられる処理ユニットと、
前記第１時間長さ内に物理ダウンリンク制御チャネル（ＰＤＣＣＨ）を監視することを無視することに用いられる通信ユニットと、を備えることを特徴とする端末装置。
【請求項１４３】
前記第１パラメータがＤＲＸパラメータである場合、前記第１パラメータはＤＲＸアクティブ期間タイマー、ＤＲＸディアクティブ期間タイマー、ロングＤＲＸ周期、ショートＤＲＸ周期のうちの１つであることを特徴とする請求項１４２に記載の端末装置。
【請求項１４４】
前記通信ユニットは更に、ネットワーク装置が無線リソース制御（ＲＲＣ）シグナリング又は媒体アクセス制御の制御要素（ＭＡＣ  ＣＥ）シグナリングにより送信した前記第１パラメータを受信することに用いられることを特徴とする請求項１４３に記載の端末装置。
【請求項１４５】
前記第１時間パラメータは予め設定されたもの、又はネットワーク装置が通知したものであることを特徴とする請求項１４２〜１４４のいずれか１項に記載の端末装置。
【請求項１４６】
前記通信ユニットは更に、ネットワーク装置から送信された前記第１メッセージを受信することに用いられることを特徴とする請求項１４２〜１４５のいずれか１項に記載の端末装置。
【請求項１４７】
前記通信ユニットは具体的に、
前記ネットワーク装置から送信された前記第１メッセージを周期的に受信することに用いられることを特徴とする請求項１４６に記載の端末装置。
【請求項１４８】
前記通信ユニットが前記第１メッセージを受信する周期は前記通信ユニットがＰＤＣＣＨを監視する周期以上であることを特徴とする請求項１４７に記載の端末装置。
【請求項１４９】
前記第１メッセージはＰＤＣＣＨであり、
前記第１メッセージは前記第１メッセージにおいて伝送される第１ダウンリンク制御情報（ＤＣＩ）における少なくとも１つのビットにより前記第１パラメータと前記第１時間長さとの数値関係を示し、
前記処理ユニットは具体的に、
前記少なくとも１つのビット及び前記第１パラメータに基づいて前記第１時間長さを決定することに用いられることを特徴とする請求項１４２〜１４８のいずれか１項に記載の端末装置。
【請求項１５０】
前記第１メッセージは識別子シーケンスであり、
前記第１メッセージは少なくとも１つの識別子シーケンスにより前記第１パラメータと前記第１時間長さとの数値関係を示し、
前記処理ユニットは具体的に、
前記少なくとも１つの識別子シーケンス及び前記第１パラメータに基づいて前記第１時間長さを決定することに用いられることを特徴とする請求項１４２〜１４８のいずれか１項に記載の端末装置。
【請求項１５１】
前記第１時間長さの単位はスロット又はミリ秒であることを特徴とする請求項１４２〜１５０のいずれか１項に記載の端末装置。
【請求項１５２】
前記第１時間長さの単位がスロットである場合、前記第１メッセージは第１指示情報を含み、前記第１指示情報は前記第１時間長さに対応するサブキャリア間隔を示し、又は前記第１時間長さに対応するサブキャリア間隔が、ＰＤＣＣＨに対応するサブキャリア間隔に一致することを示すことを特徴とする請求項１５１に記載の端末装置。
【請求項１５３】
前記端末装置はＲＲＣ接続状態にあることを特徴とする請求項１４２〜１５２のいずれか１項に記載の端末装置。
【請求項１５４】
ネットワーク装置であって、
第１メッセージを端末装置に送信することに用いられ、前記第１メッセージは第１時間長さを示し、及び／又は、前記第１時間長さ内に物理ダウンリンク制御チャネル（ＰＤＣＣＨ）を監視するかどうかを示す通信ユニットを備え、
前記通信ユニットは更に、前記第１メッセージに基づいて前記端末装置に対するＰＤＣＣＨを送信することに用いられることを特徴とするネットワーク装置。
【請求項１５５】
前記通信ユニットは具体的に、
前記端末装置に前記第１メッセージを周期的に送信することに用いられることを特徴とする請求項１５４に記載のネットワーク装置。
【請求項１５６】
前記ネットワーク装置が前記第１メッセージを送信する周期は前記端末装置がＰＤＣＣＨを監視する周期以上であることを特徴とする請求項１５５に記載のネットワーク装置。
【請求項１５７】
前記第１メッセージが前記第１時間長さを示す場合、前記通信ユニットは更に、無線リソース制御（ＲＲＣ）シグナリングにより第１設定情報を前記端末装置に送信することに用いられ、前記第１設定情報は前記第１時間長さ内にＰＤＣＣＨを監視するかどうかを示す、
前記ネットワーク装置は更に、
前記第１メッセージに基づいて前記第１時間長さを決定し、且つ第１設定情報に基づいて、前記第１時間長さ内に前記端末装置に対するＰＤＣＣＨを送信するかどうかを決定することに用いられる処理ユニットを備えることを特徴とする請求項１５４〜１５６のいずれか１項に記載のネットワーク装置。
【請求項１５８】
前記第１メッセージはＰＤＣＣＨであり、
前記第１メッセージは前記第１メッセージにおいて伝送される第１ダウンリンク制御情報（ＤＣＩ）における少なくとも１つのビットにより前記第１時間長さを示し、
前記処理ユニットは具体的に、
前記少なくとも１つのビットに基づいて前記第１時間長さを決定することに用いられることを特徴とする請求項１５７に記載のネットワーク装置。
【請求項１５９】
前記第１メッセージは識別子シーケンスであり、
前記第１メッセージは少なくとも１つの識別子シーケンスにより前記第１時間長さを示し、
前記処理ユニットは具体的に、
前記少なくとも１つの識別子シーケンスに基づいて前記第１時間長さを決定することに用いられることを特徴とする請求項１５８に記載のネットワーク装置。
【請求項１６０】
前記第１メッセージが前記第１時間長さを示す場合、前記第１メッセージは第１パラメータと前記第１時間長さとの数値関係を示すことにより前記第１時間長さを示し、前記第１パラメータは間欠受信（ＤＲＸ）パラメータ又は第１時間パラメータであり、
前記通信ユニットは更に、ＲＲＣシグナリングにより第１設定情報を前記端末装置に送信することに用いられ、前記第１設定情報は前記第１時間長さ内にＰＤＣＣＨを監視するかどうかを示し、
前記ネットワーク装置は更に、
前記第１メッセージ及び前記第１パラメータに基づいて前記第１時間長さを決定し、且つ前記第１設定情報に基づいて、前記第１時間長さ内に前記端末装置に対するＰＤＣＣＨを送信するかどうかを決定することに用いられる処理ユニットを備えることを特徴とする請求項１５４〜１５６のいずれか１項に記載のネットワーク装置。
【請求項１６１】
前記第１パラメータがＤＲＸパラメータである場合、前記第１パラメータはＤＲＸアクティブ期間タイマー、ＤＲＸディアクティブ期間タイマー、ロングＤＲＸ周期、ショートＤＲＸ周期のうちの１つであることを特徴とする請求項１６０に記載のネットワーク装置。
【請求項１６２】
前記通信ユニットは更に、ＲＲＣシグナリング又は媒体アクセス制御の制御要素（ＭＡＣ  ＣＥ）シグナリングにより前記端末装置に前記第１パラメータを送信することに用いられることを特徴とする請求項１６０又は１６１に記載のネットワーク装置。
【請求項１６３】
前記通信ユニットは更に、ＲＲＣシグナリング又はＭＡＣ  ＣＥシグナリングにより前記端末装置に前記第１時間パラメータを送信することに用いられることを特徴とする請求項１６０〜１６２のいずれか１項に記載のネットワーク装置。
【請求項１６４】
前記通信ユニットは更に、ＲＲＣシグナリング又はＭＡＣ  ＣＥシグナリングにより前記端末装置に前記第１設定情報を送信することに用いられることを特徴とする請求項１６０〜１６３のいずれか１項に記載のネットワーク装置。
【請求項１６５】
前記第１メッセージはＰＤＣＣＨであり、
前記第１メッセージは前記第１メッセージにおいて伝送される第１ダウンリンク制御情報（ＤＣＩ）における少なくとも１つのビットにより、前記第１パラメータと前記第１時間長さとの数値関係を示すことにより前記第１時間長さを示し、
前記処理ユニットは具体的に、
前記少なくとも１つのビット及び前記第１パラメータに基づいて前記第１時間長さを決定することに用いられることを特徴とする請求項１６０〜１６４のいずれか１項に記載のネットワーク装置。
【請求項１６６】
前記第１メッセージは識別子シーケンスであり、
前記第１メッセージは少なくとも１つの識別子シーケンスにより、前記第１パラメータと前記第１時間長さとの数値関係を示すことにより前記第１時間長さを示し、
前記処理ユニットは具体的に、
前記少なくとも１つの識別子シーケンス及び前記第１パラメータに基づいて前記第１時間長さを決定することに用いられることを特徴とする請求項１６０〜１６５のいずれか１項に記載のネットワーク装置。
【請求項１６７】
前記第１メッセージは前記第１時間長さ内にＰＤＣＣＨを監視するかどうかを示す場合、前記通信ユニットは更に、ＲＲＣシグナリングにより、前記第１時間長さを示す第２設定情報を前記端末装置に送信することに用いられ、
前記処理ユニットは具体的に、
第２設定情報に基づいて前記第１時間長さを決定し、且つ前記第１メッセージに基づいて、前記第１時間長さ内に前記端末装置に対するＰＤＣＣＨを送信するかどうかを決定することに用いられることを特徴とする請求項１５４〜１５６のいずれか１項に記載のネットワーク装置。
【請求項１６８】
前記第１メッセージはＰＤＣＣＨであり、
前記第１メッセージは前記第１メッセージにおいて伝送される第１ＤＣＩにおける第１ビットにより、前記第１時間長さ内にＰＤＣＣＨを監視するかどうかを示し、
前記第１ビットが０である場合、前記第１時間長さ内にＰＤＣＣＨを監視することを示し、前記第１ビットが１である場合、前記第１時間長さ内にＰＤＣＣＨを監視する必要がないことを示し、
前記処理ユニットは具体的に、
前記第１ビットが０である場合、前記第１ビットに基づいて、前記第１時間長さ内に前記端末装置に対するＰＤＣＣＨを送信することを決定すること、又は、
前記第１ビットが１である場合、前記第１ビットに基づいて、前記第１時間長さ内に前記端末装置に対するＰＤＣＣＨを送信する必要がないことを決定することに用いられることを特徴とする請求項１６７に記載のネットワーク装置。
【請求項１６９】
前記第１メッセージは識別子シーケンスであり、
前記第１メッセージは第１識別子シーケンスにより前記第１時間長さ内にＰＤＣＣＨを監視することを示し、且つ第２識別子シーケンスにより前記第１時間長さ内にＰＤＣＣＨを監視する必要がないことを示し、
前記処理ユニットは具体的に、
前記第１メッセージが前記第１識別子シーケンスを含む場合、前記第１識別子シーケンスに基づいて、前記第１時間長さ内に前記端末装置に対するＰＤＣＣＨを送信することを決定すること、又は、
前記第１メッセージが前記第２識別子シーケンスを含む場合、前記第２識別子シーケンスに基づいて、前記第１時間長さ内に前記端末装置に対するＰＤＣＣＨを送信する必要がないことを決定することに用いられることを特徴とする請求項１６７に記載のネットワーク装置。
【請求項１７０】
前記第１メッセージは前記第１時間長さを示し、且つ前記第１時間長さ内にＰＤＣＣＨを監視するかどうかを示す場合、
前記処理ユニットは具体的に、
前記第１メッセージに基づいて前記第１時間長さを決定し、且つ前記第１時間長さ内に前記端末装置に対するＰＤＣＣＨを送信するかどうかを決定することに用いられることを特徴とする請求項１５４〜１５６のいずれか１項に記載のネットワーク装置。
【請求項１７１】
前記第１メッセージは、前記第１時間長さを示す第１指示情報と、前記第１時間長さ内にＰＤＣＣＨを監視するかどうかを示す第２指示情報とを含み、
前記処理ユニットは具体的に、
前記第１指示情報に基づいて前記第１時間長さを決定し、且つ前記第２指示情報に基づいて、前記第１時間長さ内に前記端末装置に対するＰＤＣＣＨを送信するかどうかを決定することに用いられることを特徴とする請求項１７０に記載のネットワーク装置。
【請求項１７２】
前記第１メッセージはＰＤＣＣＨ及び／又は識別子シーケンスであることを特徴とする請求項１７１に記載のネットワーク装置。
【請求項１７３】
前記第１指示情報は前記第１メッセージにおいて伝送される第１ＤＣＩにおける少なくとも１つのビットにより前記第１時間長さを示し、
前記処理ユニットは具体的に、
前記少なくとも１つのビットに基づいて前記第１時間長さを決定することに用いられることを特徴とする請求項１７２に記載のネットワーク装置。
【請求項１７４】
前記第１指示情報は少なくとも１つの識別子シーケンスにより前記第１時間長さを示し、
前記処理ユニットは具体的に、
前記少なくとも１つの識別子シーケンスに基づいて前記第１時間長さを決定することに用いられることを特徴とする請求項１７２に記載のネットワーク装置。
【請求項１７５】
前記第２指示情報は前記第１メッセージにおいて伝送される第２ＤＣＩにおける第１ビットにより前記第１時間長さ内にＰＤＣＣＨを監視するかどうかを示し、前記第１ビットが０である場合、前記第１時間長さ内にＰＤＣＣＨを監視することを示し、前記第１ビットが１である場合、前記第１時間長さ内にＰＤＣＣＨを監視する必要がないことを示し、
前記処理ユニットは具体的に、
前記第１ビットが０である場合、前記第１ビットに基づいて、前記第１時間長さ内に前記端末装置に対するＰＤＣＣＨを送信することを決定すること、又は、
前記第１ビットが１である場合、前記第１ビットに基づいて、前記第１時間長さ内に前記端末装置に対するＰＤＣＣＨを送信する必要がないことを決定することに用いられることを特徴とする請求項１７２〜１７４のいずれか１項に記載のネットワーク装置。
【請求項１７６】
前記第２指示情報は第１識別子シーケンスにより前記第１時間長さ内にＰＤＣＣＨを監視することを示し、且つ第２識別子シーケンスにより前記第１時間長さ内にＰＤＣＣＨを監視する必要がないことを示し、
前記処理ユニットは具体的に、
前記第１メッセージが前記第１識別子シーケンスを含む場合、前記第１識別子シーケンスに基づいて、前記第１時間長さ内に前記端末装置に対するＰＤＣＣＨを送信することを決定すること、又は、
前記第１メッセージが前記第２識別子シーケンスを含む場合、前記第２識別子シーケンスに基づいて、前記第１時間長さ内に前記端末装置に対するＰＤＣＣＨを送信する必要がないことを決定することに用いられることを特徴とする請求項１７２〜１７４のいずれか１項に記載のネットワーク装置。
【請求項１７７】
前記第１メッセージは前記第１時間長さを示し、且つ前記第１時間長さ内にＰＤＣＣＨを監視するかどうかを示し、前記第１メッセージは第１パラメータと前記第１時間長さとの数値関係を示すことにより前記第１時間長さを示し、前記第１パラメータはＤＲＸパラメータ又は第１時間パラメータである場合、
前記ネットワーク装置は更に、
前記第１メッセージ及び前記第１パラメータに基づいて前記第１時間長さを決定し、且つ前記第１メッセージに基づいて、前記第１時間長さ内に前記端末装置に対するＰＤＣＣＨを送信するかどうかを決定することに用いられる処理ユニットを備えることを特徴とする請求項１５４〜１５６のいずれか１項に記載のネットワーク装置。
【請求項１７８】
前記第１パラメータがＤＲＸパラメータである場合、前記第１パラメータはＤＲＸアクティブ期間タイマー、ＤＲＸディアクティブ期間タイマー、ロングＤＲＸ周期、ショートＤＲＸ周期のうちの１つであることを特徴とする請求項１７７に記載のネットワーク装置。
【請求項１７９】
前記通信ユニットは更に、ＲＲＣシグナリング又はＭＡＣ  ＣＥシグナリングにより前記端末装置に前記第１パラメータを送信することに用いられることを特徴とする請求項１７７又は１７８に記載のネットワーク装置。
【請求項１８０】
前記通信ユニットは更に、ＲＲＣシグナリング又はＭＡＣ  ＣＥシグナリングにより前記端末装置に前記第１時間パラメータを送信することに用いられることを特徴とする請求項１７７〜１７９のいずれか１項に記載のネットワーク装置。
【請求項１８１】
前記第１メッセージは、前記第１パラメータと前記第１時間長さとの数値関係を示すことにより前記第１時間長さを示す第１指示情報と、前記第１時間長さ内にＰＤＣＣＨを監視するかどうかを示す第２指示情報とを含み、
前記処理ユニットは具体的に、
前記第１指示情報及び前記第１パラメータに基づいて前記第１時間長さを決定し、且つ前記第２指示情報に基づいて、前記第１時間長さ内に前記端末装置に対するＰＤＣＣＨを送信するかどうかを決定することに用いられることを特徴とする請求項１７７〜１８０のいずれか１項に記載のネットワーク装置。
【請求項１８２】
前記第１メッセージはＰＤＣＣＨ及び／又は識別子シーケンスであることを特徴とする請求項１８１に記載のネットワーク装置。
【請求項１８３】
前記第１指示情報は前記第１メッセージにおいて伝送される第１ＤＣＩにおける少なくとも１つのビットにより、前記第１パラメータと前記第１時間長さとの数値関係を示すことにより前記第１時間長さを示し、
前記処理ユニットは具体的に、
前記少なくとも１つのビット及び前記第１パラメータに基づいて前記第１時間長さを決定することに用いられることを特徴とする請求項１８２に記載のネットワーク装置。
【請求項１８４】
前記第１指示情報は少なくとも１つの識別子シーケンスにより、前記第１パラメータと前記第１時間長さとの数値関係を示すことにより前記第１時間長さを示し、
前記処理ユニットは具体的に、
前記少なくとも１つの識別子シーケンス及び前記第１パラメータに基づいて前記第１時間長さを決定することに用いられることを特徴とする請求項１８２に記載のネットワーク装置。
【請求項１８５】
前記第２指示情報は前記第１メッセージにおいて伝送される第２ＤＣＩにおける第１ビットにより前記第１時間長さ内にＰＤＣＣＨを監視するかどうかを示し、前記第１ビットが０である場合、前記第１時間長さ内にＰＤＣＣＨを監視することを示し、前記第１ビットが１である場合、前記第１時間長さ内にＰＤＣＣＨを監視する必要がないことを示し、
前記処理ユニットは具体的に、
前記第１ビットが０である場合、前記第１ビットに基づいて、前記第１時間長さ内に前記端末装置に対するＰＤＣＣＨを送信することを決定すること、又は、
前記第１ビットが１である場合、前記第１ビットに基づいて、前記第１時間長さ内に前記端末装置に対するＰＤＣＣＨを送信する必要がないことを決定することに用いられることを特徴とする請求項１８２〜１８４のいずれか１項に記載のネットワーク装置。
【請求項１８６】
前記第２指示情報は第１識別子シーケンスにより前記第１時間長さ内にＰＤＣＣＨを監視することを示し、且つ第２識別子シーケンスにより前記第１時間長さ内にＰＤＣＣＨを監視する必要がないことを示し、
前記処理ユニットは具体的に、
前記第１メッセージが前記第１識別子シーケンスを含む場合、前記第１識別子シーケンスに基づいて、前記第１時間長さ内に前記端末装置に対するＰＤＣＣＨを送信することを決定すること、又は、
前記第１メッセージが前記第２識別子シーケンスを含む場合、前記第２識別子シーケンスに基づいて、前記第１時間長さ内に前記端末装置に対するＰＤＣＣＨを送信する必要がないことを決定することに用いられることを特徴とする請求項１８２〜１８４のいずれか１項に記載のネットワーク装置。
【請求項１８７】
前記第１時間長さの単位はスロット又はミリ秒であることを特徴とする請求項１５４〜１８６のいずれか１項に記載のネットワーク装置。
【請求項１８８】
前記第１時間長さの単位がスロットである場合、前記第１メッセージは第３指示情報を含み、前記第３指示情報は前記第１時間長さに対応するサブキャリア間隔を示し、又は前記第１時間長さに対応するサブキャリア間隔が、ＰＤＣＣＨに対応するサブキャリア間隔に一致することを示すことを特徴とする請求項１８７に記載のネットワーク装置。
【請求項１８９】
前記端末装置はＲＲＣ接続状態にあることを特徴とする請求項１５４〜１８８のいずれか１項に記載のネットワーク装置。
【請求項１９０】
ネットワーク装置であって、
第１メッセージを端末装置に送信することに用いられ、前記第１メッセージは第１パラメータと第１時間長さとの数値関係を示し、前記第１パラメータは間欠受信（ＤＲＸ）パラメータ又は第１時間パラメータである通信ユニットを備えることを特徴とするネットワーク装置。
【請求項１９１】
前記第１パラメータがＤＲＸパラメータである場合、前記第１パラメータはＤＲＸアクティブ期間タイマー、ＤＲＸディアクティブ期間タイマー、ロングＤＲＸ周期、ショートＤＲＸ周期のうちの１つであることを特徴とする請求項１９０に記載のネットワーク装置。
【請求項１９２】
前記通信ユニットは更に、無線リソース制御（ＲＲＣ）シグナリング又は媒体アクセス制御の制御要素（ＭＡＣ  ＣＥ）シグナリングにより前記端末装置に前記第１パラメータを送信することに用いられることを特徴とする請求項１９０又は１９１に記載のネットワーク装置。
【請求項１９３】
前記通信ユニットは更に、ＲＲＣシグナリング又はＭＡＣ  ＣＥシグナリングにより前記端末装置に前記第１時間パラメータを送信することに用いられることを特徴とする請求項１９０〜１９２のいずれか１項に記載のネットワーク装置。
【請求項１９４】
前記通信ユニットは具体的に、
前記端末装置に前記第１メッセージを周期的に送信することに用いられることを特徴とする請求項１９０〜１９３のいずれか１項に記載のネットワーク装置。
【請求項１９５】
前記ネットワーク装置が前記第１メッセージを送信する周期は前記端末装置がＰＤＣＣＨを監視する周期以上であることを特徴とする請求項１９４に記載のネットワーク装置。
【請求項１９６】
前記第１メッセージはＰＤＣＣＨであり、
前記第１メッセージは前記第１メッセージにおいて伝送される第１ダウンリンク制御情報（ＤＣＩ）における少なくとも１つのビットにより前記第１パラメータと前記第１時間長さとの数値関係を示すことを特徴とする請求項１９０〜１９５のいずれか１項に記載のネットワーク装置。
【請求項１９７】
前記第１メッセージは識別子シーケンスであり、
前記第１メッセージは少なくとも１つの識別子シーケンスにより前記第１パラメータと前記第１時間長さとの数値関係を示すことを特徴とする請求項１９０〜１９５のいずれか１項に記載のネットワーク装置。
【請求項１９８】
前記第１時間長さの単位はスロット又はミリ秒であることを特徴とする請求項１９０〜１９７のいずれか１項に記載のネットワーク装置。
【請求項１９９】
前記第１時間長さの単位がスロットである場合、前記第１メッセージは第１指示情報を含み、前記第１指示情報は前記第１時間長さに対応するサブキャリア間隔を示し、又は前記第１時間長さに対応するサブキャリア間隔が、ＰＤＣＣＨに対応するサブキャリア間隔に一致することを示すことを特徴とする請求項１９８に記載のネットワーク装置。
【請求項２００】
前記端末装置はＲＲＣ接続状態にあることを特徴とする請求項１９０〜１９９のいずれか１項に記載のネットワーク装置。
【発明の詳細な説明】
【関連出願の相互参照】
【０００１】
本願は、２０１８年３月２８日に提出した中国特許出願第ＰＣＴ／ＣＮ２０１８／０８０９３６号、発明の名称が「ＰＤＣＣＨの監視方法、端末装置及びネットワーク装置」のＰＣＴ特許出願の優先権を主張し、その全ての内容が援用により本願に取り込まれる。
【技術分野】
【０００２】
本願は通信分野に関し、より具体的に、ＰＤＣＣＨの監視方法、端末装置及びネットワーク装置に関する。
【背景技術】
【０００３】
第５世代移動通信技術である新無線（５Ｇ  ＮＲ、５−Ｇｅｎｅｒａｔｉｏｎ  Ｎｅｗ  Ｒａｄｉｏ）において、無線リソース制御（ＲＲＣ、Ｒａｄｉｏ  Ｒｅｓｏｕｒｃｅ  Ｃｏｎｔｒｏｌ）接続状態にある端末装置は物理ダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）監視ウィンドウの設定によってＰＤＣＣＨを連続監視する必要があるが、ネットワーク装置はＰＤＣＣＨ監視ウィンドウにおける少量のスロット（ｓｌｏｔ）のみにおいて端末装置に対してスケジューリングを開始することとなり、換言すれば、端末装置はＰＤＣＣＨ監視ウィンドウの設定によってＰＤＣＣＨを連続監視すると、電力の浪費を引き起こしてしまうこととなる。どのように端末装置がＰＤＣＣＨを監視する際の電力損失を低減するかは、早急な解決の待たれる問題である。
【発明の概要】
【発明が解決しようとする課題】
【０００４】
本願の実施例は端末装置がＰＤＣＣＨを監視する際の電力損失を低減することのできるＰＤＣＣＨの監視方法、端末装置及びネットワーク装置を提供する。
【課題を解決するための手段】
【０００５】
第１態様では、本願の実施例はＰＤＣＣＨの監視方法を提供し、
端末装置がネットワーク装置から送信された第１メッセージを受信し、該第１メッセージは第１時間長さを示し、及び／又は、該第１時間長さ内にＰＤＣＣＨを監視するかどうかを示すことと、
該端末装置が該第１メッセージに基づいてＰＤＣＣＨを監視することと、を含む。
【０００６】
従って、本願の実施例のＰＤＣＣＨの監視方法では、端末装置は第１時間長さを示し、及び／又は、第１時間長さ内にＰＤＣＣＨを監視するかどうかを示す第１メッセージに基づいてＰＤＣＣＨを監視してもよく、ＰＤＣＣＨ監視ウィンドウの設定によりＰＤＣＣＨを連続監視することによる電力の浪費を回避し、それにより端末装置がＰＤＣＣＨを監視する際の電力損失を低減する。
【０００７】
選択肢として、第１態様の実現方式では、該端末装置がネットワーク装置から送信された第１メッセージを受信することは、
該端末装置が該ネットワーク装置から送信された該第１メッセージを周期的に受信することを含む。
【０００８】
選択肢として、第１態様の実現方式では、該端末装置が該第１メッセージを受信する周期は該端末装置がＰＤＣＣＨを監視する周期以上である。
【０００９】
従って、端末装置は第１メッセージに基づいて少なくとも１つのＰＤＣＣＨ監視ウィンドウにおけるＰＤＣＣＨを監視してもよく、それにより端末装置がＰＤＣＣＨを監視する際の電力損失を低減する。
【００１０】
選択肢として、第１態様の実現方式では、該第１メッセージが該第１時間長さを示す場合、
該端末装置が該第１メッセージに基づいてＰＤＣＣＨを監視することは、
該端末装置は該第１メッセージに基づいて該第１時間長さを決定し、且つ該第１時間長さ内にＰＤＣＣＨを監視するかどうかを示す第１設定情報に基づいて、該第１時間長さ内にＰＤＣＣＨを監視するかどうかを決定することを含む。
【００１１】
従って、端末装置は第１メッセージに基づいて第１時間長さを決定し、且つ第１設定情報に基づいて、第１時間長さ内にＰＤＣＣＨを監視するかどうかを決定してもよく、ＰＤＣＣＨ監視ウィンドウの設定によりＰＤＣＣＨを連続監視することによる電力の浪費を回避し、それにより端末装置がＰＤＣＣＨを監視する際の電力損失を低減する。
【００１２】
選択肢として、第１態様の実現方式では、該端末装置は該第１メッセージに基づいて該第１時間長さを決定し、且つ第１設定情報に基づいて、該第１時間長さ内にＰＤＣＣＨを監視するかどうかを決定する前に、該方法は更に、
該端末装置は該ネットワーク装置がＲＲＣシグナリングにより送信した該第１設定情報を受信することを含む。
【００１３】
選択肢として、第１態様の実現方式では、該第１設定情報は該端末装置に予め設定されたものである。
【００１４】
選択肢として、第１態様の実現方式では、該第１メッセージはＰＤＣＣＨであり、
該第１メッセージは該第１メッセージにおいて伝送される第１ダウンリンク制御情報（ＤＣＩ、Ｄｏｗｎｌｉｎｋ  Ｃｏｎｔｒｏｌ  Ｉｎｆｏｒｍａｔｉｏｎ）における少なくとも１つのビットにより該第１時間長さを示し、
該端末装置が該第１メッセージに基づいて該第１時間長さを決定することは、
該端末装置が該少なくとも１つのビットに基づいて該第１時間長さを決定することを含む。
【００１５】
選択肢として、第１態様の実現方式では、該第１メッセージは識別子シーケンスであり、
該第１メッセージは少なくとも１つの識別子シーケンスにより該第１時間長さを示し、
該端末装置が該第１メッセージに基づいて該第１時間長さを決定することは、
該端末装置が該少なくとも１つの識別子シーケンスに基づいて該第１時間長さを決定することを含む。
【００１６】
選択肢として、第１態様の実現方式では、該第１メッセージは該第１時間長さ内にＰＤＣＣＨを監視するかどうかを示す場合、
該端末装置が該第１メッセージに基づいてＰＤＣＣＨを監視することは、
該端末装置は該第１時間長さを示す第２設定情報に基づいて該第１時間長さを決定し、且つ該第１メッセージに基づいて、該第１時間長さ内にＰＤＣＣＨを監視するかどうかを決定することを含む。
【００１７】
従って、端末装置は第２設定情報に基づいて第１時間長さを決定し、且つ第１メッセージに基づいて、第１時間長さ内にＰＤＣＣＨを監視するかどうかを決定してもよく、ＰＤＣＣＨ監視ウィンドウの設定によりＰＤＣＣＨを連続監視することによる電力の浪費を回避し、それにより端末装置がＰＤＣＣＨを監視する際の電力損失を低減する。
【００１８】
選択肢として、第１態様の実現方式では、該端末装置は第２設定情報に基づいて該第１時間長さを決定し、且つ該第１メッセージに基づいて、該第１時間長さ内にＰＤＣＣＨを監視するかどうかを決定する前に、該方法は更に、
該端末装置は該ネットワーク装置がＲＲＣシグナリングにより送信した該第２設定情報を受信することを含む。
【００１９】
選択肢として、第１態様の実現方式では、該第２設定情報は該端末装置に予め設定されたものである。
【００２０】
選択肢として、第１態様の実現方式では、該第１メッセージはＰＤＣＣＨであり、
該第１メッセージは該第１メッセージにおいて伝送される第１ＤＣＩにおける第１ビットにより該第１時間長さ内にＰＤＣＣＨを監視するかどうかを示し、
該第１ビットが０である場合、該第１時間長さ内にＰＤＣＣＨを監視することを示し、該第１ビットが１である場合、該第１時間長さ内にＰＤＣＣＨを監視する必要がないことを示し、
該端末装置が該第１メッセージに基づいて該第１時間長さ内にＰＤＣＣＨを監視するかどうかを決定することは、
該第１ビットが０である場合、該端末装置は該第１ビットに基づいて、該第１時間長さ内にＰＤＣＣＨを監視することを決定すること、又は、
該第１ビットが１である場合、該端末装置は該第１ビットに基づいて、該第１時間長さ内にＰＤＣＣＨを監視する必要がないことを決定することを含む。
【００２１】
選択肢として、第１態様の実現方式では、該第１メッセージは識別子シーケンスであり、
該第１メッセージは第１識別子シーケンスにより該第１時間長さ内にＰＤＣＣＨを監視することを示し、且つ第２識別子シーケンスにより該第１時間長さ内にＰＤＣＣＨを監視する必要がないことを示し、
該端末装置が該第１メッセージに基づいて該第１時間長さ内にＰＤＣＣＨを監視するかどうかを決定することは、
該第１メッセージが該第１識別子シーケンスを含む場合、該端末装置は該第１識別子シーケンスに基づいて、該第１時間長さ内にＰＤＣＣＨを監視することを決定すること、又は、
該第１メッセージが該第２識別子シーケンスを含む場合、該端末装置は該第２識別子シーケンスに基づいて、該第１時間長さ内にＰＤＣＣＨを監視する必要がないことを決定することを含む。
【００２２】
選択肢として、第１態様の実現方式では、該第１メッセージは該第１時間長さを示し、且つ該第１時間長さ内にＰＤＣＣＨを監視するかどうかを示す場合、
該端末装置が該第１メッセージに基づいてＰＤＣＣＨを監視することは、
該端末装置は該第１メッセージに基づいて該第１時間長さを決定し、且つ該第１時間長さ内にＰＤＣＣＨを監視するかどうかを決定することを含む。
【００２３】
選択肢として、第１態様の実現方式では、該第１メッセージは、該第１時間長さを示す第１指示情報と、該第１時間長さ内にＰＤＣＣＨを監視するかどうかを示す第２指示情報とを含み、
該端末装置が該第１メッセージに基づいて該第１時間長さを決定し、且つ該第１時間長さ内にＰＤＣＣＨを監視するかどうかを決定することは、
該端末装置は該第１指示情報に基づいて該第１時間長さを決定し、且つ該第２指示情報に基づいて、該第１時間長さ内にＰＤＣＣＨを監視するかどうかを決定することを含む。
【００２４】
従って、端末装置は第１メッセージにおける第１指示情報に基づいて第１時間長さを決定し、且つ第１メッセージにおける第２指示情報に基づいて第１時間長さ内にＰＤＣＣＨを監視するかどうかを決定してもよく、ＰＤＣＣＨ監視ウィンドウの設定によりＰＤＣＣＨを連続監視することによる電力の浪費を回避し、それにより端末装置がＰＤＣＣＨを監視する際の電力損失を低減する。
【００２５】
選択肢として、第１態様の実現方式では、該第１メッセージはＰＤＣＣＨ及び／又は識別子シーケンスである。
【００２６】
選択肢として、第１態様の実現方式では、該第１指示情報は該第１メッセージにおいて伝送される第１ＤＣＩにおける少なくとも１つのビットにより該第１時間長さを示し、
該端末装置が該第１指示情報に基づいて該第１時間長さを決定することは、
該端末装置が該少なくとも１つのビットに基づいて該第１時間長さを決定することを含む。
【００２７】
選択肢として、第１態様の実現方式では、該第１指示情報は少なくとも１つの識別子シーケンスにより該第１時間長さを示し、
該端末装置が該第１指示情報に基づいて該第１時間長さを決定することは、
該端末装置が該少なくとも１つの識別子シーケンスに基づいて該第１時間長さを決定することを含む。
【００２８】
選択肢として、第１態様の実現方式では、該第２指示情報は該第１メッセージにおいて伝送される第２ＤＣＩにおける第１ビットにより該第１時間長さ内にＰＤＣＣＨを監視するかどうかを示し、該第１ビットが０である場合、該第１時間長さ内にＰＤＣＣＨを監視することを示し、該第１ビットが１である場合、該第１時間長さ内にＰＤＣＣＨを監視する必要がないことを示し、
該端末装置が該第２指示情報に基づいて該第１時間長さ内にＰＤＣＣＨを監視するかどうかを決定することは、
該第１ビットが０である場合、該端末装置は該第１ビットに基づいて、該第１時間長さ内にＰＤＣＣＨを監視することを決定すること、又は、
該第１ビットが１である場合、該端末装置は該第１ビットに基づいて、該第１時間長さ内にＰＤＣＣＨを監視する必要がないことを決定することを含む。
【００２９】
選択肢として、第１態様の実現方式では、該第２指示情報は第１識別子シーケンスにより該第１時間長さ内にＰＤＣＣＨを監視することを示し、且つ第２識別子シーケンスにより該第１時間長さ内にＰＤＣＣＨを監視する必要がないことを示し、
該端末装置が該第２指示情報に基づいて該第１時間長さ内にＰＤＣＣＨを監視するかどうかを決定することは、
該第１メッセージが該第１識別子シーケンスを含む場合、該端末装置は該第１識別子シーケンスに基づいて、該第１時間長さ内にＰＤＣＣＨを監視することを決定すること、又は、
該第１メッセージが該第２識別子シーケンスを含む場合、該端末装置は該第２識別子シーケンスに基づいて、該第１時間長さ内にＰＤＣＣＨを監視する必要がないことを決定することを含む。
【００３０】
選択肢として、第１態様の実現方式では、該第１時間長さの単位はスロット又はミリ秒である。
【００３１】
選択肢として、第１態様の実現方式では、該第１時間長さの単位がスロットである場合、該第１メッセージは第３指示情報を含み、該第３指示情報は該第１時間長さに対応するサブキャリア間隔を示し、又は該第１時間長さに対応するサブキャリア間隔が、ＰＤＣＣＨに対応するサブキャリア間隔に一致することを示す。
【００３２】
選択肢として、第１態様の実現方式では、該端末装置はＲＲＣ接続状態にある。
【００３３】
第２態様では、本願の実施例はＰＤＣＣＨの監視方法を提供し、
ネットワーク装置が第１メッセージを端末装置に送信し、該第１メッセージは第１時間長さを示し、及び／又は、該第１時間長さ内にＰＤＣＣＨを監視するかどうかを示すことと、
該ネットワーク装置は該第１メッセージに基づいて該端末装置に対するＰＤＣＣＨを送信することと、を含む。
【００３４】
従って、本願の実施例のＰＤＣＣＨの監視方法では、ネットワーク装置は第１時間長さを示し、及び／又は、第１時間長さ内にＰＤＣＣＨを監視するかどうかを示す第１メッセージに基づいて、端末装置に対するＰＤＣＣＨを送信してもよく、端末装置がＰＤＣＣＨ監視ウィンドウの設定によりＰＤＣＣＨを連続監視することによる電力の浪費を回避し、それにより端末装置がＰＤＣＣＨを監視する際の電力損失を低減する。
【００３５】
選択肢として、該ネットワーク装置は自体のスケジューリング状況に応じて該第１メッセージを決定してもよい。例えば、ネットワーク装置は現在のシステム全体のサービス負荷及びスケジューリングキューの長さの予測、又は端末装置のサービス特徴、遅延要求等の要素に基づいてまとめて第１メッセージを決定してもよい。
【００３６】
選択肢として、第２態様の実現方式では、該ネットワーク装置が端末装置に第１メッセージを送信することは、
該ネットワーク装置が該端末装置に該第１メッセージを周期的に送信することを含む。
【００３７】
選択肢として、第２態様の実現方式では、該ネットワーク装置が該第１メッセージを送信する周期は該端末装置がＰＤＣＣＨを監視する周期以上である。
【００３８】
選択肢として、第２態様の実現方式では、該第１メッセージが該第１時間長さを示す場合、該方法は更に、
該ネットワーク装置はＲＲＣシグナリングにより、該第１時間長さ内にＰＤＣＣＨを監視するかどうかを示す第１設定情報を該端末装置に送信することを含み、
該ネットワーク装置が該第１メッセージに基づいて、該端末装置に対するＰＤＣＣＨを送信することは、
該ネットワーク装置は該第１メッセージに基づいて該第１時間長さを決定し、且つ第１設定情報に基づいて、該第１時間長さ内に該端末装置に対するＰＤＣＣＨを送信するかどうかを決定することを含む。
【００３９】
選択肢として、第２態様の実現方式では、該第１メッセージはＰＤＣＣＨであり、
該第１メッセージは該第１メッセージにおいて伝送される第１ＤＣＩにおける少なくとも１つのビットにより該第１時間長さを示し、
該ネットワーク装置が該第１メッセージに基づいて該第１時間長さを決定することは、
該ネットワーク装置が該少なくとも１つのビットに基づいて該第１時間長さを決定することを含む。
【００４０】
選択肢として、第２態様の実現方式では、該第１メッセージは識別子シーケンスであり、
該第１メッセージは少なくとも１つの識別子シーケンスにより該第１時間長さを示し、
該ネットワーク装置が該第１メッセージに基づいて該第１時間長さを決定することは、
該ネットワーク装置が該少なくとも１つの識別子シーケンスに基づいて該第１時間長さを決定することを含む。
【００４１】
選択肢として、第２態様の実現方式では、該第１メッセージは該第１時間長さ内にＰＤＣＣＨを監視するかどうかを示す場合、該方法は更に、
該ネットワーク装置はＲＲＣシグナリングにより、該第１時間長さを示す第２設定情報を該端末装置に送信することを含み、
該ネットワーク装置が該第１メッセージに基づいて、該端末装置に対するＰＤＣＣＨを送信することは、
該ネットワーク装置は第２設定情報に基づいて該第１時間長さを決定し、且つ該第１メッセージに基づいて、該第１時間長さ内に該端末装置に対するＰＤＣＣＨを送信するかどうかを決定することを含む。
【００４２】
選択肢として、第２態様の実現方式では、該第１メッセージはＰＤＣＣＨであり、
該第１メッセージは該第１メッセージにおいて伝送される第１ＤＣＩにおける第１ビットにより該第１時間長さ内にＰＤＣＣＨを監視するかどうかを示し、
該第１ビットが０である場合、該第１時間長さ内にＰＤＣＣＨを監視することを示し、該第１ビットが１である場合、該第１時間長さ内にＰＤＣＣＨを監視する必要がないことを示し、
該ネットワーク装置が該第１メッセージに基づいて、該第１時間長さ内に該端末装置に対するＰＤＣＣＨを送信するかどうかを決定することは、
該第１ビットが０である場合、該ネットワーク装置は該第１ビットに基づいて、該第１時間長さ内に該端末装置に対するＰＤＣＣＨを送信することを決定すること、又は、
該第１ビットが１である場合、該ネットワーク装置は該第１ビットに基づいて、該第１時間長さ内に該端末装置に対するＰＤＣＣＨを送信する必要がないことを決定することを含む。
【００４３】
選択肢として、第２態様の実現方式では、該第１メッセージは識別子シーケンスであり、
該第１メッセージは第１識別子シーケンスにより該第１時間長さ内にＰＤＣＣＨを監視することを示し、且つ第２識別子シーケンスにより該第１時間長さ内にＰＤＣＣＨを監視する必要がないことを示し、
該ネットワーク装置が該第１メッセージに基づいて、該第１時間長さ内に該端末装置に対するＰＤＣＣＨを送信するかどうかを決定することは、
該第１メッセージが該第１識別子シーケンスを含む場合、該ネットワーク装置は該第１識別子シーケンスに基づいて、該第１時間長さ内に該端末装置に対するＰＤＣＣＨを送信することを決定すること、又は、
該第１メッセージが該第２識別子シーケンスを含む場合、該ネットワーク装置は該第２識別子シーケンスに基づいて、該第１時間長さ内に該端末装置に対するＰＤＣＣＨを送信する必要がないことを決定することを含む。
【００４４】
選択肢として、第２態様の実現方式では、該第１メッセージは該第１時間長さを示し、且つ該第１時間長さ内にＰＤＣＣＨを監視するかどうかを示す場合、
該ネットワーク装置が該第１メッセージに基づいて、該端末装置に対するＰＤＣＣＨを送信することは、
該ネットワーク装置は該第１メッセージに基づいて該第１時間長さを決定し、且つ該第１時間長さ内に該端末装置に対するＰＤＣＣＨを送信するかどうかを決定することを含む。
【００４５】
選択肢として、第２態様の実現方式では、該第１メッセージは、該第１時間長さを示す第１指示情報と、該第１時間長さ内にＰＤＣＣＨを監視するかどうかを示す第２指示情報とを含み、
該ネットワーク装置が該第１メッセージに基づいて該第１時間長さを決定し、且つ該第１時間長さ内に該端末装置に対するＰＤＣＣＨを送信するかどうかを決定することは、
該ネットワーク装置は該第１指示情報に基づいて該第１時間長さを決定し、且つ該第２指示情報に基づいて、該第１時間長さ内に該端末装置に対するＰＤＣＣＨを送信するかどうかを決定することを含む。
【００４６】
選択肢として、第２態様の実現方式では、該第１メッセージはＰＤＣＣＨ及び／又は識別子シーケンスである。
【００４７】
選択肢として、第２態様の実現方式では、該第１指示情報は該第１メッセージにおいて伝送される第１ＤＣＩにおける少なくとも１つのビットにより該第１時間長さを示し、
該ネットワーク装置が該第１指示情報に基づいて該第１時間長さを決定することは、
該ネットワーク装置が該少なくとも１つのビットに基づいて該第１時間長さを決定することを含む。
【００４８】
選択肢として、第２態様の実現方式では、該第１指示情報は少なくとも１つの識別子シーケンスにより該第１時間長さを示し、
該ネットワーク装置が該第１指示情報に基づいて該第１時間長さを決定することは、
該ネットワーク装置が該少なくとも１つの識別子シーケンスに基づいて該第１時間長さを決定することを含む。
【００４９】
選択肢として、第２態様の実現方式では、該第２指示情報は該第１メッセージにおいて伝送される第２ＤＣＩにおける第１ビットにより該第１時間長さ内にＰＤＣＣＨを監視するかどうかを示し、該第１ビットが０である場合、該第１時間長さ内にＰＤＣＣＨを監視することを示し、該第１ビットが１である場合、該第１時間長さ内にＰＤＣＣＨを監視する必要がないことを示し、
該ネットワーク装置が該第２指示情報に基づいて、該第１時間長さ内に該端末装置に対するＰＤＣＣＨを送信するかどうかを決定することは、
該第１ビットが０である場合、該ネットワーク装置は該第１ビットに基づいて、該第１時間長さ内に該端末装置に対するＰＤＣＣＨを送信することを決定すること、又は、
該第１ビットが１である場合、該ネットワーク装置は該第１ビットに基づいて、該第１時間長さ内に該端末装置に対するＰＤＣＣＨを送信する必要がないことを決定することを含む。
【００５０】
選択肢として、第２態様の実現方式では、該第２指示情報は第１識別子シーケンスにより該第１時間長さ内にＰＤＣＣＨを監視することを示し、且つ第２識別子シーケンスにより該第１時間長さ内にＰＤＣＣＨを監視する必要がないことを示し、
該ネットワーク装置が該第２指示情報に基づいて、該第１時間長さ内に該端末装置に対するＰＤＣＣＨを送信するかどうかを決定することは、
該第１メッセージが該第１識別子シーケンスを含む場合、該ネットワーク装置は該第１識別子シーケンスに基づいて、該第１時間長さ内に該端末装置に対するＰＤＣＣＨを送信することを決定すること、又は、
該第１メッセージが該第２識別子シーケンスを含む場合、該ネットワーク装置は該第２識別子シーケンスに基づいて、該第１時間長さ内に該端末装置に対するＰＤＣＣＨを送信する必要がないことを決定することを含む。
【００５１】
選択肢として、第２態様の実現方式では、該第１時間長さの単位はスロット又はミリ秒である。
【００５２】
選択肢として、第２態様の実現方式では、該第１時間長さの単位がスロットである場合、該第１メッセージは第３指示情報を含み、該第３指示情報は該第１時間長さに対応するサブキャリア間隔を示し、又は該第１時間長さに対応するサブキャリア間隔が、ＰＤＣＣＨに対応するサブキャリア間隔に一致することを示す。
【００５３】
選択肢として、第２態様の実現方式では、該端末装置はＲＲＣ接続状態にある。
【００５４】
第３態様では、本願の実施例はＰＤＣＣＨの監視方法を提供し、
端末装置は第１パラメータと第１時間長さとの数値関係を示す第１メッセージと、ＤＲＸパラメータ又は第１時間パラメータである第１パラメータとに基づいて、前記第１時間長さを決定することと、
前記端末装置は前記第１時間長さ内にＰＤＣＣＨを監視することを無視することと、を含む。
【００５５】
従って、本願の実施例のＰＤＣＣＨの監視方法では、端末装置は第１メッセージ及び第１パラメータに基づいて第１時間長さを決定し、且つ第１時間長さ内にＰＤＣＣＨを監視することを無視してもよく、ＰＤＣＣＨ監視ウィンドウの設定によりＰＤＣＣＨを連続監視することによる電力の浪費を回避し、それにより端末装置がＰＤＣＣＨを監視する際の電力損失を低減する。
【００５６】
第４態様では、本願の実施例はＰＤＣＣＨの監視方法を提供し、
ネットワーク装置が第１メッセージを端末装置に送信し、前記第１メッセージは第１パラメータと第１時間長さとの数値関係を示し、前記第１パラメータはＤＲＸパラメータ又は第１時間パラメータであることを含む。
【００５７】
従って、本願の実施例のＰＤＣＣＨの監視方法では、ネットワーク装置は端末装置に第１メッセージを送信することにより、端末装置は第１メッセージ及び第１パラメータに基づいて第１時間長さを決定し、且つ第１時間長さ内にＰＤＣＣＨを監視することを無視してもよく、ＰＤＣＣＨ監視ウィンドウの設定によりＰＤＣＣＨを連続監視することによる電力の浪費を回避し、それにより端末装置がＰＤＣＣＨを監視する際の電力損失を低減する。
【００５８】
第５態様では、本願の実施例は端末装置を提供し、第１態様又は第１態様のいずれか１つの可能な実現方式における方法を実行することのできるモジュール又はユニット。
【００５９】
第６態様では、本願の実施例は端末装置を提供し、第３態様又は第３態様のいずれか１つの可能な実現方式における方法を実行することのできるモジュール又はユニット。
【００６０】
第７態様では、本願の実施例はネットワーク装置を提供し、第２態様又は第２態様のいずれか１つの可能な実現方式における方法を実行することのできるモジュール又はユニット。
【００６１】
第８態様では、本願の実施例はネットワーク装置を提供し、第４態様又は第４態様のいずれか１つの可能な実現方式における方法を実行することのできるモジュール又はユニット。
【００６２】
第９態様では、端末装置を提供し、該端末装置はプロセッサ、メモリ及び通信インターフェースを備える。プロセッサはメモリ及び通信インターフェースに接続される。メモリは命令を記憶することに用いられ、プロセッサは該命令を実行することに用いられ、通信インターフェースはプロセッサの制御下で他のネットワーク要素と通信することに用いられる。該プロセッサが該メモリに記憶される命令を実行するとき、該実行によって該プロセッサは第１態様又は第１態様のいずれか１つの可能な実現方式における方法を実行する。
【００６３】
第１０態様では、端末装置を提供し、該端末装置はプロセッサ、メモリ及び通信インターフェースを備える。プロセッサはメモリ及び通信インターフェースに接続される。メモリは命令を記憶することに用いられ、プロセッサは該命令を実行することに用いられ、通信インターフェースはプロセッサの制御下で他のネットワーク要素と通信することに用いられる。該プロセッサが該メモリに記憶される命令を実行するとき、該実行によって該プロセッサは第３態様又は第３態様のいずれか１つの可能な実現方式における方法を実行する。
【００６４】
第１１態様では、ネットワーク装置を提供し、該ネットワーク装置はプロセッサ、メモリ及び通信インターフェースを備える。プロセッサはメモリ及び通信インターフェースに接続される。メモリは命令を記憶することに用いられ、プロセッサは該命令を実行することに用いられ、通信インターフェースはプロセッサの制御下で他のネットワーク要素と通信することに用いられる。該プロセッサが該メモリに記憶される命令を実行するとき、該実行によって該プロセッサは第２態様又は第２態様のいずれか１つの可能な実現方式における方法を実行する。
【００６５】
第１２態様では、ネットワーク装置を提供し、該ネットワーク装置はプロセッサ、メモリ及び通信インターフェースを備える。プロセッサはメモリ及び通信インターフェースに接続される。メモリは命令を記憶することに用いられ、プロセッサは該命令を実行することに用いられ、通信インターフェースはプロセッサの制御下で他のネットワーク要素と通信することに用いられる。該プロセッサが該メモリに記憶される命令を実行するとき、該実行によって該プロセッサは第４態様又は第４態様のいずれか１つの可能な実現方式における方法を実行する。
【００６６】
第１３態様では、コンピュータ記憶媒体を提供し、該コンピュータ記憶媒体にプログラムコードが記憶され、該プログラムコードは上記第１態様又は第１態様のいずれか１つの可能な実現方式における方法の命令を実行するようにコンピュータに指示することに用いられる。
【００６７】
第１４態様では、コンピュータ記憶媒体を提供し、該コンピュータ記憶媒体にプログラムコードが記憶され、該プログラムコードは上記第３態様又は第３態様のいずれか１つの可能な実現方式における方法の命令を実行するようにコンピュータに指示することに用いられる。
【００６８】
第１５態様では、コンピュータ記憶媒体を提供し、該コンピュータ記憶媒体にプログラムコードが記憶され、該プログラムコードは上記第２態様又は第２態様のいずれか１つの可能な実現方式における方法の命令を実行するようにコンピュータに指示することに用いられる。
【００６９】
第１６態様では、コンピュータ記憶媒体を提供し、該コンピュータ記憶媒体にプログラムコードが記憶され、該プログラムコードは上記第４態様又は第４態様のいずれか１つの可能な実現方式における方法の命令を実行するようにコンピュータに指示することに用いられる。
【００７０】
第１７態様では、命令を含むコンピュータプログラム製品を提供し、該製品がコンピュータにおいて実行されるとき、コンピュータは上記各態様に記載の方法を実行する。
【図面の簡単な説明】
【００７１】
【図１】図１は本願の実施例の適用シーンの模式図である。
【図２】図２は本願の実施例に係るＰＤＣＣＨの監視方法の模式的なフローチャートである。
【図３】図３は本願の実施例に係る他のＰＤＣＣＨの監視方法の模式的なフローチャートである。
【図４】図４は本願の実施例に係るＰＤＣＣＨを監視する模式図である。
【図５】図５は本願の実施例に係る更なるＰＤＣＣＨの監視方法の模式的なフローチャートである。
【図６】図６は本願の実施例に係る更なるＰＤＣＣＨの監視方法の模式的なフローチャートである。
【図７】図７は本願の実施例に係る端末装置の模式的なブロック図である。
【図８】図８は本願の実施例に係るネットワーク装置の模式的なブロック図である。
【図９】図９は本願の実施例に係る他の端末装置の模式的なブロック図である。
【図１０】図１０は本願の実施例に係る他のネットワーク装置の模式的なブロック図である。
【図１１】図１１は本願の実施例に係る無線通信装置の模式的なブロック図である。
【図１２】図１２は本願の実施例に係るシステムチップの構造模式図である。
【発明を実施するための形態】
【００７２】
以下、本願の実施例の図面を参照しながら、本願の実施例の技術案を明確で完全に説明する。
【００７３】
本願の実施例は様々な通信システム、例えば、モバイル通信用グローバル（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）、ロングタームエボリューション（ＬＴＥ、Ｌｏｎｇ  Ｔｅｒｍ  Ｅｖｏｌｕｔｉｏｎ）システム、進化したロングタームエボリューション（ＬＴＥ−Ａ、Ａｄｖａｎｃｅｄ  ｌｏｎｇ  ｔｅｒｍ  ｅｖｏｌｕｔｉｏｎ）システム、新無線（ＮＲ、Ｎｅｗ  Ｒａｄｉｏ）システム、ＮＲシステムの進化したシステム、認証不要なスペクトルにおけるＬＴＥ（ＬＴＥ−Ｕ、ＬＴＥ−ｂａｓｅｄ  ａｃｃｅｓｓ  ｔｏ  ｕｎｌｉｃｅｎｓｅｄ  ｓｐｅｃｔｒｕｍ）システム、認証不要なスペクトルにおけるＮＲ（ＮＲ−Ｕ、ＮＲ−ｂａｓｅｄ  ａｃｃｅｓｓ  ｔｏ  ｕｎｌｉｃｅｎｓｅｄ  ｓｐｅｃｔｒｕｍ）システム、ユニバーサルモバイルテレコミュニケーションズシステム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、無線ローカルエリアネットワーク（ＷＬＡＮ、Ｗｉｒｅｌｅｓｓ  Ｌｏｃａｌ  Ａｒｅａ  Ｎｅｔｗｏｒｋｓ）、ワイヤレスフィデリティ（ＷｉＦｉ、Ｗｉｒｅｌｅｓｓ  Ｆｉｄｅｌｉｔｙ）、次世代通信システム又は他の通信システム等に適用されてもよい。
【００７４】
一般的には、従来の通信システムのサポートする接続数が限られたため、実現されやすいが、通信技術の発展に伴って、移動通信システムは従来の通信をサポートするだけでなく、更に例えば装置対装置（Ｄ２Ｄ、Ｄｅｖｉｃｅ  ｔｏ  Ｄｅｖｉｃｅ）通信、マシン対マシン（Ｍ２Ｍ、Ｍａｃｈｉｎｅ  ｔｏ  Ｍａｃｈｉｎｅ）通信、マシンタイプ通信（ＭＴＣ、Ｍａｃｈｉｎｅ  Ｔｙｐｅ  Ｃｏｍｍｕｎｉｃａｔｉｏｎ）及び車車間（Ｖ２Ｖ、Ｖｅｈｉｃｌｅ  ｔｏ  Ｖｅｈｉｃｌｅ）通信等をサポートすることとなり、本願の実施例は更にこれらの通信システムに適用されてもよい。
【００７５】
選択肢として、本願の実施例の通信システムはキャリアアグリゲーション（ＣＡ、Ｃａｒｒｉｅｒ  Ａｇｇｒｅｇａｔｉｏｎ）シーンに適用されてもよく、デュアルコネクティビティ（ＤＣ、Ｄｕａｌ  Ｃｏｎｎｅｃｔｉｖｉｔｙ）シーンに適用されてもよく、更にスタンドアロン（ＳＡ、Ｓｔａｎｄａｌｏｎｅ）ネットワーキングシーンに適用されてもよい。
【００７６】
本願の実施例は適用されるスペクトルを制限しない。例えば、本願の実施例は認証されたスペクトルに適用されてもよく、認証不要なスペクトルに適用されてもよい。
【００７７】
本願の実施例はネットワーク装置及び端末装置と組み合わせて各実施例を説明するが、端末装置はユーザー装置（ＵＥ、Ｕｓｅｒ  Ｅｑｕｉｐｍｅｎｔ）、アクセス端末、ユーザーユニット、加入者局、移動局、トラバーサー、遠隔局、遠隔端末、モバイルデバイス、ユーザー端末、端末、無線通信装置、ユーザーエージェント又はユーザーデバイス等と称されてもよい。端末装置はＷＬＡＮにおけるステーション（ＳＴ、ＳＴＡＩＯＮ）であってもよく、セルラー方式の電話、コードレスホン、セッション確立プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）装置、無線通信機能を有する携帯端末、コンピューティングデバイス又は無線モデムに接続される他の処理装置、車載装置、ウェアラブル装置及び次世代通信システム、例えばＮＲネットワークにおける端末装置又は将来発展する公衆陸上移動網（ＰＬＭＮ、Ｐｕｂｌｉｃ  Ｌａｎｄ  Ｍｏｂｉｌｅ  Ｎｅｔｗｏｒｋ）ネットワークにおける端末装置等であってもよい。
【００７８】
制限ではなく例として、本願の実施例では、該端末装置は更にウェアラブル装置であってもよい。ウェアラブル装置はウェアラブルスマート装置と称されてもよく、ウェアラブル技術で日常の着用をスマート化するように設計し、開発した着用できる装置の総称であり、例えばメガネ、手袋、腕時計、服飾及び靴等が挙げられる。ウェアラブル装置は直接身に着用したもの、又はユーザーの服又はアクセサリーに付いたポータブル装置である。ウェアラブル装置はハードウェア装置であるだけでなく、更にソフトウェアによるサポート及びデータ交換、クラウド交換により強力な機能を実現するものである。広義ではウェアラブルスマート装置は機能が完全で、寸法が大きく、スマートフォンに依存せずに全部又は一部の機能を実現するもの、例えばスマートウォッチ又はスマートグラス等と、ある種類の応用機能に集中し、他の装置例えばスマートフォンと組み合わせて使用する必要があるもの、例えば身体的兆候をモニタリングする各種類のスマートブレスレット、スマートアクセサリー等とを含む。
【００７９】
ネットワーク装置はモバイル装置と通信するための装置であってもよく、ネットワーク装置はＷＬＡＮにおけるアクセスポイント（ＡＰ、Ａｃｃｅｓｓ  Ｐｏｉｎｔ）、ＧＳＭ又はＣＤＭＡにおける基地局（ＢＴＳ、Ｂａｓｅ  Ｔｒａｎｓｃｅｉｖｅｒ  Ｓｔａｔｉｏｎ）であってもよく、ＷＣＤＭＡにおける基地局（ＮＢ、ＮｏｄｅＢ）であってもよく、更にＬＴＥにおける発展型基地局（ｅＮＢ又はｅＮｏｄｅＢ、Ｅｖｏｌｕｔｉｏｎａｌ  Ｎｏｄｅ  Ｂ）、又は中継所又はアクセスポイント、又は車載装置、ウェアラブル装置及びＮＲネットワークにおけるネットワーク装置（ｇＮＢ）又は将来発展するＰＬＭＮネットワークにおけるネットワーク装置等であってもよい。
【００８０】
本願の実施例では、ネットワーク装置はセルにサービスを提供し、端末装置は該セルに使用される伝送リソース（例えば、周波数領域リソース又はスペクトルリソース）によりネットワーク装置と通信し、該セルはネットワーク装置（例えば、基地局）に対応するセルであってもよく、セルはマクロ基地局に属してもよく、スモールセル（Ｓｍａｌｌ  ｃｅｌｌ）に対応する基地局に属してもよく、ここでのスモールセルはメトロセル（Ｍｅｔｒｏ  ｃｅｌｌ）、マイクロセル（Ｍｉｃｒｏ  ｃｅｌｌ）、ピコセル（Ｐｉｃｏ  ｃｅｌｌ）、フェムトセル（Ｆｅｍｔｏ  ｃｅｌｌ）等を含んでもよく、これらのスモールセルはカバレッジ範囲が狭く、送信電力が低いという特徴を有し、高速度のデータ伝送サービスを提供することに適する。
【００８１】
図１では１つのネットワーク装置及び２つの端末装置を例示し、選択肢として、該無線通信システム１００は複数のネットワーク装置を備えてもよく、且つ各ネットワーク装置のカバレッジ範囲内には他の数の端末装置が含まれてもよく、本願の実施例は制限しない。
【００８２】
選択肢として、該無線通信システム１００は更にモビリティ管理エンティティ（ＭＭＥ、Ｍｏｂｉｌｉｔｙ  Ｍａｎａｇｅｍｅｎｔ  Ｅｎｔｉｔｙ）、アクセス及び移動性管理機能（ＡＭＦ、Ａｃｃｅｓｓ  ａｎｄ  Ｍｏｂｉｌｉｔｙ  Ｍａｎａｇｅｍｅｎｔ  Ｆｕｎｃｔｉｏｎ）等の他のネットワークエンティティを備えてもよく、本願の実施例は制限しない。
【００８３】
なお、本願の各態様又は特徴は方法、装置又は標準的なプログラミング技術及び／又はエンジニアリング技術を用いた製品として実現されてもよい。本願に使用される用語「製品」はいかなるコンピュータ可読デバイス、メディア又は媒体からアクセスできるコンピュータプログラムを含む。例えば、コンピュータ可読媒体は磁気記憶装置（例えば、ハードディスク、フロッピーディスク又は磁気テープ等）、光ディスク（例えば、コンパクトディスク（ＣＤ、Ｃｏｍｐａｃｔ  Ｄｉｓｃ）、デジタルバーサタイルディスク（ＤＶＤ、Ｄｉｇｉｔａｌ  Ｖｅｒｓａｔｉｌｅ  Ｄｉｓｃ）等）、スマートカード及びフラッシュメモリデバイス（例えば、消去可能プログラム可能読み出し専用メモリ（ＥＰＲＯＭ、Ｅｒａｓａｂｌｅ  Ｐｒｏｇｒａｍｍａｂｌｅ  Ｒｅａｄ−Ｏｎｌｙ  Ｍｅｍｏｒｙ）、カード、スティック又はキードライブ等）を含んでもよいが、それらに限らない。また、本明細書に説明される様々な記憶媒体は情報を記憶するための１つ又は複数の装置及び／又は他の機械可読媒体を代表してもよい。用語「機械可読媒体」は命令及び／又はデータを記憶、包含及び／又はベアリングできる様々な媒体を含んでもよいが、それらに限らない。
【００８４】
理解されるように、本明細書における用語「システム」と「ネットワーク」は本明細書において常に交換可能に使用される。本明細書における用語「及び／又は」は関連オブジェクトの関連関係を説明するためのものに過ぎず、３つの関係が存在してもよいことを示し、例えば、「Ａ及び／又はＢ」は「Ａが独立して存在する」こと、「ＡとＢが同時に存在する」こと、「Ｂが独立して存在する」ことの３つの状況を示してもよい。また、本明細書における文字「／」は一般的に前後関連オブジェクトが「又は」の関係であることを示す。
【００８５】
図２は本願の実施例に係るＰＤＣＣＨの監視方法２００の模式的なフローチャートである。選択肢として、該方法２００は図１に示されるシステムに適用されてもよいが、これに限らない。該方法２００は以下の内容の少なくとも一部を含む。
【００８６】
Ｓ２１０、端末装置はネットワーク装置から送信された第１メッセージを受信し、該第１メッセージは第１時間長さを示し、及び／又は、該第１時間長さ内にＰＤＣＣＨを監視するかどうかを示す。
【００８７】
選択肢として、該端末装置はＲＲＣ接続状態にあってもよい。
【００８８】
選択肢として、該端末装置は該ネットワーク装置から送信された該第１メッセージを周期的に受信する。すなわち、該ネットワーク装置は該端末装置に該第１メッセージを周期的に送信する。
【００８９】
選択肢として、該端末装置が該第１メッセージを受信する周期は該端末装置がＰＤＣＣＨを監視する周期以上である。このように、１つの周期の第１メッセージは少なくとも１つのＰＤＣＣＨ周期のＰＤＣＣＨの監視挙動を示すことに用いられてもよい。
【００９０】
理解されるように、該端末装置がＰＤＣＣＨを監視する周期は設定されたものであり、例えば、該端末装置がＰＤＣＣＨを監視する周期はＰＤＣＣＨサーチ空間（ｓｅａｒｃｈ  ｓｐａｃｅ）の周期であり、該ＰＤＣＣＨ  ｓｅａｒｃｈ  ｓｐａｃｅの周期はネットワーク装置が端末装置に準静的に設定したものであってもよい。
【００９１】
選択肢として、該端末装置が該第１メッセージを受信する周期は該端末装置がＰＤＣＣＨを監視する周期以上である。このように、１つの周期の第１メッセージは少なくとも１つのＰＤＣＣＨ周期のＰＤＣＣＨの監視挙動を示すことに用いられてもよい。理解されるように、該端末装置がＰＤＣＣＨを監視する周期は設定されたものであり、例えば、該端末装置がＰＤＣＣＨを監視する周期はＰＤＣＣＨ  ｓｅａｒｃｈ  ｓｐａｃｅの周期であり、前記ＰＤＣＣＨ  ｓｅａｒｃｈ  ｓｐａｃｅの周期はネットワーク装置が端末装置に準静的に設定したものであってもよい。
【００９２】
更に理解されるように、第１時間長さ以外の時間帯において、該端末装置はＰＤＣＣＨ監視ウィンドウの設定によりＰＤＣＣＨを連続監視してもよく、例えば、該端末装置はＰＤＣＣＨの設定情報及び／又は間欠受信（ＤＲＸ、Ｄｉｓｃｏｎｔｉｎｕｏｕｓ  Ｒｅｃｅｐｔｉｏｎ）の設定情報に基づいてＰＤＣＣＨを監視してもよい。
【００９３】
選択肢として、該第１時間長さの単位はスロット又はミリ秒である。
【００９４】
選択肢として、該第１時間長さの単位がスロットである場合、該第１メッセージは更に該第１時間長さに対応するサブキャリア間隔（ｎｕｍｅｒｏｌｏｇｙ）を示し、又は該第１時間長さに対応するサブキャリア間隔が、ＰＤＣＣＨに対応するサブキャリア間隔に一致することを示してもよい。
【００９５】
例えば、該第１メッセージは第３指示情報を含み、該第３指示情報は該第１時間長さに対応するサブキャリア間隔を示し、又は該第１時間長さに対応するサブキャリア間隔が、ＰＤＣＣＨに対応するサブキャリア間隔に一致することを示す。
【００９６】
なお、第１時間長さは特定の時間の長さであり、該ネットワーク装置が該端末装置に該第１メッセージを周期的に送信する場合、該ネットワーク装置が各周期内に送信した第１メッセージで示される第１時間長さは異なる。
【００９７】
Ｓ２２０、該端末装置は該第１メッセージに基づいてＰＤＣＣＨを監視する。
【００９８】
選択肢として、一実施例として、該第１メッセージは該第１時間長さを示す。このとき、該端末装置は該第１メッセージに基づいて該第１時間長さを決定し、且つ該第１時間長さ内にＰＤＣＣＨを監視するかどうかを示す第１設定情報に基づいて、該第１時間長さ内にＰＤＣＣＨを監視するかどうかを決定する。
【００９９】
なお、該第１設定情報は該ネットワーク装置がＲＲＣシグナリングにより該端末装置に動的に設定したものであってもよく、該端末装置に予め設定されたものであってもよい。
【０１００】
例えば、第１メッセージが第１時間長さを示す場合、第１設定情報は第１時間長さ内にＰＤＣＣＨを監視する必要がないことを示してもよく、このとき、端末装置は第１時間長さ内にＰＤＣＣＨを監視することを停止する。
【０１０１】
また例えば、第１メッセージが第１時間長さを示す場合、第１設定情報は第１時間長さ内にＰＤＣＣＨを監視することを示してもよく、このとき、端末装置は第１時間長さ内にＰＤＣＣＨを監視する。
【０１０２】
選択肢として、該第１メッセージはＰＤＣＣＨであり、且つ該第１メッセージは該第１メッセージにおいて伝送される第１ＤＣＩにおける少なくとも１つのビットにより該第１時間長さを示し、該端末装置は該少なくとも１つのビットに基づいて該第１時間長さを決定する。
【０１０３】
なお、該第１ＤＣＩは該第１メッセージにおいて伝送される１つのＤＣＩであり、該第１ＤＣＩは該少なくとも１つのビットのみを含むＤＣＩであってもよく、アップリンク／ダウンリンクスケジューリングを実現するための通常のＤＣＩに該少なくとも１つのビットを追加したものであってもよい。
【０１０４】
例えば、第１ＤＣＩにおける２つのビットにより４種類の時間の長さを示してもよい。例えば、００は０時間長さを示し、０１は２ｍｓ又は２ｓｌｏｔを示し、１０は４ｍｓ又は４ｓｌｏｔを示し、１１は１６ｍｓ又は１６ｓｌｏｔを示す。
【０１０５】
選択肢として、該第１メッセージは識別子シーケンスであり、且つ該第１メッセージは少なくとも１つの識別子シーケンスにより該第１時間長さを示し、該端末装置は該少なくとも１つの識別子シーケンスに基づいて該第１時間長さを決定する。
【０１０６】
例えば、４種類の識別子シーケンスにより４種類の時間の長さを示してもよい。例えば、識別子シーケンス１は０時間長さを示し、識別子シーケンス２は２ｍｓ又は２ｓｌｏｔを示し、識別子シーケンス３は４ｍｓ又は４ｓｌｏｔを示し、識別子シーケンス４は１６ｍｓ又は１６ｓｌｏｔを示す。
【０１０７】
選択肢として、一実施例として、該第１メッセージは更に第１パラメータと該第１時間長さとの数値関係を示すことにより該第１時間長さを示してもよく、該第１パラメータは間欠受信（ＤＲＸ、Ｄｉｓｃｏｎｔｉｎｕｏｕｓ  Ｒｅｃｅｐｔｉｏｎ）パラメータ又は第１時間パラメータである。このとき、該端末装置は該第１メッセージ及び該第１パラメータに基づいて該第１時間長さを決定し、且つ該第１時間長さ内にＰＤＣＣＨを監視するかどうかを示す第１設定情報に基づいて、該第１時間長さ内にＰＤＣＣＨを監視するかどうかを決定する。
【０１０８】
選択肢として、該第１時間パラメータは予め設定されたもの、又はネットワーク装置が通知したものである。例えば、該ネットワーク装置はＲＲＣシグナリング又はＭＡＣ  ＣＥシグナリングにより該端末装置に該第１時間パラメータを送信する。
【０１０９】
選択肢として、該第１パラメータがＤＲＸパラメータである場合、該第１パラメータはＤＲＸアクティブ期間タイマー（ｄｒｘ−ｏｎＤｕｒａｔｉｏｎＴｉｍｅｒ）、ＤＲＸディアクティブ期間タイマー（ｄｒｘ−ＩｎａｃｔｉｖｉｔｙＴｉｍｅｒ）、ロングＤＲＸ周期（ｄｒｘ−ｌｏｎｇ  ｃｙｃｌｅ）、ショートＤＲＸ周期（ｄｒｘ−ｓｈｏｒｔ  ｃｙｃｌｅ）のうちの１つである。
【０１１０】
該第１パラメータがｄｒｘ−ｏｎＤｕｒａｔｉｏｎＴｉｍｅｒであると仮定すれば、その値は１ｍｓ、２ｍｓ、３ｍｓ、４ｍｓ、５ｍｓ、６ｍｓ、８ｍｓ、１０ｍｓ、２０ｍｓ、３０ｍｓ、４０ｍｓ、５０ｍｓ、６０ｍｓ、８０ｍｓ、１００ｍｓ、２００ｍｓ、３００ｍｓ、４００ｍｓ、５００ｍｓ、６００ｍｓ、８００ｍｓ、１０００ｍｓ、１２００ｍｓ、１６００ｍｓであってもよい。
【０１１１】
該第１パラメータがｄｒｘ−ｌｏｎｇ  ｃｙｃｌｅであると仮定すれば、その値は１０ｍｓ、２０ｍｓ、３２ｍｓ、４０ｍｓ、６０ｍｓ、６４ｍｓ、７０ｍｓ、８０ｍｓ、１２８ｍｓ、１６０ｍｓ、２５６ｍｓ、３２０ｍｓ、５１２ｍｓ、６４０ｍｓ、１０２４ｍｓ、１２８０ｍｓ、２０４８ｍｓ、２５６０ｍｓ、５１２０ｍｓ、１０２４０ｍｓであってもよい。
【０１１２】
該第１パラメータがｄｒｘ−ｓｈｏｒｔ  ｃｙｃｌｅであると仮定すれば、その値は２ｍｓ、３ｍｓ、４ｍｓ、５ｍｓ、６ｍｓ、７ｍｓ、８ｍｓ、１０ｍｓ、１４ｍｓ、１６ｍｓ、２０ｍｓ、３０ｍｓ、３２ｍｓ、３５ｍｓ、４０ｍｓ、６４ｍｓ、８０ｍｓ、１２８ｍｓ、２５６ｍｓ、３２０ｍｓ、５１２ｍｓ、６４０ｍｓであってもよい。
【０１１３】
該第１時間パラメータは例えば２０ｍｓであってもよい。
【０１１４】
選択肢として、該第１パラメータがＤＲＸパラメータである場合、該第１パラメータはネットワーク装置がＲＲＣシグナリング又は媒体アクセス制御の制御要素（ＭＡＣ  ＣＥ、Ｍｅｄｉａ  Ａｃｃｅｓｓ  Ｃｏｎｔｒｏｌ  Ｃｏｎｔｒｏｌ  Ｅｌｅｍｅｎｔ）により設定したものであってもよい。
【０１１５】
なお、該第１設定情報は該ネットワーク装置がＲＲＣシグナリングにより該端末装置に動的に設定したものであってもよく、該端末装置に予め設定されたものであってもよい。
【０１１６】
例えば、第１メッセージは第１パラメータと第１時間長さとの数値関係を示すことにより第１時間長さを示す場合、第１設定情報は第１時間長さ内にＰＤＣＣＨを監視する必要がないことを示してもよく、このとき、端末装置は第１時間長さ内にＰＤＣＣＨを監視することを停止する。
【０１１７】
また例えば、第１メッセージは第１パラメータと第１時間長さとの数値関係を示すことにより第１時間長さを示す場合、第１設定情報は第１時間長さ内にＰＤＣＣＨを監視することを示してもよく、このとき、端末装置は第１時間長さ内にＰＤＣＣＨを監視する。
【０１１８】
選択肢として、該第１メッセージはＰＤＣＣＨであり、且つ該第１メッセージは該第１メッセージにおいて伝送される第１ＤＣＩにおける少なくとも１つのビットにより、該第１パラメータと該第１時間長さとの数値関係を示すことにより該第１時間長さを示し、該端末装置は該少なくとも１つのビット及び該第１パラメータに基づいて該第１時間長さを決定する。
【０１１９】
なお、該第１ＤＣＩは該第１メッセージにおいて伝送される１つのＤＣＩであり、該第１ＤＣＩは該少なくとも１つのビットのみを含むＤＣＩであってもよく、アップリンク／ダウンリンクスケジューリングを実現するための通常のＤＣＩに該少なくとも１つのビットを追加したものであってもよい。
【０１２０】
例えば、第１パラメータの値は２０ｍｓであり、第１メッセージはその上において伝送される第１ＤＣＩにおける２つのビットにより、第１パラメータと第１時間長さとの数値関係を示すことにより第１時間長さを示す。下記表１に示すように、第１ＤＣＩの値が００である場合、第１時間長さが第１パラメータの１／４であり、即ち第１時間長さが５ｍｓであることを示し、第１ＤＣＩの値が０１である場合、第１時間長さが第１パラメータの１／２であり、即ち第１時間長さが１０ｍｓであることを示し、第１ＤＣＩの値が１０である場合、第１時間長さが第１パラメータの３／４であり、即ち第１時間長さが１５ｍｓであることを示し、第１ＤＣＩの値が１１である場合、第１時間長さが第１パラメータの４／４であり、即ち第１時間長さが２０ｍｓであることを示す。
【０１２１】
【表１】
2021518706.tif 000003
【０１２２】
なお、上記表１では、第１パラメータに対する第１時間長さの比率はネットワーク装置が設定したもの、又は予め設定されたものであってもよい。
【０１２３】
更に、上記表１では、第１パラメータと第１時間長さとの数値関係は例に過ぎず、本願の実施例では、第１時間長さは第１パラメータより大きくてもよく、第１パラメータに等しくてもよく、第１パラメータより小さくてもよく、本願は制限しない。
【０１２４】
選択肢として、該第１メッセージは識別子シーケンスであり、且つ該第１メッセージは少なくとも１つの識別子シーケンスにより、該第１パラメータと該第１時間長さとの数値関係を示すことにより該第１時間長さを示し、該端末装置は該少なくとも１つの識別子シーケンス及び該第１パラメータに基づいて該第１時間長さを決定する。
【０１２５】
例えば、第１パラメータの値は２０ｍｓであり、第１メッセージは４つの識別子シーケンスにより、第１パラメータと第１時間長さとの数値関係を示すことにより第１時間長さを示す。下記表２に示すように、識別子シーケンス１は第１時間長さが第１パラメータの１／４であり、即ち第１時間長さが５ｍｓであることを示し、識別子シーケンス２は第１時間長さが第１パラメータの１／２であり、即ち第１時間長さが１０ｍｓであることを示し、識別子シーケンス３は第１時間長さが第１パラメータの３／４であり、即ち第１時間長さが１５ｍｓであることを示し、識別子シーケンス４は第１時間長さが第１パラメータの４／４であり、即ち第１時間長さが２０ｍｓであることを示す。
【０１２６】
【表２】
2021518706.tif 000004
【０１２７】
なお、上記表２では、第１パラメータに対する第１時間長さの比率はネットワーク装置が設定したもの、又は予め設定されたものであってもよい。
【０１２８】
更に、上記表２では、第１パラメータと第１時間長さとの数値関係は例に過ぎず、本願の実施例では、第１時間長さは第１パラメータより大きくてもよく、第１パラメータに等しくてもよく、第１パラメータより小さくてもよく、本願は制限しない。
【０１２９】
選択肢として、一実施例として、該第１メッセージは該第１時間長さ内にＰＤＣＣＨを監視するかどうかを示す。このとき、該端末装置は該第１時間長さを示す第２設定情報に基づいて該第１時間長さを決定し、且つ該第１メッセージに基づいて該第１時間長さ内にＰＤＣＣＨを監視するかどうかを決定する。
【０１３０】
なお、該第２設定情報は該ネットワーク装置がＲＲＣシグナリングにより該端末装置に動的に設定したものであってもよく、該端末装置に予め設定されたものであってもよい。
【０１３１】
例えば、第２設定情報が第１時間長さを示す場合、第１メッセージは第１時間長さ内にＰＤＣＣＨを監視する必要がないことを示してもよく、このとき、端末装置は第１時間長さ内にＰＤＣＣＨを監視することを停止する。
【０１３２】
また例えば、第２設定情報が第１時間長さを示す場合、第１メッセージは第１時間長さ内にＰＤＣＣＨを監視することを示してもよく、このとき、端末装置は第１時間長さ内にＰＤＣＣＨを監視する。
【０１３３】
選択肢として、該第１メッセージはＰＤＣＣＨであり、且つ該第１メッセージは該第１メッセージにおいて伝送される第１ＤＣＩにおける第１ビットにより該第１時間長さ内にＰＤＣＣＨを監視するかどうかを示し、該第１ビットが０である場合、該第１時間長さ内にＰＤＣＣＨを監視することを示し、該第１ビットが１である場合、該第１時間長さ内にＰＤＣＣＨを監視する必要がないことを示す。
【０１３４】
なお、該第１ＤＣＩは該第１メッセージにおいて伝送される１つのＤＣＩであり、該第１ＤＣＩは該第１ビットのみを含むＤＣＩであってもよく、アップリンク／ダウンリンクスケジューリングを実現するための通常のＤＣＩに該第１ビットを追加したものであってもよい。
【０１３５】
理解されるように、該第１ビットは該第１ＤＣＩにおける１つの特定ビットである。
【０１３６】
例えば、該第１ビットが０である場合、該端末装置は該第１ビットに基づいて、該第１時間長さ内にＰＤＣＣＨを監視することを決定し、又は、該第１ビットが１である場合、該端末装置は該第１ビットに基づいて、該第１時間長さ内にＰＤＣＣＨを監視する必要がないことを決定する。
【０１３７】
選択肢として、該第１メッセージは識別子シーケンスであり、且つ該第１メッセージは第１識別子シーケンスにより該第１時間長さ内にＰＤＣＣＨを監視することを示し、且つ第２識別子シーケンスにより該第１時間長さ内にＰＤＣＣＨを監視する必要がないことを示す。
【０１３８】
例えば、該第１メッセージが該第１識別子シーケンスを含む場合、該端末装置は該第１識別子シーケンスに基づいて、該第１時間長さ内にＰＤＣＣＨを監視することを決定し、又は、該第１メッセージが該第２識別子シーケンスを含む場合、該端末装置は該第２識別子シーケンスに基づいて該第１時間長さ内にＰＤＣＣＨを監視する必要がないことを決定する。
【０１３９】
選択肢として、一実施例として、該第１メッセージは該第１時間長さを示し、且つ該第１時間長さ内にＰＤＣＣＨを監視するかどうかを示す。このとき、該端末装置は該第１メッセージに基づいて該第１時間長さを決定し、且つ該第１時間長さ内にＰＤＣＣＨを監視するかどうかを決定する。
【０１４０】
具体的に、該第１メッセージは、該第１時間長さを示す第１指示情報と、該第１時間長さ内にＰＤＣＣＨを監視するかどうかを示す第２指示情報とを含み、該端末装置は該第１指示情報に基づいて該第１時間長さを決定し、且つ該第２指示情報に基づいて該第１時間長さ内にＰＤＣＣＨを監視するかどうかを決定する。
【０１４１】
選択肢として、該第１メッセージはＰＤＣＣＨ及び／又は識別子シーケンスである。
【０１４２】
例えば、第１指示情報はＰＤＣＣＨであり、第２指示情報は識別子シーケンスである。
【０１４３】
また例えば、第１指示情報は識別子シーケンスであり、第２指示情報はＰＤＣＣＨである。
【０１４４】
また例えば、第１指示情報はＰＤＣＣＨであり、第２指示情報はＰＤＣＣＨである。
【０１４５】
更に、例えば、第１指示情報は識別子シーケンスであり、第２指示情報は識別子シーケンスである。
【０１４６】
選択肢として、該第１指示情報はＰＤＣＣＨであり、該第１指示情報は該第１メッセージにおいて伝送される第１ＤＣＩにおける少なくとも１つのビットにより該第１時間長さを示し、該端末装置は該少なくとも１つのビットに基づいて該第１時間長さを決定する。
【０１４７】
例えば、第１ＤＣＩにおける２つのビットにより４種類の時間の長さを示してもよい。例えば、００は０時間長さを示し、０１は２ｍｓ又は２ｓｌｏｔを示し、１０は４ｍｓ又は４ｓｌｏｔを示し、１１は１６ｍｓ又は１６ｓｌｏｔを示す。
【０１４８】
選択肢として、該第１指示情報は識別子シーケンスであり、該第１指示情報は少なくとも１つの識別子シーケンスにより該第１時間長さを示し、該端末装置は該少なくとも１つの識別子シーケンスに基づいて該第１時間長さを決定する。
【０１４９】
例えば、４種類の識別子シーケンスにより４種類の時間の長さを示してもよい。例えば、識別子シーケンス１は０時間長さを示し、識別子シーケンス２は２ｍｓ又は２ｓｌｏｔを示し、識別子シーケンス３は４ｍｓ又は４ｓｌｏｔを示し、識別子シーケンス４は１６ｍｓ又は１６ｓｌｏｔを示す。
【０１５０】
選択肢として、該第２指示情報はＰＤＣＣＨであり、該第２指示情報は該第１メッセージにおいて伝送される第２ＤＣＩにおける第１ビットにより該第１時間長さ内にＰＤＣＣＨを監視するかどうかを示し、該第１ビットが０である場合、該第１時間長さ内にＰＤＣＣＨを監視することを示し、該第１ビットが１である場合、該第１時間長さ内にＰＤＣＣＨを監視する必要がないことを示す。
【０１５１】
例えば、該第１ビットが０である場合、該端末装置は該第１ビットに基づいて該第１時間長さ内にＰＤＣＣＨを監視することを決定し、又は、該第１ビットが１である場合、該端末装置は該第１ビットに基づいて該第１時間長さ内にＰＤＣＣＨを監視する必要がないことを決定する。
【０１５２】
選択肢として、該第２指示情報は識別子シーケンスであり、該第２指示情報は第１識別子シーケンスにより該第１時間長さ内にＰＤＣＣＨを監視することを示し、且つ第２識別子シーケンスにより該第１時間長さ内にＰＤＣＣＨを監視する必要がないことを示す。
【０１５３】
例えば、該第１メッセージが該第１識別子シーケンスを含む場合、該端末装置は該第１識別子シーケンスに基づいて、該第１時間長さ内にＰＤＣＣＨを監視することを決定し、又は、該第１メッセージが該第２識別子シーケンスを含む場合、該端末装置は該第２識別子シーケンスに基づいて、該第１時間長さ内にＰＤＣＣＨを監視する必要がないことを決定する。
【０１５４】
なお、該第１メッセージが第１指示情報と第２指示情報を含む場合、該第１メッセージにおいて伝送される該第１ＤＣＩと該第２ＤＣＩとは同一のＤＣＩであってもよく、このＤＣＩは、該第１時間長さを示す該少なくとも１つのビットと、該第１時間長さ内にＰＤＣＣＨを監視するかどうかを示す該第１ビットとを含み、且つ該少なくとも１つのビットには該第１ビットが含まれていない。
【０１５５】
更に、なお、該第１メッセージが第１指示情報と第２指示情報を含む場合、該第１時間長さを示す該少なくとも１つの識別子シーケンスは、該第１時間長さ内にＰＤＣＣＨを監視するかどうかを示す該第１識別子シーケンス及び該第２識別子シーケンスと異なり、すなわち、該少なくとも１つの識別子シーケンスには該第１識別子シーケンス及び該第２識別子シーケンスが含まれていない。
【０１５６】
選択肢として、一実施例として、該第１メッセージは該第１時間長さを示し、且つ該第１時間長さ内にＰＤＣＣＨを監視するかどうかを示し、該第１メッセージは第１パラメータと該第１時間長さとの数値関係を示すことにより該第１時間長さを示し、該第１パラメータはＤＲＸパラメータ又は第１時間パラメータである。このとき、該端末装置は該第１メッセージ及び該第１パラメータに基づいて該第１時間長さを決定し、且つ該第１メッセージに基づいて該第１時間長さ内にＰＤＣＣＨを監視するかどうかを決定する。
【０１５７】
選択肢として、該第１時間パラメータは予め設定されたもの、又はネットワーク装置が通知したものである。例えば、該ネットワーク装置はＲＲＣシグナリング又はＭＡＣ  ＣＥシグナリングにより該端末装置に該第１時間パラメータを送信する。
【０１５８】
選択肢として、該第１パラメータがＤＲＸパラメータである場合、該第１パラメータはＤＲＸアクティブ期間タイマー（ｄｒｘ−ｏｎＤｕｒａｔｉｏｎＴｉｍｅｒ）、ＤＲＸディアクティブ期間タイマー（ｄｒｘ−ＩｎａｃｔｉｖｉｔｙＴｉｍｅｒ）、ロングＤＲＸ周期（ｄｒｘ−ｌｏｎｇ  ｃｙｃｌｅ）、ショートＤＲＸ周期（ｄｒｘ−ｓｈｏｒｔ  ｃｙｃｌｅ）のうちの１つである。
【０１５９】
該第１パラメータがｄｒｘ−ｏｎＤｕｒａｔｉｏｎＴｉｍｅｒであると仮定すれば、その値は１ｍｓ、２ｍｓ、３ｍｓ、４ｍｓ、５ｍｓ、６ｍｓ、８ｍｓ、１０ｍｓ、２０ｍｓ、３０ｍｓ、４０ｍｓ、５０ｍｓ、６０ｍｓ、８０ｍｓ、１００ｍｓ、２００ｍｓ、３００ｍｓ、４００ｍｓ、５００ｍｓ、６００ｍｓ、８００ｍｓ、１０００ｍｓ、１２００ｍｓ、１６００ｍｓであってもよい。
【０１６０】
該第１パラメータがｄｒｘ−ｌｏｎｇ  ｃｙｃｌｅであると仮定すれば、その値は１０ｍｓ、２０ｍｓ、３２ｍｓ、４０ｍｓ、６０ｍｓ、６４ｍｓ、７０ｍｓ、８０ｍｓ、１２８ｍｓ、１６０ｍｓ、２５６ｍｓ、３２０ｍｓ、５１２ｍｓ、６４０ｍｓ、１０２４ｍｓ、１２８０ｍｓ、２０４８ｍｓ、２５６０ｍｓ、５１２０ｍｓ、１０２４０ｍｓであってもよい。
【０１６１】
該第１パラメータがｄｒｘ−ｓｈｏｒｔ  ｃｙｃｌｅであると仮定すれば、その値は２ｍｓ、３ｍｓ、４ｍｓ、５ｍｓ、６ｍｓ、７ｍｓ、８ｍｓ、１０ｍｓ、１４ｍｓ、１６ｍｓ、２０ｍｓ、３０ｍｓ、３２ｍｓ、３５ｍｓ、４０ｍｓ、６４ｍｓ、８０ｍｓ、１２８ｍｓ、２５６ｍｓ、３２０ｍｓ、５１２ｍｓ、６４０ｍｓであってもよい。
【０１６２】
該第１時間パラメータは例えば２０ｍｓであってもよい。
【０１６３】
選択肢として、該第１パラメータがＤＲＸパラメータである場合、該第１パラメータはネットワーク装置がＲＲＣシグナリング又はＭＡＣ  ＣＥにより設定したものであってもよい。
【０１６４】
具体的に、該第１メッセージは、該第１パラメータと該第１時間長さとの数値関係を示すことにより該第１時間長さを示す第１指示情報と、該第１時間長さ内にＰＤＣＣＨを監視するかどうかを示す第２指示情報とを含み、該端末装置は該第１指示情報及び該第１パラメータに基づいて該第１時間長さを決定し、且つ該第２指示情報に基づいて該第１時間長さ内にＰＤＣＣＨを監視するかどうかを決定する。
【０１６５】
選択肢として、該第１メッセージはＰＤＣＣＨ及び／又は識別子シーケンスである。
【０１６６】
例えば、第１指示情報はＰＤＣＣＨであり、第２指示情報は識別子シーケンスである。
【０１６７】
また例えば、第１指示情報は識別子シーケンスであり、第２指示情報はＰＤＣＣＨである。
【０１６８】
また例えば、第１指示情報はＰＤＣＣＨであり、第２指示情報はＰＤＣＣＨである。
【０１６９】
更に、例えば、第１指示情報は識別子シーケンスであり、第２指示情報は識別子シーケンスである。
【０１７０】
選択肢として、該第１指示情報はＰＤＣＣＨであり、該第１指示情報は該第１メッセージにおいて伝送される第１ＤＣＩにおける少なくとも１つのビットにより、該第１パラメータと該第１時間長さとの数値関係を示すことにより該第１時間長さを示し、該端末装置は該少なくとも１つのビット及び該第１パラメータに基づいて該第１時間長さを決定する。
【０１７１】
例えば、第１パラメータの値は３０ｍｓであり、第１メッセージはその上において伝送される第１ＤＣＩにおける２つのビットにより第１パラメータと第１時間長さとの数値関係を示すことにより第１時間長さを示す。下記表３に示すように、第１ＤＣＩの値が００である場合、第１時間長さが第１パラメータの１／５であり、即ち第１時間長さが６ｍｓであることを示し、第１ＤＣＩの値が０１である場合、第１時間長さが第１パラメータの２／５であり、即ち第１時間長さが１２ｍｓであることを示し、第１ＤＣＩの値が１０である場合、第１時間長さが第１パラメータの３／５であり、即ち第１時間長さが１８ｍｓであることを示し、第１ＤＣＩの値が１１である場合、第１時間長さが第１パラメータの４／５であり、即ち第１時間長さが２４ｍｓであることを示す。
【０１７２】
【表３】
2021518706.tif 000005
【０１７３】
なお、上記表３では、第１パラメータに対する第１時間長さの比率はネットワーク装置が設定したもの、又は予め設定されたものであってもよい。
【０１７４】
更に、上記表３では、第１パラメータと第１時間長さとの数値関係は例に過ぎず、本願の実施例では、第１時間長さは第１パラメータより大きくてもよく、第１パラメータに等しくてもよく、第１パラメータより小さくてもよく、本願は制限しない。
【０１７５】
選択肢として、該第１指示情報は識別子シーケンスであり、該第１指示情報は少なくとも１つの識別子シーケンスにより、該第１パラメータと該第１時間長さとの数値関係を示すことにより該第１時間長さを示し、該端末装置は該少なくとも１つの識別子シーケンス及び該第１パラメータに基づいて該第１時間長さを決定する。
【０１７６】
例えば、第１パラメータの値は３２ｍｓであり、第１メッセージは４つの識別子シーケンスにより、第１パラメータと第１時間長さとの数値関係を示すことにより第１時間長さを示す。下記表４に示すように、識別子シーケンス１は第１時間長さが第１パラメータの１／８であり、即ち第１時間長さが４ｍｓであることを示し、識別子シーケンス２は第１時間長さが第１パラメータの１／４であり、即ち第１時間長さが８ｍｓであることを示し、識別子シーケンス３は第１時間長さが第１パラメータの３／８であり、即ち第１時間長さが１２ｍｓであることを示し、識別子シーケンス４は第１時間長さが第１パラメータの１／２であり、即ち第１時間長さが１６ｍｓであることを示す。
【０１７７】
【表４】
2021518706.tif 000006
【０１７８】
なお、上記表４では、第１パラメータに対する第１時間長さの比率はネットワーク装置が設定したもの、又は予め設定されたものであってもよい。
【０１７９】
更に、上記表４では、第１パラメータと第１時間長さとの数値関係は例に過ぎず、本願の実施例では、第１時間長さは第１パラメータより大きくてもよく、第１パラメータに等しくてもよく、第１パラメータより小さくてもよく、本願は制限しない。
【０１８０】
選択肢として、該第２指示情報はＰＤＣＣＨであり、該第２指示情報は該第１メッセージにおいて伝送される第２ＤＣＩにおける第１ビットにより該第１時間長さ内にＰＤＣＣＨを監視するかどうかを示し、該第１ビットが０である場合、該第１時間長さ内にＰＤＣＣＨを監視することを示し、該第１ビットが１である場合、該第１時間長さ内にＰＤＣＣＨを監視する必要がないことを示す。
【０１８１】
例えば、該第１ビットが０である場合、該端末装置は該第１ビットに基づいて、該第１時間長さ内にＰＤＣＣＨを監視することを決定し、又は、該第１ビットが１である場合、該端末装置は該第１ビットに基づいて、該第１時間長さ内にＰＤＣＣＨを監視する必要がないことを決定する。
【０１８２】
選択肢として、該第２指示情報は識別子シーケンスであり、該第２指示情報は第１識別子シーケンスにより該第１時間長さ内にＰＤＣＣＨを監視することを示し、且つ第２識別子シーケンスにより該第１時間長さ内にＰＤＣＣＨを監視する必要がないことを示す。
【０１８３】
例えば、該第１メッセージが該第１識別子シーケンスを含む場合、該端末装置は該第１識別子シーケンスに基づいて、該第１時間長さ内にＰＤＣＣＨを監視することを決定し、又は、該第１メッセージが該第２識別子シーケンスを含む場合、該端末装置は該第２識別子シーケンスに基づいて、該第１時間長さ内にＰＤＣＣＨを監視する必要がないことを決定する。
【０１８４】
なお、該第１メッセージが第１指示情報と第２指示情報を含む場合、該第１メッセージにおいて伝送される該第１ＤＣＩと該第２ＤＣＩとは同一のＤＣＩであってもよく、このＤＣＩは該第１時間長さを示す該少なくとも１つのビットと、該第１時間長さ内にＰＤＣＣＨを監視するかどうかを示す該第１ビットとを含み、且つ該少なくとも１つのビットには該第１ビットが含まれていない。
【０１８５】
更に、該第１メッセージが第１指示情報と第２指示情報を含む場合、該第１時間長さを示す該少なくとも１つの識別子シーケンスは、該第１時間長さ内にＰＤＣＣＨを監視するかどうかを示す該第１識別子シーケンス及び該第２識別子シーケンスと異なり、すなわち、該少なくとも１つの識別子シーケンスには該第１識別子シーケンス及び該第２識別子シーケンスが含まれていない。
【０１８６】
従って、本願の実施例のＰＤＣＣＨの監視方法では、端末装置は第１時間長さを示し、及び／又は、第１時間長さ内にＰＤＣＣＨを監視するかどうかを示す第１メッセージに基づいてＰＤＣＣＨを監視してもよく、ＰＤＣＣＨ監視ウィンドウの設定によりＰＤＣＣＨを連続監視することによる電力の浪費を回避し、それにより端末装置がＰＤＣＣＨを監視する際の電力損失を低減する。
【０１８７】
図３は本願の実施例に係るＰＤＣＣＨの監視方法３００の模式的なフローチャートである。選択肢として、該方法３００は図１に示されるシステムに適用されてもよいが、これに限らない。該方法３００は以下の内容の少なくとも一部を含む。
【０１８８】
Ｓ３１０、ネットワーク装置は第１メッセージを端末装置に送信し、該第１メッセージは第１時間長さを示し、及び／又は、該第１時間長さ内にＰＤＣＣＨを監視するかどうかを示す。
【０１８９】
選択肢として、該ネットワーク装置は自体のスケジューリング状況に応じて該第１メッセージを決定してもよい。例えば、ネットワーク装置は現在のシステム全体のサービス負荷及びスケジューリングキューの長さの予測、又は端末装置のサービス特徴、遅延要求等の要素に基づいてまとめて第１メッセージを決定してもよい。
【０１９０】
Ｓ３２０、該ネットワーク装置は該第１メッセージに基づいて該端末装置に対するＰＤＣＣＨを送信する。
【０１９１】
選択肢として、該ネットワーク装置は該端末装置に該第１メッセージを周期的に送信する。
【０１９２】
選択肢として、該ネットワーク装置が該第１メッセージを送信する周期は該端末装置がＰＤＣＣＨを監視する周期以上である。
【０１９３】
選択肢として、該第１メッセージが該第１時間長さを示す場合、該方法は更に、
該ネットワーク装置がＲＲＣシグナリングにより第１設定情報を該端末装置に送信し、該第１設定情報は該第１時間長さ内にＰＤＣＣＨを監視するかどうかを示すことを含み、
該ネットワーク装置が該第１メッセージに基づいて、該端末装置に対するＰＤＣＣＨを送信することは、
該ネットワーク装置は該第１メッセージに基づいて該第１時間長さを決定し、且つ第１設定情報に基づいて、該第１時間長さ内に該端末装置に対するＰＤＣＣＨを送信するかどうかを決定することを含む。
【０１９４】
具体的に、該第１メッセージが該第１時間長さを示す場合、該端末装置は該第１メッセージに基づいて該第１時間長さを決定し、且つ該第１設定情報に基づいて、該第１時間長さ内にＰＤＣＣＨを監視するかどうかを決定してもよい。即ち、ネットワーク装置は該端末装置に該第１設定情報を別途設定する必要がある。当然ながら、該第１設定情報も該端末装置側に予め設定されたものであってもよく、このとき、該ネットワーク装置は該端末装置にこの情報を別途設定する必要がない。
【０１９５】
例えば、第１メッセージが第１時間長さを示す場合、第１設定情報は第１時間長さ内にＰＤＣＣＨを監視する必要がないことを示してもよく、このとき、端末装置は第１時間長さ内にＰＤＣＣＨを監視することを停止する。
【０１９６】
また例えば、第１メッセージが第１時間長さを示す場合、第１設定情報は第１時間長さ内にＰＤＣＣＨを監視することを示してもよく、このとき、端末装置は第１時間長さ内にＰＤＣＣＨを監視する。
【０１９７】
選択肢として、該第１メッセージはＰＤＣＣＨであり、
該第１メッセージは該第１メッセージにおいて伝送される第１ＤＣＩにおける少なくとも１つのビットにより該第１時間長さを示し、
該ネットワーク装置が該第１メッセージに基づいて該第１時間長さを決定することは、
該ネットワーク装置が該少なくとも１つのビットに基づいて該第１時間長さを決定することを含む。
【０１９８】
なお、該第１ＤＣＩは該第１メッセージにおいて伝送される１つのＤＣＩであり、該第１ＤＣＩは該少なくとも１つのビットのみを含むＤＣＩであってもよく、アップリンク／ダウンリンクスケジューリングを実現するための通常のＤＣＩに該少なくとも１つのビットを追加したものであってもよい。
【０１９９】
例えば、第１ＤＣＩにおける２つのビットにより４種類の時間の長さを示してもよい。例えば、００は０時間長さを示し、０１は２ｍｓ又は２ｓｌｏｔを示し、１０は４ｍｓ又は４ｓｌｏｔを示し、１１は１６ｍｓ又は１６ｓｌｏｔを示す。
【０２００】
選択肢として、該第１メッセージは識別子シーケンスであり、
該第１メッセージは少なくとも１つの識別子シーケンスにより該第１時間長さを示し、
該ネットワーク装置が該第１メッセージに基づいて該第１時間長さを決定することは、
該ネットワーク装置が該少なくとも１つの識別子シーケンスに基づいて該第１時間長さを決定することを含む。
【０２０１】
例えば、４種類の識別子シーケンスにより４種類の時間の長さを示してもよい。例えば、識別子シーケンス１は０時間長さを示し、識別子シーケンス２は２ｍｓ又は２ｓｌｏｔを示し、識別子シーケンス３は４ｍｓ又は４ｓｌｏｔを示し、識別子シーケンス４は１６ｍｓ又は１６ｓｌｏｔを示す。
【０２０２】
選択肢として、本願の実施例では、該第１メッセージが該第１時間長さを示す場合、該第１メッセージは第１パラメータと該第１時間長さとの数値関係を示すことにより該第１時間長さを示す。
【０２０３】
選択肢として、該第１パラメータはＤＲＸパラメータ又は第１時間パラメータである。
【０２０４】
選択肢として、該ネットワーク装置はＲＲＣシグナリングにより第１設定情報を該端末装置に送信し、該第１設定情報は該第１時間長さ内にＰＤＣＣＨを監視するかどうかを示す。
【０２０５】
更に、該ネットワーク装置は該第１メッセージ及び該第１パラメータに基づいて該第１時間長さを決定し、且つ該第１設定情報に基づいて、該第１時間長さ内に該端末装置に対するＰＤＣＣＨを送信するかどうかを決定する。
【０２０６】
選択肢として、前記第１パラメータがＤＲＸパラメータである場合、前記第１パラメータはＤＲＸアクティブ期間タイマー（ｄｒｘ−ｏｎＤｕｒａｔｉｏｎＴｉｍｅｒ）、ＤＲＸディアクティブ期間タイマー（ｄｒｘ−ＩｎａｃｔｉｖｉｔｙＴｉｍｅｒ）、ロングＤＲＸ周期（ｄｒｘ−ｌｏｎｇ  ｃｙｃｌｅ）、ショートＤＲＸ周期（ｄｒｘ−ｓｈｏｒｔ  ｃｙｃｌｅ）のうちの１つである。
【０２０７】
該第１パラメータがｄｒｘ−ｏｎＤｕｒａｔｉｏｎＴｉｍｅｒであると仮定すれば、その値は１ｍｓ、２ｍｓ、３ｍｓ、４ｍｓ、５ｍｓ、６ｍｓ、８ｍｓ、１０ｍｓ、２０ｍｓ、３０ｍｓ、４０ｍｓ、５０ｍｓ、６０ｍｓ、８０ｍｓ、１００ｍｓ、２００ｍｓ、３００ｍｓ、４００ｍｓ、５００ｍｓ、６００ｍｓ、８００ｍｓ、１０００ｍｓ、１２００ｍｓ、１６００ｍｓであってもよい。
【０２０８】
該第１パラメータがｄｒｘ−ｌｏｎｇ  ｃｙｃｌｅであると仮定すれば、その値は１０ｍｓ、２０ｍｓ、３２ｍｓ、４０ｍｓ、６０ｍｓ、６４ｍｓ、７０ｍｓ、８０ｍｓ、１２８ｍｓ、１６０ｍｓ、２５６ｍｓ、３２０ｍｓ、５１２ｍｓ、６４０ｍｓ、１０２４ｍｓ、１２８０ｍｓ、２０４８ｍｓ、２５６０ｍｓ、５１２０ｍｓ、１０２４０ｍｓであってもよい。
【０２０９】
該第１パラメータがｄｒｘ−ｓｈｏｒｔ  ｃｙｃｌｅであると仮定すれば、その値は２ｍｓ、３ｍｓ、４ｍｓ、５ｍｓ、６ｍｓ、７ｍｓ、８ｍｓ、１０ｍｓ、１４ｍｓ、１６ｍｓ、２０ｍｓ、３０ｍｓ、３２ｍｓ、３５ｍｓ、４０ｍｓ、６４ｍｓ、８０ｍｓ、１２８ｍｓ、２５６ｍｓ、３２０ｍｓ、５１２ｍｓ、６４０ｍｓであってもよい。
【０２１０】
該第１時間パラメータは例えば２０ｍｓであってもよい。
【０２１１】
選択肢として、本願の実施例では、該ネットワーク装置はＲＲＣシグナリング又はＭＡＣ  ＣＥシグナリングにより該端末装置に該第１パラメータを送信してもよい。
【０２１２】
選択肢として、本願の実施例では、該ネットワーク装置はＲＲＣシグナリング又はＭＡＣ  ＣＥシグナリングにより該端末装置に該第１時間パラメータを送信してもよい。
【０２１３】
選択肢として、本願の実施例では、該ネットワーク装置はＲＲＣシグナリング又はＭＡＣ  ＣＥシグナリングにより該端末装置に該第１設定情報を送信する。
【０２１４】
例えば、第１メッセージは第１パラメータと第１時間長さとの数値関係を示すことにより第１時間長さを示す場合、第１設定情報は第１時間長さ内にＰＤＣＣＨを監視する必要がないことを示してもよく、このとき、端末装置は第１時間長さ内にＰＤＣＣＨを監視することを停止する。
【０２１５】
また例えば、第１メッセージは第１パラメータと第１時間長さとの数値関係を示すことにより第１時間長さを示す場合、第１設定情報は第１時間長さ内にＰＤＣＣＨを監視することを示してもよく、このとき、端末装置は第１時間長さ内にＰＤＣＣＨを監視する。
【０２１６】
選択肢として、該第１メッセージはＰＤＣＣＨであり、該第１メッセージは該第１メッセージにおいて伝送される第１ＤＣＩにおける少なくとも１つのビットにより、該第１パラメータと該第１時間長さとの数値関係を示すことにより該第１時間長さを示す。更に、該ネットワーク装置は該少なくとも１つのビット及び該第１パラメータに基づいて該第１時間長さを決定する。
【０２１７】
なお、該第１ＤＣＩは該第１メッセージにおいて伝送される１つのＤＣＩであり、該第１ＤＣＩは該少なくとも１つのビットのみを含むＤＣＩであってもよく、アップリンク／ダウンリンクスケジューリングを実現するための通常のＤＣＩに該少なくとも１つのビットを追加したものであってもよい。
【０２１８】
例えば、第１パラメータの値は２０ｍｓであり、第１メッセージはその上において伝送される第１ＤＣＩにおける２つのビットにより、第１パラメータと第１時間長さとの数値関係を示すことにより第１時間長さを示す。上記表１に示すように、第１ＤＣＩの値が００である場合、第１時間長さが第１パラメータの１／４であり、即ち第１時間長さが５ｍｓであることを示し、第１ＤＣＩの値が０１である場合、第１時間長さが第１パラメータの１／２であり、即ち第１時間長さが１０ｍｓであることを示し、第１ＤＣＩの値が１０である場合、第１時間長さが第１パラメータの３／４であり、即ち第１時間長さが１５ｍｓであることを示し、第１ＤＣＩの値が１１である場合、第１時間長さが第１パラメータの４／４であり、即ち第１時間長さが２０ｍｓであることを示す。
【０２１９】
選択肢として、該第１メッセージは識別子シーケンスであり、該第１メッセージは少なくとも１つの識別子シーケンスにより、該第１パラメータと該第１時間長さとの数値関係を示すことにより該第１時間長さを示す。更に、該ネットワーク装置は該少なくとも１つの識別子シーケンス及び該第１パラメータに基づいて該第１時間長さを決定する。
【０２２０】
例えば、第１パラメータの値は２０ｍｓであり、第１メッセージは４つの識別子シーケンスにより、第１パラメータと第１時間長さとの数値関係を示すことにより第１時間長さを示す。上記表２に示すように、識別子シーケンス１は第１時間長さが第１パラメータの１／４であり、即ち第１時間長さが５ｍｓであることを示し、識別子シーケンス２は第１時間長さが第１パラメータの１／２であり、即ち第１時間長さが１０ｍｓであることを示し、識別子シーケンス３は第１時間長さが第１パラメータの３／４であり、即ち第１時間長さが１５ｍｓであることを示し、識別子シーケンス４は第１時間長さが第１パラメータの４／４であり、即ち第１時間長さが２０ｍｓであることを示す。
【０２２１】
選択肢として、該第１メッセージは該第１時間長さ内にＰＤＣＣＨを監視するかどうかを示す場合、該方法は更に、
該ネットワーク装置がＲＲＣシグナリングにより、該第１時間長さを示す第２設定情報を該端末装置に送信することを含み、
該ネットワーク装置が該第１メッセージに基づいて、該端末装置に対するＰＤＣＣＨを送信することは、
該ネットワーク装置は第２設定情報に基づいて該第１時間長さを決定し、且つ該第１メッセージに基づいて、該第１時間長さ内に該端末装置に対するＰＤＣＣＨを送信するかどうかを決定することを含む。
【０２２２】
選択肢として、該第１メッセージはＰＤＣＣＨであり、
該第１メッセージは該第１メッセージにおいて伝送される第１ＤＣＩにおける第１ビットにより該第１時間長さ内にＰＤＣＣＨを監視するかどうかを示し、
該第１ビットが０である場合、該第１時間長さ内にＰＤＣＣＨを監視することを示し、該第１ビットが１である場合、該第１時間長さ内にＰＤＣＣＨを監視する必要がないことを示し、
該ネットワーク装置が該第１メッセージに基づいて、該第１時間長さ内に該端末装置に対するＰＤＣＣＨを送信するかどうかを決定することは、
該第１ビットが０である場合、該ネットワーク装置は該第１ビットに基づいて、該第１時間長さ内に該端末装置に対するＰＤＣＣＨを送信することを決定すること、又は、
該第１ビットが１である場合、該ネットワーク装置は該第１ビットに基づいて、該第１時間長さ内に該端末装置に対するＰＤＣＣＨを送信する必要がないことを決定することを含む。
【０２２３】
選択肢として、該第１メッセージは識別子シーケンスであり、
該第１メッセージは第１識別子シーケンスにより該第１時間長さ内にＰＤＣＣＨを監視することを示し、且つ第２識別子シーケンスにより該第１時間長さ内にＰＤＣＣＨを監視する必要がないことを示し、
該ネットワーク装置が該第１メッセージに基づいて、該第１時間長さ内に該端末装置に対するＰＤＣＣＨを送信するかどうかを決定することは、
該第１メッセージが該第１識別子シーケンスを含む場合、該ネットワーク装置は該第１識別子シーケンスに基づいて、該第１時間長さ内に該端末装置に対するＰＤＣＣＨを送信することを決定すること、又は、
該第１メッセージが該第２識別子シーケンスを含む場合、該ネットワーク装置は該第２識別子シーケンスに基づいて、該第１時間長さ内に該端末装置に対するＰＤＣＣＨを送信する必要がないことを決定することを含む。
【０２２４】
選択肢として、該第１メッセージは該第１時間長さを示し、且つ該第１時間長さ内にＰＤＣＣＨを監視するかどうかを示す場合、
該ネットワーク装置が該第１メッセージに基づいて、該端末装置に対するＰＤＣＣＨを送信することは、
該ネットワーク装置は該第１メッセージに基づいて該第１時間長さを決定し、且つ該第１時間長さ内に該端末装置に対するＰＤＣＣＨを送信するかどうかを決定することを含む。
【０２２５】
選択肢として、該第１メッセージは、該第１時間長さを示す第１指示情報と、該第１時間長さ内にＰＤＣＣＨを監視するかどうかを示す第２指示情報とを含み、
該ネットワーク装置が該第１メッセージに基づいて該第１時間長さを決定し、且つ該第１時間長さ内に該端末装置に対するＰＤＣＣＨを送信するかどうかを決定することは、
該ネットワーク装置は該第１指示情報に基づいて該第１時間長さを決定し、且つ該第２指示情報に基づいて、該第１時間長さ内に該端末装置に対するＰＤＣＣＨを送信するかどうかを決定することを含む。
【０２２６】
選択肢として、該第１メッセージはＰＤＣＣＨ及び／又は識別子シーケンスである。
【０２２７】
選択肢として、該第１指示情報は該第１メッセージにおいて伝送される第１ＤＣＩにおける少なくとも１つのビットにより該第１時間長さを示し、
該ネットワーク装置が該第１指示情報に基づいて該第１時間長さを決定することは、
該ネットワーク装置が該少なくとも１つのビットに基づいて該第１時間長さを決定することを含む。
【０２２８】
選択肢として、該第１指示情報は少なくとも１つの識別子シーケンスにより該第１時間長さを示し、
該ネットワーク装置が該第１指示情報に基づいて該第１時間長さを決定することは、
該ネットワーク装置が該少なくとも１つの識別子シーケンスに基づいて該第１時間長さを決定することを含む。
【０２２９】
選択肢として、該第２指示情報は該第１メッセージにおいて伝送される第２ＤＣＩにおける第１ビットにより該第１時間長さ内にＰＤＣＣＨを監視するかどうかを示し、該第１ビットが０である場合、該第１時間長さ内にＰＤＣＣＨを監視することを示し、該第１ビットが１である場合、該第１時間長さ内にＰＤＣＣＨを監視する必要がないことを示し、
該ネットワーク装置が該第２指示情報に基づいて、該第１時間長さ内に該端末装置に対するＰＤＣＣＨを送信するかどうかを決定することは、
該第１ビットが０である場合、該ネットワーク装置は該第１ビットに基づいて、該第１時間長さ内に該端末装置に対するＰＤＣＣＨを送信することを決定すること、又は、
該第１ビットが１である場合、該ネットワーク装置は該第１ビットに基づいて、該第１時間長さ内に該端末装置に対するＰＤＣＣＨを送信する必要がないことを決定することを含む。
【０２３０】
選択肢として、該第２指示情報は第１識別子シーケンスにより該第１時間長さ内にＰＤＣＣＨを監視することを示し、且つ第２識別子シーケンスにより該第１時間長さ内にＰＤＣＣＨを監視する必要がないことを示し、
該ネットワーク装置が該第２指示情報に基づいて、該第１時間長さ内に該端末装置に対するＰＤＣＣＨを送信するかどうかを決定することは、
該第１メッセージが該第１識別子シーケンスを含む場合、該ネットワーク装置は該第１識別子シーケンスに基づいて、該第１時間長さ内に該端末装置に対するＰＤＣＣＨを送信することを決定すること、又は、
該第１メッセージが該第２識別子シーケンスを含む場合、該ネットワーク装置は該第２識別子シーケンスに基づいて、該第１時間長さ内に該端末装置に対するＰＤＣＣＨを送信する必要がないことを決定することを含む。
【０２３１】
選択肢として、本願の実施例では、該第１メッセージは該第１時間長さを示し、且つ該第１時間長さ内にＰＤＣＣＨを監視するかどうかを示す場合、該第１メッセージは第１パラメータと該第１時間長さとの数値関係を示すことにより該第１時間長さを示し、該第１パラメータはＤＲＸパラメータ又は第１時間パラメータである。更に、該ネットワーク装置は該第１メッセージ及び該第１パラメータに基づいて該第１時間長さを決定し、且つ該第１メッセージに基づいて、該第１時間長さ内に該端末装置に対するＰＤＣＣＨを送信するかどうかを決定する。
【０２３２】
選択肢として、該第１パラメータがＤＲＸパラメータである場合、該第１パラメータはＤＲＸアクティブ期間タイマー（ｄｒｘ−ｏｎＤｕｒａｔｉｏｎＴｉｍｅｒ）、ＤＲＸディアクティブ期間タイマー（ｄｒｘ−ＩｎａｃｔｉｖｉｔｙＴｉｍｅｒ）、ロングＤＲＸ周期（ｄｒｘ−ｌｏｎｇ  ｃｙｃｌｅ）、ショートＤＲＸ周期（ｄｒｘ−ｓｈｏｒｔ  ｃｙｃｌｅ）のうちの１つである。
【０２３３】
該第１パラメータがｄｒｘ−ｏｎＤｕｒａｔｉｏｎＴｉｍｅｒであると仮定すれば、その値は１ｍｓ、２ｍｓ、３ｍｓ、４ｍｓ、５ｍｓ、６ｍｓ、８ｍｓ、１０ｍｓ、２０ｍｓ、３０ｍｓ、４０ｍｓ、５０ｍｓ、６０ｍｓ、８０ｍｓ、１００ｍｓ、２００ｍｓ、３００ｍｓ、４００ｍｓ、５００ｍｓ、６００ｍｓ、８００ｍｓ、１０００ｍｓ、１２００ｍｓ、１６００ｍｓであってもよい。
【０２３４】
該第１パラメータがｄｒｘ−ｌｏｎｇ  ｃｙｃｌｅであると仮定すれば、その値は１０ｍｓ、２０ｍｓ、３２ｍｓ、４０ｍｓ、６０ｍｓ、６４ｍｓ、７０ｍｓ、８０ｍｓ、１２８ｍｓ、１６０ｍｓ、２５６ｍｓ、３２０ｍｓ、５１２ｍｓ、６４０ｍｓ、１０２４ｍｓ、１２８０ｍｓ、２０４８ｍｓ、２５６０ｍｓ、５１２０ｍｓ、１０２４０ｍｓであってもよい。
【０２３５】
該第１パラメータがｄｒｘ−ｓｈｏｒｔ  ｃｙｃｌｅであると仮定すれば、その値は２ｍｓ、３ｍｓ、４ｍｓ、５ｍｓ、６ｍｓ、７ｍｓ、８ｍｓ、１０ｍｓ、１４ｍｓ、１６ｍｓ、２０ｍｓ、３０ｍｓ、３２ｍｓ、３５ｍｓ、４０ｍｓ、６４ｍｓ、８０ｍｓ、１２８ｍｓ、２５６ｍｓ、３２０ｍｓ、５１２ｍｓ、６４０ｍｓであってもよい。
【０２３６】
該第１時間パラメータは例えば２０ｍｓであってもよい。
【０２３７】
選択肢として、該ネットワーク装置はＲＲＣシグナリング又はＭＡＣ  ＣＥシグナリングにより該端末装置に該第１パラメータを送信する。
【０２３８】
選択肢として、該ネットワーク装置はＲＲＣシグナリング又はＭＡＣ  ＣＥシグナリングにより該端末装置に該第１時間パラメータを送信する。
【０２３９】
具体的に、前記第１メッセージは、前記第１パラメータと前記第１時間長さとの数値関係を示すことにより前記第１時間長さを示す第１指示情報と、前記第１時間長さ内にＰＤＣＣＨを監視するかどうかを示す第２指示情報とを含む。更に、前記ネットワーク装置は前記第１指示情報及び前記第１パラメータに基づいて前記第１時間長さを決定し、且つ前記第２指示情報に基づいて、前記第１時間長さ内に前記端末装置に対するＰＤＣＣＨを送信するかどうかを決定する。
【０２４０】
選択肢として、前記第１メッセージはＰＤＣＣＨ及び／又は識別子シーケンスである。
【０２４１】
選択肢として、前記第１指示情報は前記第１メッセージにおいて伝送される第１ＤＣＩにおける少なくとも１つのビットにより、前記第１パラメータと前記第１時間長さとの数値関係を示すことにより前記第１時間長さを示す。更に、前記ネットワーク装置は前記少なくとも１つのビット及び前記第１パラメータに基づいて前記第１時間長さを決定する。
【０２４２】
例えば、第１パラメータの値は３０ｍｓであり、第１メッセージはその上において伝送される第１ＤＣＩにおける２つのビットにより、第１パラメータと第１時間長さとの数値関係を示すことにより第１時間長さを示す。上記表３に示すように、第１ＤＣＩの値が００である場合、第１時間長さが第１パラメータの１／５であり、即ち第１時間長さが６ｍｓであることを示し、第１ＤＣＩの値が０１である場合、第１時間長さが第１パラメータの２／５であり、即ち第１時間長さが１２ｍｓであることを示し、第１ＤＣＩの値が１０である場合、第１時間長さが第１パラメータの３／５であり、即ち第１時間長さが１８ｍｓであることを示し、第１ＤＣＩの値が１１である場合、第１時間長さが第１パラメータの４／５であり、即ち第１時間長さが２４ｍｓであることを示す。
【０２４３】
選択肢として、前記第１指示情報は少なくとも１つの識別子シーケンスにより前記第１パラメータと前記第１時間長さとの数値関係を示すことにより前記第１時間長さを示す。更に、前記ネットワーク装置は前記少なくとも１つの識別子シーケンス及び前記第１パラメータに基づいて前記第１時間長さを決定する。
【０２４４】
例えば、第１パラメータの値は３２ｍｓであり、第１メッセージは４つの識別子シーケンスにより、第１パラメータと第１時間長さとの数値関係を示すことにより第１時間長さを示す。上記表４に示すように、識別子シーケンス１は第１時間長さが第１パラメータの１／８であり、即ち第１時間長さが４ｍｓであることを示し、識別子シーケンス２は第１時間長さが第１パラメータの１／４であり、即ち第１時間長さが８ｍｓであることを示し、識別子シーケンス３は第１時間長さが第１パラメータの３／８であり、即ち第１時間長さが１２ｍｓであることを示し、識別子シーケンス４は第１時間長さが第１パラメータの１／２であり、即ち第１時間長さが１６ｍｓであることを示す。
【０２４５】
選択肢として、前記第２指示情報は前記第１メッセージにおいて伝送される第２ＤＣＩにおける第１ビットにより前記第１時間長さ内にＰＤＣＣＨを監視するかどうかを示し、前記第１ビットが０である場合、前記第１時間長さ内にＰＤＣＣＨを監視することを示し、前記第１ビットが１である場合、前記第１時間長さ内にＰＤＣＣＨを監視する必要がないことを示す。
【０２４６】
例えば、前記第１ビットが０である場合、前記ネットワーク装置は前記第１ビットに基づいて、前記第１時間長さ内に前記端末装置に対するＰＤＣＣＨを送信することを決定する。
【０２４７】
また例えば、前記第１ビットが１である場合、前記ネットワーク装置は前記第１ビットに基づいて、前記第１時間長さ内に前記端末装置に対するＰＤＣＣＨを送信する必要がないことを決定する。
【０２４８】
選択肢として、前記第２指示情報は第１識別子シーケンスにより前記第１時間長さ内にＰＤＣＣＨを監視することを示し、且つ第２識別子シーケンスにより前記第１時間長さ内にＰＤＣＣＨを監視する必要がないことを示す。
【０２４９】
例えば、前記第１メッセージが前記第１識別子シーケンスを含む場合、前記ネットワーク装置は前記第１識別子シーケンスに基づいて、前記第１時間長さ内に前記端末装置に対するＰＤＣＣＨを送信することを決定する。
【０２５０】
また例えば、前記第１メッセージが前記第２識別子シーケンスを含む場合、前記ネットワーク装置は前記第２識別子シーケンスに基づいて、前記第１時間長さ内に前記端末装置に対するＰＤＣＣＨを送信する必要がないことを決定する。
【０２５１】
選択肢として、該第１時間長さの単位はスロット又はミリ秒である。
【０２５２】
選択肢として、該第１時間長さの単位がスロットである場合、該第１メッセージは第３指示情報を含み、該第３指示情報は該第１時間長さに対応するサブキャリア間隔を示し、又は該第１時間長さに対応するサブキャリア間隔が、ＰＤＣＣＨに対応するサブキャリア間隔に一致することを示す。
【０２５３】
選択肢として、該端末装置はＲＲＣ接続状態にある。
【０２５４】
一例として、図４に示すように、ネットワーク装置は自体のスケジューリング状況に応じて、端末装置が将来所定期間内にスケジューリングされるかどうかを判断してもよい。例えば、現在のシステム全体のサービス負荷及びスケジューリングキューの長さの予測、例えば現在のシステムがビジーであり、スケジューリングキューが長いことに基づいて、ネットワーク装置は現在スケジューリングしている端末装置が将来の時間長さＸ内にスケジューリングされることがないと予測する。ネットワーク装置は端末装置に第１メッセージ（該第１メッセージはＰＤＣＣＨである）を送信してもよく、該第１メッセージには現在スケジューリングしているＤＣＩが含まれており、且つ現在スケジューリングしているＤＣＩは時間長さＸを示す情報と、時間長さＸ内にＰＤＣＣＨを監視する必要がない指示とを含む。端末装置は該第１メッセージを受信した後、第１メッセージの開始時間長さＸ内にデータ伝送に関連するＰＤＣＣＨを検出する必要がない。
【０２５５】
好ましいことは、端末装置は現在ＤＣＩがスケジューリングしているデータ伝送が遂行して関連のＡＣＫフィードバックを受信した後の時間長さＸ内にデータ伝送に関連するＰＤＣＣＨを検出する必要がなく、更に現在ＤＣＩがスケジューリングしているデータが正しく伝送された後にＰＤＣＣＨを監視しないように確保し、それによりスケジューリングデータを再送信するＰＤＣＣＨを無視しないようにする。
【０２５６】
一例として、ネットワーク装置は自体のスケジューリング状況、例えば現在のシステム全体のサービス負荷及びスケジューリングキューの長さの予測、又は端末装置のサービス特徴、遅延要求等の要素に基づいてまとめて判断し、例えば時間長さＮ内に通常通りに従来のＰＤＣＣＨの設定情報（例えば、物理ダウンリンク制御チャネル制御リソースセット（ＰＤＣＣＨ  ＣＯＲＥＳＥＴ、Ｐｈｙｓｉｃａｌ  Ｄｏｗｎｌｉｎｋ  Ｃｏｎｔｒｏｌ  Ｃｈａｎｎｅｌ  Ｃｏｎｔｒｏｌ  Ｒｅｓｏｕｒｃｅ  Ｓｅｔ）、ＰＤＣＣＨ  ｓｅａｒｃｈ  ｓｐａｃｅの設定）及び／又はＤＲＸの設定情報に基づいてＰＤＣＣＨを監視するように端末装置に指示してもよい。
【０２５７】
理解されるように、ＰＤＣＣＨの監視方法３００におけるステップは、ＰＤＣＣＨの監視方法２００における対応ステップを参照してもよく、具体的に、第１メッセージ、第１パラメータ、第１設定情報、第２設定情報、第１時間長さに関連する説明については、ＰＤＣＣＨの監視方法２００における説明を参照してもよく、簡潔のために、ここで繰り返して説明しない。
【０２５８】
従って、本願の実施例のＰＤＣＣＨの監視方法では、ネットワーク装置は第１時間長さを示し、及び／又は、第１時間長さ内にＰＤＣＣＨを監視するかどうかを示す第１メッセージに基づいて、端末装置に対するＰＤＣＣＨを送信してもよく、端末装置がＰＤＣＣＨ監視ウィンドウの設定によりＰＤＣＣＨを連続監視することによる電力の浪費を回避し、それにより端末装置がＰＤＣＣＨを監視する際の電力損失を低減する。
【０２５９】
図５は本願の実施例に係るＰＤＣＣＨの監視方法４００の模式的なフローチャートである。選択肢として、該方法４００は図１に示されるシステムに適用されてもよいが、これに限らない。該方法４００は以下の内容の少なくとも一部を含む。
【０２６０】
Ｓ４１０、端末装置は第１パラメータと第１時間長さとの数値関係を示す第１メッセージと、ＤＲＸパラメータ又は第１時間パラメータである第１パラメータとに基づいて、該第１時間長さを決定する。
【０２６１】
Ｓ４１０、該端末装置は該第１時間長さ内にＰＤＣＣＨを監視することを無視する。
【０２６２】
選択肢として、本願の実施例では、前記第１パラメータがＤＲＸパラメータである場合、前記第１パラメータはＤＲＸアクティブ期間タイマー（ｄｒｘ−ｏｎＤｕｒａｔｉｏｎＴｉｍｅｒ）、ＤＲＸディアクティブ期間タイマー（ｄｒｘ−ＩｎａｃｔｉｖｉｔｙＴｉｍｅｒ）、ロングＤＲＸ周期（ｄｒｘ−ｌｏｎｇ  ｃｙｃｌｅ）、ショートＤＲＸ周期（ｄｒｘ−ｓｈｏｒｔ  ｃｙｃｌｅ）のうちの１つである。
【０２６３】
該第１パラメータがｄｒｘ−ｏｎＤｕｒａｔｉｏｎＴｉｍｅｒであると仮定すれば、その値は１ｍｓ、２ｍｓ、３ｍｓ、４ｍｓ、５ｍｓ、６ｍｓ、８ｍｓ、１０ｍｓ、２０ｍｓ、３０ｍｓ、４０ｍｓ、５０ｍｓ、６０ｍｓ、８０ｍｓ、１００ｍｓ、２００ｍｓ、３００ｍｓ、４００ｍｓ、５００ｍｓ、６００ｍｓ、８００ｍｓ、１０００ｍｓ、１２００ｍｓ、１６００ｍｓであってもよい。
【０２６４】
該第１パラメータがｄｒｘ−ｌｏｎｇ  ｃｙｃｌｅであると仮定すれば、その値は１０ｍｓ、２０ｍｓ、３２ｍｓ、４０ｍｓ、６０ｍｓ、６４ｍｓ、７０ｍｓ、８０ｍｓ、１２８ｍｓ、１６０ｍｓ、２５６ｍｓ、３２０ｍｓ、５１２ｍｓ、６４０ｍｓ、１０２４ｍｓ、１２８０ｍｓ、２０４８ｍｓ、２５６０ｍｓ、５１２０ｍｓ、１０２４０ｍｓであってもよい。
【０２６５】
該第１パラメータがｄｒｘ−ｓｈｏｒｔ  ｃｙｃｌｅであると仮定すれば、その値は２ｍｓ、３ｍｓ、４ｍｓ、５ｍｓ、６ｍｓ、７ｍｓ、８ｍｓ、１０ｍｓ、１４ｍｓ、１６ｍｓ、２０ｍｓ、３０ｍｓ、３２ｍｓ、３５ｍｓ、４０ｍｓ、６４ｍｓ、８０ｍｓ、１２８ｍｓ、２５６ｍｓ、３２０ｍｓ、５１２ｍｓ、６４０ｍｓであってもよい。
【０２６６】
該第１時間パラメータは例えば２０ｍｓであってもよい。
【０２６７】
選択肢として、該第１パラメータがＤＲＸパラメータである場合、該第１パラメータはネットワーク装置がＲＲＣシグナリング又はＭＡＣ  ＣＥにより設定したものであってもよい。
【０２６８】
選択肢として、該第１時間パラメータは予め設定されたもの、又はネットワーク装置が通知したものである。例えば、該ネットワーク装置はＲＲＣシグナリング又はＭＡＣ  ＣＥシグナリングにより該端末装置に該第１時間パラメータを送信する。
【０２６９】
選択肢として、本願の実施例では、前記端末装置はネットワーク装置から送信された前記第１メッセージを受信する。
【０２７０】
選択肢として、該端末装置は該ネットワーク装置から送信された該第１メッセージを周期的に受信する。換言すれば、該ネットワーク装置は該端末装置に該第１メッセージを周期的に送信する。
【０２７１】
選択肢として、該端末装置が該第１メッセージを受信する周期は該端末装置がＰＤＣＣＨを監視する周期以上である。このように、１つの周期の第１メッセージは少なくとも１つのＰＤＣＣＨ周期のＰＤＣＣＨの監視挙動を示すことに用いられてもよい。理解されるように、該端末装置がＰＤＣＣＨを監視する周期は設定されたものであり、例えば、該端末装置がＰＤＣＣＨを監視する周期はＰＤＣＣＨ  ｓｅａｒｃｈ  ｓｐａｃｅの周期であり、前記ＰＤＣＣＨ  ｓｅａｒｃｈ  ｓｐａｃｅの周期はネットワーク装置が端末装置に準静的に設定したものであってもよい。
【０２７２】
更に理解されるように、第１時間長さ以外の時間帯において、該端末装置はＰＤＣＣＨ監視ウィンドウの設定によりＰＤＣＣＨを連続監視してもよく、例えば、該端末装置はＰＤＣＣＨの設定情報及び／又はＤＲＸの設定情報に基づいてＰＤＣＣＨを監視してもよい。
【０２７３】
選択肢として、前記第１メッセージはＰＤＣＣＨであり、前記第１メッセージは前記第１メッセージにおいて伝送される第１ＤＣＩにおける少なくとも１つのビットにより前記第１パラメータと前記第１時間長さとの数値関係を示す。更に、前記端末装置は前記少なくとも１つのビット及び前記第１パラメータに基づいて前記第１時間長さを決定する。
【０２７４】
なお、該第１ＤＣＩは該第１メッセージにおいて伝送される１つのＤＣＩであり、該第１ＤＣＩは該少なくとも１つのビットのみを含むＤＣＩであってもよく、アップリンク／ダウンリンクスケジューリングを実現するための通常のＤＣＩに該少なくとも１つのビットを追加したものであってもよい。
【０２７５】
例えば、第１パラメータの値は１２８ｍｓであり、第１メッセージはその上において伝送される第１ＤＣＩにおける２つのビットにより、第１パラメータと第１時間長さとの数値関係を示すことにより第１時間長さを示す。下記表５に示すように、第１ＤＣＩの値が００である場合、第１時間長さが第１パラメータの１／４であり、即ち第１時間長さが３２ｍｓであることを示し、第１ＤＣＩの値が０１である場合、第１時間長さが第１パラメータの１／２であり、即ち第１時間長さが６４ｍｓであることを示し、第１ＤＣＩの値が１０である場合、第１時間長さが第１パラメータの３／４であり、即ち第１時間長さが９６ｍｓであることを示し、第１ＤＣＩの値が１１である場合、第１時間長さが第１パラメータの４／４であり、即ち第１時間長さが１２８ｍｓであることを示す。
【０２７６】
【表５】
2021518706.tif 000007
【０２７７】
なお、上記表５では、第１パラメータに対する第１時間長さの比率はネットワーク装置が設定したもの、又は予め設定されたものであってもよい。
【０２７８】
更に、上記表５では、第１パラメータと第１時間長さとの数値関係は例に過ぎず、本願の実施例では、第１時間長さは第１パラメータより大きくてもよく、第１パラメータに等しくてもよく、第１パラメータより小さくてもよく、本願は制限しない。
【０２７９】
選択肢として、前記第１メッセージは識別子シーケンスであり、前記第１メッセージは少なくとも１つの識別子シーケンスにより前記第１パラメータと前記第１時間長さとの数値関係を示す。更に、前記端末装置は前記少なくとも１つの識別子シーケンス及び前記第１パラメータに基づいて前記第１時間長さを決定する。
【０２８０】
例えば、第１パラメータの値は３５ｍｓであり、第１メッセージは５つの識別子シーケンスにより、第１パラメータと第１時間長さとの数値関係を示すことにより第１時間長さを示す。下記表６に示すように、識別子シーケンス１は第１時間長さが第１パラメータの１／５であり、即ち第１時間長さが７ｍｓであることを示し、識別子シーケンス２は第１時間長さが第１パラメータの２／５であり、即ち第１時間長さが１４ｍｓであることを示し、識別子シーケンス３は第１時間長さが第１パラメータの３／５であり、即ち第１時間長さが２１ｍｓであることを示し、識別子シーケンス４は第１時間長さが第１パラメータの４／５であり、即ち第１時間長さが２８ｍｓであることを示し、識別子シーケンス５は第１時間長さが第１パラメータの５／５であり、即ち第１時間長さが３５ｍｓであることを示す。
【０２８１】
【表６】
2021518706.tif 000008
【０２８２】
なお、上記表６では、第１パラメータに対する第１時間長さの比率はネットワーク装置が設定したもの、又は予め設定されたものであってもよい。
【０２８３】
更に、上記表６では、第１パラメータと第１時間長さとの数値関係は例に過ぎず、本願の実施例では、第１時間長さは第１パラメータより大きくてもよく、第１パラメータに等しくてもよく、第１パラメータより小さくてもよく、本願は制限しない。
【０２８４】
選択肢として、前記第１時間長さの単位はスロット又はミリ秒である。
【０２８５】
選択肢として、前記第１時間長さの単位がスロットである場合、前記第１メッセージは第１指示情報を含み、前記第１指示情報は前記第１時間長さに対応するサブキャリア間隔を示し、又は前記第１時間長さに対応するサブキャリア間隔が、ＰＤＣＣＨに対応するサブキャリア間隔に一致することを示す。
【０２８６】
選択肢として、本願の実施例では、前記端末装置はＲＲＣ接続状態にある。
【０２８７】
従って、本願の実施例のＰＤＣＣＨの監視方法では、端末装置は第１メッセージ及び第１パラメータに基づいて第１時間長さを決定し、且つ第１時間長さ内にＰＤＣＣＨを監視することを無視してもよく、ＰＤＣＣＨ監視ウィンドウの設定によりＰＤＣＣＨを連続監視することによる電力の浪費を回避し、それにより端末装置がＰＤＣＣＨを監視する際の電力損失を低減する。
【０２８８】
図６は本願の実施例に係るＰＤＣＣＨの監視方法５００の模式的なフローチャートである。選択肢として、該方法５００は図１に示されるシステムに適用されてもよいが、これに限らない。該方法５００は以下の内容の少なくとも一部を含む。
【０２８９】
Ｓ５１０、ネットワーク装置は第１メッセージを端末装置に送信し、該第１メッセージは第１パラメータと第１時間長さとの数値関係を示し、該第１パラメータはＤＲＸパラメータ又は第１時間パラメータである。
【０２９０】
なお、該端末装置は該第１メッセージを受信した後、該第１メッセージ及び該第１パラメータに基づいて該第１時間長さを決定し、且つ前記第１時間長さ内にＰＤＣＣＨを監視してもよい。
【０２９１】
選択肢として、本願の実施例では、前記第１パラメータがＤＲＸパラメータである場合、前記第１パラメータはＤＲＸアクティブ期間タイマー（ｄｒｘ−ｏｎＤｕｒａｔｉｏｎＴｉｍｅｒ）、ＤＲＸディアクティブ期間タイマー（ｄｒｘ−ＩｎａｃｔｉｖｉｔｙＴｉｍｅｒ）、ロングＤＲＸ周期（ｄｒｘ−ｌｏｎｇ  ｃｙｃｌｅ）、ショートＤＲＸ周期（ｄｒｘ−ｓｈｏｒｔ  ｃｙｃｌｅ）のうちの１つである。
【０２９２】
該第１パラメータがｄｒｘ−ｏｎＤｕｒａｔｉｏｎＴｉｍｅｒであると仮定すれば、その値は１ｍｓ、２ｍｓ、３ｍｓ、４ｍｓ、５ｍｓ、６ｍｓ、８ｍｓ、１０ｍｓ、２０ｍｓ、３０ｍｓ、４０ｍｓ、５０ｍｓ、６０ｍｓ、８０ｍｓ、１００ｍｓ、２００ｍｓ、３００ｍｓ、４００ｍｓ、５００ｍｓ、６００ｍｓ、８００ｍｓ、１０００ｍｓ、１２００ｍｓ、１６００ｍｓであってもよい。
【０２９３】
該第１パラメータがｄｒｘ−ｌｏｎｇ  ｃｙｃｌｅであると仮定すれば、その値は１０ｍｓ、２０ｍｓ、３２ｍｓ、４０ｍｓ、６０ｍｓ、６４ｍｓ、７０ｍｓ、８０ｍｓ、１２８ｍｓ、１６０ｍｓ、２５６ｍｓ、３２０ｍｓ、５１２ｍｓ、６４０ｍｓ、１０２４ｍｓ、１２８０ｍｓ、２０４８ｍｓ、２５６０ｍｓ、５１２０ｍｓ、１０２４０ｍｓであってもよい。
【０２９４】
該第１パラメータがｄｒｘ−ｓｈｏｒｔ  ｃｙｃｌｅであると仮定すれば、その値は２ｍｓ、３ｍｓ、４ｍｓ、５ｍｓ、６ｍｓ、７ｍｓ、８ｍｓ、１０ｍｓ、１４ｍｓ、１６ｍｓ、２０ｍｓ、３０ｍｓ、３２ｍｓ、３５ｍｓ、４０ｍｓ、６４ｍｓ、８０ｍｓ、１２８ｍｓ、２５６ｍｓ、３２０ｍｓ、５１２ｍｓ、６４０ｍｓであってもよい。
【０２９５】
該第１時間パラメータは例えば２０ｍｓであってもよい。
【０２９６】
選択肢として、本願の実施例では、前記ネットワーク装置はＲＲＣシグナリング又はＭＡＣ  ＣＥシグナリングにより前記端末装置に前記第１パラメータを送信する。
【０２９７】
選択肢として、本願の実施例では、前記ネットワーク装置はＲＲＣシグナリング又はＭＡＣ  ＣＥシグナリングにより前記端末装置に前記第１時間パラメータを送信する。
【０２９８】
具体的に、前記ネットワーク装置は前記端末装置に前記第１メッセージを周期的に送信する。
【０２９９】
選択肢として、前記ネットワーク装置が前記第１メッセージを送信する周期は前記端末装置がＰＤＣＣＨを監視する周期以上である。
【０３００】
なお、該ネットワーク装置が該第１メッセージを送信する周期は該端末装置がＰＤＣＣＨを監視する周期以上である。このように、１つの周期の第１メッセージは少なくとも１つのＰＤＣＣＨ周期のＰＤＣＣＨの監視挙動を示すことに用いられてもよい。理解されるように、該端末装置がＰＤＣＣＨを監視する周期は設定されたものであり、例えば、該端末装置がＰＤＣＣＨを監視する周期はＰＤＣＣＨ  ｓｅａｒｃｈ  ｓｐａｃｅの周期であり、該ＰＤＣＣＨ  ｓｅａｒｃｈ  ｓｐａｃｅの周期はネットワーク装置が端末装置に準静的に設定したものであってもよい。
【０３０１】
選択肢として、前記第１メッセージはＰＤＣＣＨであり、前記第１メッセージは前記第１メッセージにおいて伝送される第１ＤＣＩにおける少なくとも１つのビットにより前記第１パラメータと前記第１時間長さとの数値関係を示す。
【０３０２】
なお、該第１ＤＣＩは該第１メッセージにおいて伝送される１つのＤＣＩであり、該第１ＤＣＩは該少なくとも１つのビットのみを含むＤＣＩであってもよく、アップリンク／ダウンリンクスケジューリングを実現するための通常のＤＣＩに該少なくとも１つのビットを追加したものであってもよい。
【０３０３】
例えば、第１パラメータの値は１２８ｍｓであり、第１メッセージはその上において伝送される第１ＤＣＩにおける２つのビットにより、第１パラメータと第１時間長さとの数値関係を示すことにより第１時間長さを示す。上記表５に示すように、第１ＤＣＩの値が００である場合、第１時間長さが第１パラメータの１／４であり、即ち第１時間長さが３２ｍｓであることを示し、第１ＤＣＩの値が０１である場合、第１時間長さが第１パラメータの１／２であり、即ち第１時間長さが６４ｍｓであることを示し、第１ＤＣＩの値が１０である場合、第１時間長さが第１パラメータの３／４であり、即ち第１時間長さが９６ｍｓであることを示し、第１ＤＣＩの値が１１である場合、第１時間長さが第１パラメータの４／４であり、即ち第１時間長さが１２８ｍｓであることを示す。
【０３０４】
選択肢として、前記第１メッセージは識別子シーケンスであり、前記第１メッセージは少なくとも１つの識別子シーケンスにより前記第１パラメータと前記第１時間長さとの数値関係を示す。
【０３０５】
例えば、第１パラメータの値は３５ｍｓであり、第１メッセージは５つの識別子シーケンスにより、第１パラメータと第１時間長さとの数値関係を示すことにより第１時間長さを示す。上記表６に示すように、識別子シーケンス１は第１時間長さが第１パラメータの１／５であり、即ち第１時間長さが７ｍｓであることを示し、識別子シーケンス２は第１時間長さが第１パラメータの２／５であり、即ち第１時間長さが１４ｍｓであることを示し、識別子シーケンス３は第１時間長さが第１パラメータの３／５であり、即ち第１時間長さが２１ｍｓであることを示し、識別子シーケンス４は第１時間長さが第１パラメータの４／５であり、即ち第１時間長さが２８ｍｓであることを示し、識別子シーケンス５は第１時間長さが第１パラメータの５／５であり、即ち第１時間長さが３５ｍｓであることを示す。
【０３０６】
選択肢として、前記第１時間長さの単位はスロット又はミリ秒である。
【０３０７】
選択肢として、前記第１時間長さの単位がスロットである場合、前記第１メッセージは第１指示情報を含み、前記第１指示情報は前記第１時間長さに対応するサブキャリア間隔を示し、又は前記第１時間長さに対応するサブキャリア間隔が、ＰＤＣＣＨに対応するサブキャリア間隔に一致することを示す。
【０３０８】
選択肢として、本願の実施例では、前記端末装置はＲＲＣ接続状態にある。
【０３０９】
理解されるように、ＰＤＣＣＨの監視方法５００におけるステップは、ＰＤＣＣＨの監視方法４００における対応ステップを参照してもよく、具体的に、第１メッセージ、第１パラメータ、第１時間長さに関連する説明については、ＰＤＣＣＨの監視方法４００における説明を参照してもよく、簡潔のために、ここで繰り返して説明しない。
【０３１０】
従って、本願の実施例のＰＤＣＣＨの監視方法では、ネットワーク装置は端末装置に第１メッセージを送信することにより、端末装置は第１メッセージ及び第１パラメータに基づいて第１時間長さを決定し、且つ第１時間長さ内にＰＤＣＣＨを監視することを無視するようにしてもよく、ＰＤＣＣＨ監視ウィンドウの設定によりＰＤＣＣＨを連続監視することによる電力の浪費を回避し、それにより端末装置がＰＤＣＣＨを監視する際の電力損失を低減する。
【０３１１】
図７は本願の実施例に係る端末装置６００の模式的なブロック図である。該端末装置６００は、
ネットワーク装置から送信された第１メッセージを受信することに用いられ、該第１メッセージは第１時間長さを示し、及び／又は、該第１時間長さ内にＰＤＣＣＨを監視するかどうかを示す通信ユニット６１０と、
該第１メッセージに基づいてＰＤＣＣＨを監視することに用いられる処理ユニット６２０と、を備える。
【０３１２】
選択肢として、該通信ユニット６１０は具体的に、該ネットワーク装置から送信された該第１メッセージを周期的に受信することに用いられる。
【０３１３】
選択肢として、該端末装置６００が該第１メッセージを受信する周期は該端末装置６００がＰＤＣＣＨを監視する周期以上である。
【０３１４】
選択肢として、該第１メッセージが該第１時間長さを示す場合、
該処理ユニット６２０は具体的に、
該第１メッセージに基づいて該第１時間長さを決定し、且つ該第１時間長さ内にＰＤＣＣＨを監視するかどうかを示す第１設定情報に基づいて、該第１時間長さ内にＰＤＣＣＨを監視するかどうかを決定することに用いられる。
【０３１５】
選択肢として、在該処理ユニット６２０は該第１メッセージに基づいて該第１時間長さを決定し、且つ第１設定情報に基づいて、該第１時間長さ内にＰＤＣＣＨを監視するかどうかを決定する前に、該通信ユニット６１０は更に、該ネットワーク装置がＲＲＣシグナリングにより送信した該第１設定情報を受信することに用いられる。
【０３１６】
選択肢として、該第１設定情報は該端末装置６００に予め設定されたものである。
【０３１７】
選択肢として、該第１メッセージはＰＤＣＣＨであり、
該第１メッセージは該第１メッセージにおいて伝送される第１ＤＣＩにおける少なくとも１つのビットにより該第１時間長さを示し、
該処理ユニット６２０は具体的に、
該少なくとも１つのビットに基づいて該第１時間長さを決定することに用いられる。
【０３１８】
選択肢として、該第１メッセージは識別子シーケンスであり、
該第１メッセージは少なくとも１つの識別子シーケンスにより該第１時間長さを示し、
該処理ユニット６２０は具体的に、
該少なくとも１つの識別子シーケンスに基づいて該第１時間長さを決定することに用いられる。
【０３１９】
選択肢として、前記第１メッセージが前記第１時間長さを示す場合、前記第１メッセージは第１パラメータと前記第１時間長さとの数値関係を示すことにより前記第１時間長さを示し、前記第１パラメータはＤＲＸパラメータ又は第１時間パラメータであり、
前記処理ユニット６２０は具体的に、
前記第１メッセージ及び前記第１パラメータに基づいて前記第１時間長さを決定し、且つ前記第１時間長さ内にＰＤＣＣＨを監視するかどうかを示す第１設定情報に基づいて、前記第１時間長さ内にＰＤＣＣＨを監視するかどうかを決定することに用いられる。
【０３２０】
選択肢として、前記第１パラメータがＤＲＸパラメータである場合、前記第１パラメータはＤＲＸアクティブ期間タイマー、ＤＲＸディアクティブ期間タイマー、ロングＤＲＸ周期、ショートＤＲＸ周期のうちの１つである。
【０３２１】
選択肢として、前記通信ユニット６１０は更に、前記ネットワーク装置がＲＲＣシグナリング又はＭＡＣ  ＣＥシグナリングにより送信した前記第１パラメータを受信することに用いられる。
【０３２２】
選択肢として、前記第１時間パラメータは予め設定されたもの、又は前記ネットワーク装置が通知したものである。
【０３２３】
選択肢として、前記通信ユニット６１０は更に、前記ネットワーク装置がＲＲＣシグナリング又はＭＡＣ  ＣＥシグナリングにより送信した前記第１設定情報を受信することに用いられる。
【０３２４】
選択肢として、前記第１設定情報は前記端末装置に予め設定されたものである。
【０３２５】
選択肢として、前記第１メッセージはＰＤＣＣＨであり、前記第１メッセージは前記第１メッセージにおいて伝送される第１ＤＣＩにおける少なくとも１つのビットにより、前記第１パラメータと前記第１時間長さとの数値関係を示すことにより前記第１時間長さを示し、
前記処理ユニット６２０は具体的に、前記少なくとも１つのビット及び前記第１パラメータに基づいて前記第１時間長さを決定することに用いられる。
【０３２６】
選択肢として、前記第１メッセージは識別子シーケンスであり、前記第１メッセージは少なくとも１つの識別子シーケンスにより、第１パラメータと前記第１時間長さとの数値関係を示すことにより前記第１時間長さを示し、
前記処理ユニット６２０は具体的に、前記少なくとも１つの識別子シーケンス及び前記第１パラメータに基づいて前記第１時間長さを決定することに用いられる。
【０３２７】
選択肢として、該第１メッセージは該第１時間長さ内にＰＤＣＣＨを監視するかどうかを示す場合、
該処理ユニット６２０は具体的に、
該第１時間長さを示す第２設定情報に基づいて該第１時間長さを決定し、且つ該第１メッセージに基づいて、該第１時間長さ内にＰＤＣＣＨを監視するかどうかを決定することに用いられる。
【０３２８】
選択肢として、該処理ユニット６２０は第２設定情報に基づいて該第１時間長さを決定し、且つ該第１メッセージに基づいて、該第１時間長さ内にＰＤＣＣＨを監視するかどうかを決定する前に、該通信ユニット６１０は更に、該ネットワーク装置がＲＲＣシグナリングにより送信した該第２設定情報を受信することに用いられる。
【０３２９】
選択肢として、該第２設定情報は該端末装置６００に予め設定されたものである。
【０３３０】
選択肢として、該第１メッセージはＰＤＣＣＨであり、
該第１メッセージは該第１メッセージにおいて伝送される第１ＤＣＩにおける第１ビットにより該第１時間長さ内にＰＤＣＣＨを監視するかどうかを示し、
該第１ビットが０である場合、該第１時間長さ内にＰＤＣＣＨを監視することを示し、該第１ビットが１である場合、該第１時間長さ内にＰＤＣＣＨを監視する必要がないことを示し、
該処理ユニット６２０は具体的に、
該第１ビットが０である場合、該第１ビットに基づいて、該第１時間長さ内にＰＤＣＣＨを監視することを決定すること、又は、
該第１ビットが１である場合、該第１ビットに基づいて、該第１時間長さ内にＰＤＣＣＨを監視する必要がないことを決定することに用いられる。
【０３３１】
選択肢として、該第１メッセージは識別子シーケンスであり、
該第１メッセージは第１識別子シーケンスにより該第１時間長さ内にＰＤＣＣＨを監視することを示し、且つ第２識別子シーケンスにより該第１時間長さ内にＰＤＣＣＨを監視する必要がないことを示し、
該処理ユニット６２０は具体的に、
該第１メッセージが該第１識別子シーケンスを含む場合、該第１識別子シーケンスに基づいて、該第１時間長さ内にＰＤＣＣＨを監視することを決定すること、又は、
該第１メッセージが該第２識別子シーケンスを含む場合、該第２識別子シーケンスに基づいて、該第１時間長さ内にＰＤＣＣＨを監視する必要がないことを決定することに用いられる。
【０３３２】
選択肢として、該第１メッセージは該第１時間長さを示し、且つ該第１時間長さ内にＰＤＣＣＨを監視するかどうかを示す場合、
該処理ユニット６２０は具体的に、
該第１メッセージに基づいて該第１時間長さを決定し、且つ該第１時間長さ内にＰＤＣＣＨを監視するかどうかを決定することに用いられる。
【０３３３】
選択肢として、該第１メッセージは、該第１時間長さを示す第１指示情報と、該第１時間長さ内にＰＤＣＣＨを監視するかどうかを示す第２指示情報とを含み、
該処理ユニット６２０は具体的に、
該第１指示情報に基づいて該第１時間長さを決定し、且つ該第２指示情報に基づいて、該第１時間長さ内にＰＤＣＣＨを監視するかどうかを決定することに用いられる。
【０３３４】
選択肢として、該第１メッセージはＰＤＣＣＨ及び／又は識別子シーケンスである。
【０３３５】
選択肢として、該第１指示情報は該第１メッセージにおいて伝送される第１ＤＣＩにおける少なくとも１つのビットにより該第１時間長さを示し、
該処理ユニット６２０は具体的に、
該少なくとも１つのビットに基づいて該第１時間長さを決定することに用いられる。
【０３３６】
選択肢として、該第１指示情報は少なくとも１つの識別子シーケンスにより該第１時間長さを示し、
該処理ユニット６２０は具体的に、
該少なくとも１つの識別子シーケンスに基づいて該第１時間長さを決定することに用いられる。
【０３３７】
選択肢として、該第２指示情報は該第１メッセージにおいて伝送される第２ＤＣＩにおける第１ビットにより該第１時間長さ内にＰＤＣＣＨを監視するかどうかを示し、該第１ビットが０である場合、該第１時間長さ内にＰＤＣＣＨを監視することを示し、該第１ビットが１である場合、該第１時間長さ内にＰＤＣＣＨを監視する必要がないことを示し、
該処理ユニット６２０は具体的に、
該第１ビットが０である場合、該第１ビットに基づいて、該第１時間長さ内にＰＤＣＣＨを監視することを決定すること、又は、
該第１ビットが１である場合、該第１ビットに基づいて、該第１時間長さ内にＰＤＣＣＨを監視する必要がないことを決定することに用いられる。
【０３３８】
選択肢として、該第２指示情報は第１識別子シーケンスにより該第１時間長さ内にＰＤＣＣＨを監視することを示し、且つ第２識別子シーケンスにより該第１時間長さ内にＰＤＣＣＨを監視する必要がないことを示し、
該処理ユニット６２０は具体的に、
該第１メッセージが該第１識別子シーケンスを含む場合、該第１識別子シーケンスに基づいて、該第１時間長さ内にＰＤＣＣＨを監視することを決定すること、又は、
該第１メッセージが該第２識別子シーケンスを含む場合、該第２識別子シーケンスに基づいて、該第１時間長さ内にＰＤＣＣＨを監視する必要がないことを決定することに用いられる。
【０３３９】
選択肢として、前記第１メッセージは前記第１時間長さを示し、且つ前記第１時間長さ内にＰＤＣＣＨを監視するかどうかを示し、前記第１メッセージは第１パラメータと前記第１時間長さとの数値関係を示すことにより前記第１時間長さを示し、前記第１パラメータはＤＲＸパラメータ又は第１時間パラメータである場合、
前記処理ユニット６２０は具体的に、前記第１メッセージ及び前記第１パラメータに基づいて前記第１時間長さを決定し、且つ前記メッセージに基づいて、前記第１時間長さ内にＰＤＣＣＨを監視するかどうかを決定することに用いられる。
【０３４０】
選択肢として、前記第１パラメータがＤＲＸパラメータである場合、前記第１パラメータはＤＲＸアクティブ期間タイマー、ＤＲＸディアクティブ期間タイマー、ロングＤＲＸ周期、ショートＤＲＸ周期のうちの１つである。
【０３４１】
選択肢として、前記通信ユニット６１０は更に、前記ネットワーク装置がＲＲＣシグナリング又はＭＡＣ  ＣＥシグナリングにより送信した前記第１パラメータを受信することに用いられる。
【０３４２】
選択肢として、前記第１時間パラメータは予め設定されたもの、又は前記ネットワーク装置が通知したものである。
【０３４３】
選択肢として、前記第１メッセージは、前記第１パラメータと前記第１時間長さとの数値関係を示すことにより前記第１時間長さを示す第１指示情報と、前記第１時間長さ内にＰＤＣＣＨを監視するかどうかを示す第２指示情報とを含み、
前記処理ユニット６２０は具体的に、前記第１指示情報及び前記第１パラメータに基づいて前記第１時間長さを決定し、且つ前記第２指示情報に基づいて、前記第１時間長さ内にＰＤＣＣＨを監視するかどうかを決定することに用いられる。
【０３４４】
選択肢として、前記第１メッセージはＰＤＣＣＨ及び／又は識別子シーケンスである。
【０３４５】
選択肢として、前記第１指示情報は前記第１メッセージにおいて伝送される第１ＤＣＩにおける少なくとも１つのビットにより、前記第１パラメータと前記第１時間長さとの数値関係を示すことにより前記第１時間長さを示し、
前記処理ユニット６２０は具体的に、前記少なくとも１つのビット及び前記第１パラメータに基づいて前記第１時間長さを決定することに用いられる。
【０３４６】
選択肢として、前記第１指示情報は少なくとも１つの識別子シーケンスにより、前記第１パラメータと前記第１時間長さとの数値関係を示すことにより前記第１時間長さを示し、
前記処理ユニット６２０は具体的に、前記少なくとも１つの識別子シーケンス及び前記第１パラメータに基づいて前記第１時間長さを決定することに用いられる。
【０３４７】
選択肢として、前記第２指示情報は前記第１メッセージにおいて伝送される第２ＤＣＩにおける第１ビットにより前記第１時間長さ内にＰＤＣＣＨを監視するかどうかを示し、前記第１ビットが０である場合、前記第１時間長さ内にＰＤＣＣＨを監視することを示し、前記第１ビットが１である場合、前記第１時間長さ内にＰＤＣＣＨを監視する必要がないことを示し、
前記処理ユニット６２０は具体的に、
前記第１ビットが０である場合、前記第１ビットに基づいて、前記第１時間長さ内にＰＤＣＣＨを監視することを決定すること、又は、
前記第１ビットが１である場合、前記第１ビットに基づいて、前記第１時間長さ内にＰＤＣＣＨを監視する必要がないことを決定することに用いられる。
【０３４８】
選択肢として、前記第２指示情報は第１識別子シーケンスにより前記第１時間長さ内にＰＤＣＣＨを監視することを示し、且つ第２識別子シーケンスにより前記第１時間長さ内にＰＤＣＣＨを監視する必要がないことを示し、
前記処理ユニット６２０は具体的に、
前記第１メッセージが前記第１識別子シーケンスを含む場合、前記第１識別子シーケンスに基づいて前記第１時間長さ内にＰＤＣＣＨを監視することを決定すること、又は、
前記第１メッセージが前記第２識別子シーケンスを含む場合、前記第２識別子シーケンスに基づいて前記第１時間長さ内にＰＤＣＣＨを監視する必要がないことを決定することに用いられる。
【０３４９】
選択肢として、該第１時間長さの単位はスロット又はミリ秒である。
【０３５０】
選択肢として、該第１時間長さの単位がスロットである場合、該第１メッセージは第３指示情報を含み、該第３指示情報は該第１時間長さに対応するサブキャリア間隔を示し、又は該第１時間長さに対応するサブキャリア間隔が、ＰＤＣＣＨに対応するサブキャリア間隔に一致することを示す。
【０３５１】
選択肢として、該端末装置はＲＲＣ接続状態にある。
【０３５２】
理解されるように、該端末装置６００は方法２００における端末装置に対応してもよく、方法２００における端末装置の実現する対応操作を実現することができ、簡潔のために、ここで繰り返して説明しない。
【０３５３】
図８は本願の実施例に係るネットワーク装置７００の模式的なブロック図である。該ネットワーク装置７００は、
第１メッセージを端末装置に送信することに用いられ、該第１メッセージは第１時間長さを示し、及び／又は、該第１時間長さ内にＰＤＣＣＨを監視するかどうかを示す通信ユニット７１０を備え、
該通信ユニット７１０は更に、該第１メッセージに基づいて該端末装置に対するＰＤＣＣＨを送信することに用いられる。
【０３５４】
選択肢として、該通信ユニット７１０は具体的に、該端末装置に該第１メッセージを周期的に送信することに用いられる。
【０３５５】
選択肢として、該ネットワーク装置７００が該第１メッセージを送信する周期は該端末装置がＰＤＣＣＨを監視する周期以上である。
【０３５６】
選択肢として、該第１メッセージが該第１時間長さを示す場合、該通信ユニット７１０は更に、ＲＲＣシグナリングにより第１設定情報を該端末装置に送信することに用いられ、該第１設定情報は該第１時間長さ内にＰＤＣＣＨを監視するかどうかを示し、
該ネットワーク装置７００は更に、
該第１メッセージに基づいて該第１時間長さを決定し、且つ第１設定情報に基づいて、該第１時間長さ内に該端末装置に対するＰＤＣＣＨを送信するかどうかを決定することに用いられる処理ユニット７２０を備える。
【０３５７】
選択肢として、該第１メッセージはＰＤＣＣＨであり、
該第１メッセージは該第１メッセージにおいて伝送される第１ダウンリンク制御情報（ＤＣＩ）における少なくとも１つのビットにより該第１時間長さを示し、
該処理ユニット７２０は具体的に、
該少なくとも１つのビットに基づいて該第１時間長さを決定することに用いられる。
【０３５８】
選択肢として、該第１メッセージは識別子シーケンスであり、
該第１メッセージは少なくとも１つの識別子シーケンスにより該第１時間長さを示し、
該処理ユニット７２０は具体的に、
該少なくとも１つの識別子シーケンスに基づいて該第１時間長さを決定することに用いられる。
【０３５９】
選択肢として、前記第１メッセージが前記第１時間長さを示す場合、前記第１メッセージは第１パラメータと前記第１時間長さとの数値関係を示すことにより前記第１時間長さを示し、前記第１パラメータはＤＲＸパラメータ又は第１時間パラメータであり、
前記通信ユニット７１０は更に、ＲＲＣシグナリングにより第１設定情報を前記端末装置に送信することに用いられ、前記第１設定情報は前記第１時間長さ内にＰＤＣＣＨを監視するかどうかを示し、
前記ネットワーク装置７００は更に、
前記第１メッセージ及び前記第１パラメータに基づいて前記第１時間長さを決定し、且つ前記第１設定情報に基づいて、前記第１時間長さ内に前記端末装置に対するＰＤＣＣＨを送信するかどうかを決定することに用いられる処理ユニット７２０を備える。
【０３６０】
選択肢として、前記第１パラメータがＤＲＸパラメータである場合、前記第１パラメータはＤＲＸアクティブ期間タイマー、ＤＲＸディアクティブ期間タイマー、ロングＤＲＸ周期、ショートＤＲＸ周期のうちの１つである。
【０３６１】
選択肢として、前記通信ユニット７１０は更に、ＲＲＣシグナリング又はＭＡＣ  ＣＥシグナリングにより前記端末装置に前記第１パラメータを送信することに用いられる。
【０３６２】
選択肢として、前記通信ユニット７１０は更に、ＲＲＣシグナリング又はＭＡＣ  ＣＥシグナリングにより前記端末装置に前記第１時間パラメータを送信することに用いられる。
【０３６３】
選択肢として、前記通信ユニット７１０は更に、ＲＲＣシグナリング又はＭＡＣ  ＣＥシグナリングにより前記端末装置に前記第１設定情報を送信することに用いられる。
【０３６４】
選択肢として、前記第１メッセージはＰＤＣＣＨであり、前記第１メッセージは前記第１メッセージにおいて伝送される第１ＤＣＩにおける少なくとも１つのビットにより、前記第１パラメータと前記第１時間長さとの数値関係を示すことにより前記第１時間長さを示し、
前記処理ユニット７２０は具体的に、前記少なくとも１つのビット及び前記第１パラメータに基づいて前記第１時間長さを決定することに用いられる。
【０３６５】
選択肢として、前記第１メッセージは識別子シーケンスであり、前記第１メッセージは少なくとも１つの識別子シーケンスにより、前記第１パラメータと前記第１時間長さとの数値関係を示すことにより前記第１時間長さを示し、
前記処理ユニット７２０は具体的に、前記少なくとも１つの識別子シーケンス及び前記第１パラメータに基づいて前記第１時間長さを決定することに用いられる。
【０３６６】
選択肢として、該第１メッセージは該第１時間長さ内にＰＤＣＣＨを監視するかどうかを示す場合、該通信ユニットは更に、ＲＲＣシグナリングにより第２設定情報を該端末装置に送信することに用いられ、該第２設定情報は該第１時間長さを示し、
該処理ユニット７２０は具体的に、
第２設定情報に基づいて該第１時間長さを決定し、且つ該第１メッセージに基づいて、該第１時間長さ内に該端末装置に対するＰＤＣＣＨを送信するかどうかを決定することに用いられる。
【０３６７】
選択肢として、該第１メッセージはＰＤＣＣＨであり、
該第１メッセージは該第１メッセージにおいて伝送される第１ＤＣＩにおける第１ビットにより該第１時間長さ内にＰＤＣＣＨを監視するかどうかを示し、
該第１ビットが０である場合、該第１時間長さ内にＰＤＣＣＨを監視することを示し、該第１ビットが１である場合、該第１時間長さ内にＰＤＣＣＨを監視する必要がないことを示し、
該処理ユニット７２０は具体的に、
該第１ビットが０である場合、該第１ビットに基づいて、該第１時間長さ内に該端末装置に対するＰＤＣＣＨを送信することを決定すること、又は、
該第１ビットが１である場合、該第１ビットに基づいて、該第１時間長さ内に該端末装置に対するＰＤＣＣＨを送信する必要がないことを決定することに用いられる。
【０３６８】
選択肢として、該第１メッセージは識別子シーケンスであり、
該第１メッセージは第１識別子シーケンスにより該第１時間長さ内にＰＤＣＣＨを監視することを示し、且つ第２識別子シーケンスにより該第１時間長さ内にＰＤＣＣＨを監視する必要がないことを示し、
該処理ユニット７２０は具体的に、
該第１メッセージが該第１識別子シーケンスを含む場合、該第１識別子シーケンスに基づいて、該第１時間長さ内に該端末装置に対するＰＤＣＣＨを送信することを決定すること、又は、
該第１メッセージが該第２識別子シーケンスを含む場合、該第２識別子シーケンスに基づいて、該第１時間長さ内に該端末装置に対するＰＤＣＣＨを送信する必要がないことを決定することに用いられる。
【０３６９】
選択肢として、該第１メッセージは該第１時間長さを示し、且つ該第１時間長さ内にＰＤＣＣＨを監視するかどうかを示す場合、
該処理ユニット７２０は具体的に、
該第１メッセージに基づいて該第１時間長さを決定し、且つ該第１時間長さ内に該端末装置に対するＰＤＣＣＨを送信するかどうかを決定することに用いられる。
【０３７０】
選択肢として、該第１メッセージは、該第１時間長さを示す第１指示情報と、該第１時間長さ内にＰＤＣＣＨを監視するかどうかを示す第２指示情報とを含み、
該処理ユニット７２０は具体的に、
該第１指示情報に基づいて該第１時間長さを決定し、且つ該第２指示情報に基づいて、該第１時間長さ内に該端末装置に対するＰＤＣＣＨを送信するかどうかを決定することに用いられる。
【０３７１】
選択肢として、該第１メッセージはＰＤＣＣＨ及び／又は識別子シーケンスである。
【０３７２】
選択肢として、該第１指示情報は該第１メッセージにおいて伝送される第１ＤＣＩにおける少なくとも１つのビットにより該第１時間長さを示し、
該処理ユニット７２０は具体的に、該少なくとも１つのビットに基づいて該第１時間長さを決定することに用いられる。
【０３７３】
選択肢として、該第１指示情報は少なくとも１つの識別子シーケンスにより該第１時間長さを示し、
該処理ユニット７２０は具体的に、該少なくとも１つの識別子シーケンスに基づいて該第１時間長さを決定することに用いられる。
【０３７４】
選択肢として、該第２指示情報が該第１メッセージにおいて伝送される第２ＤＣＩにおける第１ビットにより該第１時間長さ内にＰＤＣＣＨを監視するかどうかを示し、該第１ビットが０である場合、該第１時間長さ内にＰＤＣＣＨを監視することを示し、該第１ビットが１である場合、該第１時間長さ内にＰＤＣＣＨを監視する必要がないことを示し、
該処理ユニット７２０は具体的に、
該第１ビットが０である場合、該第１ビットに基づいて、該第１時間長さ内に該端末装置に対するＰＤＣＣＨを送信することを決定すること、又は、
該第１ビットが１である場合、該第１ビットに基づいて、該第１時間長さ内に該端末装置に対するＰＤＣＣＨを送信する必要がないことを決定することに用いられる。
【０３７５】
選択肢として、該第２指示情報は第１識別子シーケンスにより該第１時間長さ内にＰＤＣＣＨを監視することを示し、且つ第２識別子シーケンスにより該第１時間長さ内にＰＤＣＣＨを監視する必要がないことを示し、
該処理ユニット７２０は具体的に、
該第１メッセージが該第１識別子シーケンスを含む場合、該第１識別子シーケンスに基づいて、該第１時間長さ内に該端末装置に対するＰＤＣＣＨを送信することを決定すること、又は、
該第１メッセージが該第２識別子シーケンスを含む場合、該第２識別子シーケンスに基づいて、該第１時間長さ内に該端末装置に対するＰＤＣＣＨを送信する必要がないことを決定することに用いられる。
【０３７６】
選択肢として、前記第１メッセージは前記第１時間長さを示し、且つ前記第１時間長さ内にＰＤＣＣＨを監視するかどうかを示し、前記第１メッセージは第１パラメータと前記第１時間長さとの数値関係を示すことにより前記第１時間長さを示し、前記第１パラメータはＤＲＸパラメータ又は第１時間パラメータである場合、
前記ネットワーク装置７００は更に、
前記第１メッセージ及び前記第１パラメータに基づいて前記第１時間長さを決定し、且つ該第１メッセージに基づいて、前記第１時間長さ内に前記端末装置に対するＰＤＣＣＨを送信するかどうかを決定することに用いられる処理ユニット７２０を備える。
【０３７７】
選択肢として、前記第１パラメータがＤＲＸパラメータである場合、前記第１パラメータはＤＲＸアクティブ期間タイマー、ＤＲＸディアクティブ期間タイマー、ロングＤＲＸ周期、ショートＤＲＸ周期のうちの１つである。
【０３７８】
選択肢として、前記通信ユニット７２０は更に、ＲＲＣシグナリング又はＭＡＣ  ＣＥシグナリングにより前記端末装置に前記第１パラメータを送信することに用いられる。
【０３７９】
選択肢として、前記通信ユニット７２０は更に、ＲＲＣシグナリング又はＭＡＣ  ＣＥシグナリングにより前記端末装置に前記第１時間パラメータを送信することに用いられる。
【０３８０】
選択肢として、前記第１メッセージは、前記第１パラメータと前記第１時間長さとの数値関係を示すことにより前記第１時間長さを示す第１指示情報と、前記第１時間長さ内にＰＤＣＣＨを監視するかどうかを示す第２指示情報とを含み、
前記処理ユニット７２０は具体的に、
前記第１指示情報及び前記第１パラメータに基づいて前記第１時間長さを決定し、且つ前記第２指示情報に基づいて、前記第１時間長さ内に前記端末装置に対するＰＤＣＣＨを送信するかどうかを決定することに用いられる。
【０３８１】
選択肢として、前記第１メッセージはＰＤＣＣＨ及び／又は識別子シーケンスである。
【０３８２】
選択肢として、前記第１指示情報は前記第１メッセージにおいて伝送される第１ＤＣＩにおける少なくとも１つのビットにより、前記第１パラメータと前記第１時間長さとの数値関係を示すことにより前記第１時間長さを示し、
前記処理ユニット７２０は具体的に、前記少なくとも１つのビット及び前記第１パラメータに基づいて前記第１時間長さを決定することに用いられる。
【０３８３】
選択肢として、前記第１指示情報は少なくとも１つの識別子シーケンスにより、前記第１パラメータと前記第１時間長さとの数値関係を示すことにより前記第１時間長さを示し、
前記処理ユニット７２０は具体的に、前記少なくとも１つの識別子シーケンス及び前記第１パラメータに基づいて前記第１時間長さを決定することに用いられる。
【０３８４】
選択肢として、前記第２指示情報は前記第１メッセージにおいて伝送される第２ＤＣＩにおける第１ビットにより前記第１時間長さ内にＰＤＣＣＨを監視するかどうかを示し、前記第１ビットが０である場合、前記第１時間長さ内にＰＤＣＣＨを監視することを示し、前記第１ビットが１である場合、前記第１時間長さ内にＰＤＣＣＨを監視する必要がないことを示し、
前記処理ユニット７２０は具体的に、
前記第１ビットが０である場合、前記第１ビットに基づいて、前記第１時間長さ内に前記端末装置に対するＰＤＣＣＨを送信することを決定すること、又は、
前記第１ビットが１である場合、前記第１ビットに基づいて、前記第１時間長さ内に前記端末装置に対するＰＤＣＣＨを送信する必要がないことを決定することに用いられる。
【０３８５】
選択肢として、前記第２指示情報は第１識別子シーケンスにより前記第１時間長さ内にＰＤＣＣＨを監視することを示し、且つ第２識別子シーケンスにより前記第１時間長さ内にＰＤＣＣＨを監視する必要がないことを示し、
前記処理ユニット７２０は具体的に、
前記第１メッセージが前記第１識別子シーケンスを含む場合、前記第１識別子シーケンスに基づいて、前記第１時間長さ内に前記端末装置に対するＰＤＣＣＨを送信することを決定すること、又は、
前記第１メッセージが前記第２識別子シーケンスを含む場合、前記第２識別子シーケンスに基づいて、前記第１時間長さ内に前記端末装置に対するＰＤＣＣＨを送信する必要がないことを決定することに用いられる。
【０３８６】
選択肢として、該第１時間長さの単位はスロット又はミリ秒である。
【０３８７】
選択肢として、該第１時間長さの単位がスロットである場合、該第１メッセージは第３指示情報を含み、該第３指示情報は該第１時間長さに対応するサブキャリア間隔を示し、又は該第１時間長さに対応するサブキャリア間隔が、ＰＤＣＣＨに対応するサブキャリア間隔に一致することを示す。
【０３８８】
選択肢として、該端末装置はＲＲＣ接続状態にある。
【０３８９】
理解されるように、該ネットワーク装置５００は方法３００におけるネットワーク装置に対応してもよく、方法３００におけるネットワーク装置の実現する対応操作を実現することができ、簡潔のために、ここで繰り返して説明しない。
【０３９０】
図９は本願の実施例に係る端末装置８００の模式的なブロック図である。該端末装置８００は、
第１パラメータと第１時間長さとの数値関係を示す第１メッセージと、ＤＲＸパラメータ又は第１時間パラメータである第１パラメータとに基づいて、前記第１時間長さを決定することに用いられる処理ユニット８１０と、
前記第１時間長さ内にＰＤＣＣＨを監視することを無視することに用いられる通信ユニット８２０と、を備える。
【０３９１】
選択肢として、前記第１パラメータがＤＲＸパラメータである場合、前記第１パラメータはＤＲＸアクティブ期間タイマー、ＤＲＸディアクティブ期間タイマー、ロングＤＲＸ周期、ショートＤＲＸ周期のうちの１つである。
【０３９２】
選択肢として、前記通信ユニット８２０は更に、ネットワーク装置がＲＲＣシグナリング又はＭＡＣ  ＣＥシグナリングにより送信した前記第１パラメータを受信することに用いられる。
【０３９３】
選択肢として、前記第１時間パラメータは予め設定されたもの、又はネットワーク装置が通知したものである。
【０３９４】
選択肢として、前記通信ユニット８２０は更に、ネットワーク装置から送信された前記第１メッセージを受信することに用いられる。
【０３９５】
選択肢として、前記通信ユニット８２０は具体的に、前記ネットワーク装置から送信された前記第１メッセージを周期的に受信することに用いられる。
【０３９６】
選択肢として、前記通信ユニット８２０が前記第１メッセージを受信する周期は前記通信ユニット８２０がＰＤＣＣＨを監視する周期以上である。
【０３９７】
選択肢として、前記第１メッセージはＰＤＣＣＨであり、前記第１メッセージは前記第１メッセージにおいて伝送される第１ＤＣＩにおける少なくとも１つのビットにより前記第１パラメータと前記第１時間長さとの数値関係を示し、
前記処理ユニット８１０は具体的に、前記少なくとも１つのビット及び前記第１パラメータに基づいて前記第１時間長さを決定することに用いられる。
【０３９８】
選択肢として、前記第１メッセージは識別子シーケンスであり、前記第１メッセージは少なくとも１つの識別子シーケンスにより前記第１パラメータと前記第１時間長さとの数値関係を示し、
前記処理ユニット８１０は具体的に、前記少なくとも１つの識別子シーケンス及び前記第１パラメータに基づいて前記第１時間長さを決定することに用いられる。
【０３９９】
選択肢として、前記第１時間長さの単位はスロット又はミリ秒である。
【０４００】
選択肢として、前記第１時間長さの単位がスロットである場合、前記第１メッセージは第１指示情報を含み、前記第１指示情報は前記第１時間長さに対応するサブキャリア間隔を示し、又は前記第１時間長さに対応するサブキャリア間隔が、ＰＤＣＣＨに対応するサブキャリア間隔に一致することを示す。
【０４０１】
選択肢として、前記端末装置はＲＲＣ接続状態にある。
【０４０２】
理解されるように、該端末装置８００は方法４００における端末装置に対応してもよく、方法４００における端末装置の実現する対応操作を実現することができ、簡潔のために、ここで繰り返して説明しない。
【０４０３】
図１０は本願の実施例に係るネットワーク装置９００の模式的なブロック図である。該ネットワーク装置９００は、
第１メッセージを端末装置に送信することに用いられ、前記第１メッセージは第１パラメータと第１時間長さとの数値関係を示し、前記第１パラメータはＤＲＸパラメータ又は第１時間パラメータである通信ユニット９１０を備える。
【０４０４】
選択肢として、前記第１パラメータがＤＲＸパラメータである場合、前記第１パラメータはＤＲＸアクティブ期間タイマー、ＤＲＸディアクティブ期間タイマー、ロングＤＲＸ周期、ショートＤＲＸ周期のうちの１つである。
【０４０５】
選択肢として、前記通信ユニット９１０は更に、ＲＲＣシグナリング又はＭＡＣ  ＣＥシグナリングにより前記端末装置に前記第１パラメータを送信することに用いられる。
【０４０６】
選択肢として、前記通信ユニット９１０は更に、ＲＲＣシグナリング又はＭＡＣ  ＣＥシグナリングにより前記端末装置に前記第１時間パラメータを送信することに用いられる。
【０４０７】
選択肢として、前記通信ユニット９１０は具体的に、前記端末装置に前記第１メッセージを周期的に送信することに用いられる。
【０４０８】
選択肢として、前記ネットワーク装置９００が前記第１メッセージを送信する周期は前記端末装置がＰＤＣＣＨを監視する周期以上である。
【０４０９】
選択肢として、前記第１メッセージはＰＤＣＣＨであり、前記第１メッセージは前記第１メッセージにおいて伝送される第１ＤＣＩにおける少なくとも１つのビットにより前記第１パラメータと前記第１時間長さとの数値関係を示す。
【０４１０】
選択肢として、前記第１メッセージは識別子シーケンスであり、前記第１メッセージは少なくとも１つの識別子シーケンスにより前記第１パラメータと前記第１時間長さとの数値関係を示す。
【０４１１】
選択肢として、前記第１時間長さの単位はスロット又はミリ秒である。
【０４１２】
選択肢として、前記第１時間長さの単位がスロットである場合、前記第１メッセージは第１指示情報を含み、前記第１指示情報は前記第１時間長さに対応するサブキャリア間隔を示し、又は前記第１時間長さに対応するサブキャリア間隔が、ＰＤＣＣＨに対応するサブキャリア間隔に一致することを示す。
【０４１３】
選択肢として、前記端末装置はＲＲＣ接続状態にある。
【０４１４】
理解されるように、該ネットワーク装置９００は方法５００におけるネットワーク装置に対応してもよく、方法５００におけるネットワーク装置の実現する対応操作を実現することができ、簡潔のために、ここで繰り返して説明しない。
【０４１５】
図１１は本願の実施例に係る信号伝送装置１０００の模式的なブロック図であり、該装置１０００は、
コードを含むプログラムを記憶することに用いられるメモリ１０１０と、
他の装置と通信することに用いられる送受信機１０２０と、
メモリ１０１０におけるプログラムコードを実行することに用いられるプロセッサ１０３０と、を備える。
【０４１６】
選択肢として、送受信機１０２０はプロセッサ１０３０の駆動で具体的な信号の送受信を実行することに用いられる。
【０４１７】
選択肢として、該コードが実行されるとき、該プロセッサ１０３０は更に図２における方法２００における端末装置の実行する各操作を実現することができ、簡潔のために、ここで繰り返して説明しない。このとき、該装置１０００は端末装置、例えば携帯電話であってもよい。
【０４１８】
選択肢として、該コードが実行されるとき、該プロセッサ１０３０は更に図５における方法４００における端末装置の実行する各操作を実現することができ、簡潔のために、ここで繰り返して説明しない。このとき、該装置１０００は端末装置、例えば携帯電話であってもよい。
【０４１９】
選択肢として、該コードが実行されるとき、該プロセッサ１０３０は図３における方法３００におけるネットワーク装置の実行する各操作を実現することができ、簡潔のために、ここで繰り返して説明しない。このとき、該装置１０００はネットワーク装置、例えば基地局であってもよい。
【０４２０】
選択肢として、該コードが実行されるとき、該プロセッサ１０３０は図６における方法５００におけるネットワーク装置の実行する各操作を実現することができ、簡潔のために、ここで繰り返して説明しない。このとき、該装置１０００はネットワーク装置、例えば基地局であってもよい。
【０４２１】
理解されるように、本願の実施例では、該プロセッサ１０３０は中央処理装置（ＣＰＵ、Ｃｅｎｔｒａｌ  Ｐｒｏｃｅｓｓｉｎｇ  Ｕｎｉｔ）であってもよく、該プロセッサ１０３０は更に他の汎用プロセッサ、デジタルシグナルプロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタロジックデバイス、個別ハードウェアコンポーネント等であってもよい。汎用プロセッサはマイクロプロセッサであってもよく、又は該プロセッサはいかなる通常のプロセッサ等であってもよい。
【０４２２】
該メモリ１０１０は読み出し専用メモリ及びランダムアクセスメモリを含んでもよく、且つプロセッサ１０３０に命令及びデータを提供する。メモリ１０１０の一部は更に不揮発性ランダムアクセスメモリを含んでもよい。例えば、メモリ１０１０には更に装置タイプの情報が記憶されてもよい。
【０４２３】
送受信機１０２０は信号送受信機能、例えばアップコンバータ及びダウンコンバータ機能とも称される周波数変調及び復調機能を実現することに用いられてもよい。
【０４２４】
実現過程において、上記方法における少なくとも１つのステップはプロセッサ１０３０におけるハードウェアの集積論理回路で遂行されてもよく、又は該集積論理回路はソフトウェア形式の命令の駆動で該少なくとも１つのステップを遂行してもよい。従って、無線通信装置１０００はチップ又はチップセットであってもよい。本願の実施例に開示される方法のステップはハードウェアプロセッサで実行して完成し、又はプロセッサにおけるハードウェア及びソフトウェアモジュールの組み合わせで実行して完成するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサ１０３０はメモリにおける情報を読み取り、そのハードウェアと組み合わせて上記方法のステップを遂行する。重複を避けるために、ここで詳細な説明は省略する。
【０４２５】
図１２は本願の実施例に係るシステムチップ１１００の構造模式図である。図１２におけるシステムチップ１１００は入力インターフェース１１０１、出力インターフェース１１０２、プロセッサ１１０３及びメモリ１１０４を備え、それらは内部通信接続回線によって接続されてもよく、該プロセッサ１１０３は該メモリ１１０４におけるコードを実行することに用いられる。
【０４２６】
選択肢として、該コードが実行されるとき、該プロセッサ１１０３は方法実施例における端末装置の実行する方法を実現する。簡潔のために、ここで繰り返して説明しない。
【０４２７】
選択肢として、該コードが実行されるとき、該プロセッサ１１０３は方法実施例におけるネットワーク装置の実行する方法を実現する。簡潔のために、ここで繰り返して説明しない。
【０４２８】
上記実施例において、ソフトウェア、ハードウェア、ファームウェア又はそれらの任意の組み合わせで全体的又は部分的に実現されてもよい。ソフトウェアで実現されるとき、コンピュータプログラム製品の形式で全体的又は部分的に実現されてもよい。該コンピュータプログラム製品は１つ又は複数のコンピュータ命令を含む。コンピュータにおいて該コンピュータプログラム命令をロードして実行するとき、本願の実施例に記載のプロセス又は機能を全体的又は部分的に発生させる。該コンピュータは汎用コンピュータ、専用コンピュータ、コンピュータネットワーク、又は他のプログラム可能装置であってもよい。該コンピュータ命令はコンピュータ可読記憶媒体に記憶され、又は一方のコンピュータ可読記憶媒体から他方のコンピュータ可読記憶媒体に伝送されてもよく、例えば、該コンピュータ命令は一方のウェブサイト、コンピュータ、サーバ又はデータセンターから有線（例えば、同軸ケーブル、光ファイバー、デジタル加入者回線（ＤＳＬ））又は無線（例えば、赤外線、無線、マイクロ波等）方式で他方のウェブサイト、コンピュータ、サーバ又はデータセンターに伝送されてもよい。該コンピュータ可読記憶媒体はコンピュータにアクセスできるいかなる利用可能媒体又は１つ又は複数の利用可能媒体からなるサーバ、データセンター等のデータ記憶装置であってもよい。該利用可能媒体は磁気媒体（例えば、フロッピーディスク、ハードディスク、磁気テープ）、光媒体（例えば、ＤＶＤ）、又は半導体媒体（例えば、ソリッドステートディスク（ＳＳＤ、Ｓｏｌｉｄ  Ｓｔａｔｅ  Ｄｉｓｋ））等であってもよい。
【０４２９】
理解されるように、本願の様々な実施例において、上記各過程の番号の順位は実行順序の前後を意味せず、各過程の実行順序はその機能及び内部論理によって決定されるべきであり、本願の実施例の実施過程を制限するためのものではない。
【０４３０】
当業者であれば明確に理解できるように、説明を容易で簡単にするために、上記説明されるシステム、装置及びユニットの具体的な動作過程については、前述の方法実施例における対応過程を参照してもよく、ここで繰り返して説明しない。
【０４３１】
以上の説明は本願の具体的な実施形態に過ぎず、本願の保護範囲を制限するためのものではなく、当業者が本願に開示される技術的範囲内で容易に想到し得る変更や置換は、いずれも本願の保護範囲内に含まれるべきである。従って、本願の保護範囲は特許請求の範囲に準じるべきである。
【図１】
2021518706.tif 000009
【図２】
2021518706.tif 000010
【図３】
2021518706.tif 000011
【図４】
2021518706.tif 000012
【図５】
2021518706.tif 000013
【図６】
2021518706.tif 000014
【図７】
2021518706.tif 000015
【図８】
2021518706.tif 000016
【図９】
2021518706.tif 000017
【図１０】
2021518706.tif 000018
【図１１】
2021518706.tif 000019
【図１２】
2021518706.tif 000020
【国際調査報告】
2021518706.tif 000021
2021518706.tif 000022
2021518706.tif 000023
2021518706.tif 000024